(57)【要約】【課題】遊技者の混乱を招くことを防止する。【解決手段】ＡＴ抽選対象役に当選することによりフリーズ抽選され、当該フリーズ抽選によりフリーズ当選してフリーズが実行されると規制期間に制御され、当該規制期間中にＡＴ当選したか否かの結果が報知される。当該規制期間中に新たにフリーズ当選したときには、フリーズを実行させない順押し操作手順で操作することを報知する順押し説明演出を実行することにより、間接的に当該新たなフリーズ当選に基づいたフリーズを実行させないようにする。【選択図】図２３
2015123097.tif 000002
【特許請求の範囲】
【請求項１】
遊技用価値を用いて１ゲームに対して所定数の賭数を設定することによりゲームが開始可能となるとともに、各々が識別可能な複数種類の識別情報を変動表示可能な可変表示装置に表示結果が導出されることにより１ゲームが終了し、該可変表示装置に導出された表示結果に応じて入賞が発生可能とされたスロットマシンであって、
特定条件が成立することにより、遊技者にとって有利な特典を付与することが可能な特典付与手段と、
前記特定条件が成立することにより、ゲームの進行を遅延期間に亘って遅延させる遅延制御を実行することが可能な遅延制御手段と、
特典が付与されたか否かを、前記遅延制御が実行されてから複数ゲームに亘る所定期間が経過するまでに報知する特典報知手段と、
前記遅延制御が実行されてから前記所定期間が経過するまでは前記特定条件が成立したときであっても、当該特定条件の成立により遅延制御が実行されることを規制する規制手段とを備えるスロットマシン。
【発明の詳細な説明】
【技術分野】
【０００１】
本発明は、たとえば、スロットマシンに関する。詳しくは、各々が識別可能な複数種類の識別情報を変動表示可能な複数の可変表示領域のそれぞれに表示結果を導出させることが可能な可変表示装置を備え、遊技用価値を用いて１ゲームに対して所定数の賭数を設定することによりゲームが開始可能となるとともに、前記複数の可変表示領域のすべてに前記表示結果が導出されることにより１ゲームが終了し、１ゲームの結果として前記複数の可変表示領域のそれぞれに導出された前記表示結果の組合せに応じて入賞が発生可能とされたスロットマシンに関する。
【背景技術】
【０００２】
スロットマシンは、一般に、外周部に識別情報としての複数種類の図柄が描かれた複数（通常は３つ）のリールを有する可変表示装置を備えており、まず遊技者のＢＥＴ操作により賭数を設定し、規定の賭数が設定された状態でスタート操作することによりリールの回転が開始し、各リールに対応して設けられた停止ボタンを操作することにより回転を停止する。そして、全てのリールの回転を停止したときに入賞ライン上に予め定められた入賞図柄の組み合わせ（例えば、７−７−７、以下図柄の組み合わせを役とも呼ぶ）が揃ったことによって入賞が発生する。すなわち遊技者の操作によってゲームが進行するようになっている。
【０００３】
これら入賞役には、遊技者にとって有利な特別遊技状態への移行を伴う特別役、メダルなどの遊技用価値の付与を伴う小役、遊技用価値を用いずにゲームを行うことが可能な再遊技の付与を伴う再遊技役などがある。これら入賞役は、スタート操作と同時に行われる内部抽選に当選したことを条件に当選役の入賞が可能となるものが一般的である。
【０００４】
また、この種のスロットマシンとして、特別役に当選したときなどにフリーズ抽選を実行して、フリーズ当選するとフリーズ制御を実行することにより、遊技者に対して、特別役に当選したか否かを煽る。フリーズ制御とは、遊技者からの操作を有効化するタイミングを所定期間遅延させることにより、ゲームの進行を遅延させる制御である。さらに、当該特別役に当選したときには、フリーズ制御終了後から所定期間が経過するまでに、特別役に当選したか否かの結果を報知するものが知られている。
【先行技術文献】
【特許文献】
【０００５】
【特許文献１】特開２０１０−２４０１６０号公報
【発明の概要】
【発明が解決しようとする課題】
【０００６】
しかしながら、特許文献１に記載のスロットマシンでは、所定期間内にフリーズ当選するとさらにフリーズ制御が実行されるものであったため、フリーズ制御が実行されてから特別役に当選したか否かの結果を報知するまでに、次のフリーズ制御が実行されることにより遊技者の混乱を招く虞があった。
【０００７】
この発明は、かかる実情に鑑み考え出されたものであり、その目的は、遊技者の混乱を招くことを防止するスロットマシンを提供することを目的とする。
【課題を解決するための手段】
【０００８】
（１）  遊技用価値（メダル、クレジット）を用いて１ゲームに対して所定数の賭数（３枚）を設定することによりゲームが開始可能となるとともに、各々が識別可能な複数種類の識別情報（図柄）を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
特定条件（強チェリー当選または中段チェリー当選）が成立することにより、遊技者にとって有利な特典（ナビストック）を付与することが可能な特典付与手段（サブ制御部９１）と、
前記特定条件が成立することにより、ゲームの進行を遅延期間に亘って遅延させる遅延制御（フリーズ）を実行することが可能な遅延制御手段（メイン制御部４１）と、
特典が付与されたか否かを、前記遅延制御が実行されてから複数ゲームに亘る所定期間（５ゲーム）が経過するまでに報知（バトル演出の結果報知）する特典報知手段（サブ制御部９１）と、
前記遅延制御（フリーズ）が実行されてから前記所定期間が経過するまでは前記特定条件が成立したときであっても、当該特定条件の成立により遅延制御が実行されることを規制する規制手段（図２３（Ａ）に示すように、規制期間中にフリーズ当選すると、順押し操作を推奨する順押し説明演出を実行する。また、当該フリーズ当選したゲームにおいて順押しすると当該次のゲームではフリーズは実行されない（図１８のＳ４１４でＮＯ）。）とを備える。
【０００９】
このような構成によれば、遅延制御が実行されてから、特典が付与されたか否かが報知される所定期間が経過するまでは、特定条件が成立したとしても当該特定条件の成立による遅延制御の実行を規制することから、当該報知がされるまでに遅延制御が実行されることにより生じる遊技者の混乱を防止できる。
【００１０】
（２）  上記（１）に記載のスロットマシンにおいて、
前記規制手段は、前記特定条件が成立したときに前記遅延制御が実行されていない場合においても、当該特定条件が成立してから前記所定期間が経過するまでに、特定条件が成立したときであっても、当該特定条件の成立により遅延制御が実行されることを規制する（変形例で示すように、中段チェリーまたは強チェリーが当選したがフリーズ当選しない場合でも、５ゲーム間にフリーズ当選しても当該フリーズ当選に基づくフリーズを実行させない。）。
【００１１】
このような構成によれば、特定条件が成立して遅延制御が実行されているか否かに関わらず遅延制御が実行されることを規制する処理は同一であることから、当該処理を共通化することができ、処理負担を軽減することができる。
【００１２】
（３）  上記（１）または（２）に記載のスロットマシンにおいて、
前記特典報知手段は、前記遅延制御が実行されてから前記所定期間が経過するまでに、特典が付与された可能性を示唆する演出（バトル演出）を行った後に、特典が付与されたか否かの結果（バトル演出の結果）を報知する。
【００１３】
このような構成によれば、特典が付与された可能性を示唆する演出を実行することから、遊技の興趣を向上させることができるとともに、当該演出と遅延制御が並行して実行されることを防止できることから、遊技者の混乱を防止することができる。
【００１４】
（４）  上記（１）〜（３）のいずれかに記載のスロットマシンにおいて、
前記遅延制御手段は、複数種類の遅延制御（ＡＴ確定フリーズおよびＡＴチャンスフリーズ）のうちいずれかの遅延制御を実行可能であり、
前記規制手段は、前記複数種類の遅延制御のうちいずれについても実行されることを規制する（図１８のＳ４１４、Ｓ４１６に示すように、前回ゲームで順押しされたときには、当選したフリーズの種類を問わず、フリーズは実行されない。）。
【００１５】
このような構成によれば、規制対象の遅延制御の種類を問わず、遅延制御を規制する処理は同一であることから当該処理を共通化することができ、処理負担を軽減することができる。
【００１６】
（５）  上記（１）〜（３）のいずれかに記載のスロットマシンにおいて、
前記遅延制御手段は、実行されたときには必ず特典が付与されている特定遅延制御（ＡＴ確定フリーズ）を含む複数種類の遅延制御のうちいずれかの遅延制御を実行可能であり、
前記規制手段は、前記特定遅延制御が実行されることを規制しない一方、前記特定遅延制御以外の遅延制御が実行されることを規制する（ＡＴ確定フリーズは実行されるがＡＴチャンスフリーズは実行されない）。
【００１７】
このような構成によれば、特定遅延制御は規制されず実行されることから遊技の興趣を向上させることができる。
【００１８】
（６）  上記（１）〜（５）のいずれかに記載のスロットマシンにおいて、
前記遅延制御手段は、複数種類の遅延制御（ＡＴ確定フリーズおよびＡＴチャンスフリーズ）のうちいずれかの遅延制御を実行可能であり、
前記規制手段は、前記複数種類の遅延制御のうちいずれの遅延制御が実行されても当該遅延制御が実行されてから前記所定期間が経過するまでは前記特定条件が成立したときであっても、当該特定条件の成立により遅延制御が実行されることを規制する（ＡＴ確定フリーズおよびＡＴチャンスフリーズのいずれが実行されて、当該実行されたフリーズに基づき規制期間中に新たにフリーズ当選しても、当該フリーズ当選したフリーズは実行されない。）。
【００１９】
このような構成によれば、遅延制御の種類を問わず、当該遅延制御が実行されて所定期間が経過するまでは特定条件が成立したときであっても遅延制御が実行されることは規制されるので、遅延制御を規制する処理を共通化でき、処理負担を軽減することができる。
【００２０】
（７）  上記（１）〜（６）のいずれかに記載のスロットマシンにおいて、
前記可変表示装置に表示結果が導出される前に、通常遊技状態よりも遊技者にとって有利な特別遊技状態（ボーナス）への移行を伴う特別入賞（ＢＢ１〜ＢＢ４、ＲＢ１、ＲＢ２）を含む複数種類の入賞について発生を許容するか否かを決定する事前決定手段（内部抽選）と、
前記事前決定手段により前記特別入賞の発生を許容する旨が決定され、当該特別入賞を発生させる特別入賞表示結果が導出されなかったときに、当該特別入賞の発生を許容する旨の決定を次ゲーム以降に持ち越す（内部中１または内部中２への制御）持越手段と、
前記特別入賞の発生を許容する旨が決定されていることを報知する（内部中演出の実行）特別入賞報知手段とを備え、
前記規制手段は、前記特別入賞の発生を許容する旨の決定が持ち越されている期間も、前記特定条件が成立したときには、当該特定条件の成立により遅延制御が実行されることを規制する（図２０のＳ５０８に示すように、内部中にフリーズ当選したときも順押し説明演出は実行される。）。
【００２１】
このような構成によれば、特別入賞の発生を許容する旨が決定されていることが報知されているときに遅延制御が実行されることにより生じる遊技者の混乱を防止できる。
【００２２】
（８）  上記（１）〜（７）のいずれかに記載のスロットマシンにおいて、
前記可変表示装置に表示結果を導出させる際に操作される導出操作手段（ストップスイッチ８Ｌ、８Ｃ、８Ｒなど）をさらに備え、
前記特定条件が成立したときに前記導出操作手段の操作手順が第１の操作手順（逆押し）であるときと第２の操作手順（順押し）であるときとで、前記遅延制御手段により遅延制御が実行される割合は異なる一方（フリーズ当選したゲームにおいて、逆押しされたときには次のゲームで必ずフリーズが実行され、順押しされたときには次のゲームでは必ずフリーズは実行されない）、前記特典に関する有利度は同一である（強チェリーまたは中段チェリーが当選したゲームにおいて、逆押しおよび順押しのうちいずれがされたときでも、ＡＴ当選確率および付与されるナビストック数の期待値は同一である）。
【００２３】
このような構成によれば、操作手順によって、遅延制御が実行される割合を異ならせることができるので、遊技者の趣向に応じた割合で遅延制御の実行が可能となるため、遊技の興趣が低下することを防止することができる。
【００２４】
また、「割合」は、これに限るものではなく、たとえば０％〜１００％の範囲内の値のうち、０％を含む値や、１００％を含む値、０％および１００％を含まない値であってもよい。
【００２５】
また、「特典に関する有利度」とは、「特典付与が決定される確率」および「付与される特典の有利量」の双方を含むことが好ましいが、「特典付与が決定される確率」および「付与される特典の有利量」のうちいずれか一方でもよい。また、「特典に関する有利度」は「付与される特典の有利量の期待値」としてもよい。「付与される特典の有利量の期待値」とは、たとえば、「特典付与が決定される確率」に、「特典付与手段により付与される特典の有利量」を乗算した値である。
【００２６】
また、遅延制御手段は、特典付与手段が特典を付与しない場合にも特定条件が成立することにより（たとえば、所定の割合で）遅延制御を実行可能である。このような構成により、特典が付与されていないときでも、遅延制御が実行される場合があるので、遅延制御が実行されたときには、遊技者に緊張感を抱かせることができる。
【図面の簡単な説明】
【００２７】
【図１】本発明が適用された実施例１のスロットマシンの正面図である。
【図２】スロットマシンの内部構造図である。
【図３】リールの図柄配列を示す図である。
【図４】スロットマシンの構成を示すブロック図である。
【図５】特別役の種類、特別役の図柄組み合わせ、及び特別役に関連する技術事項について説明するための図である。
【図６】小役の種類、小役の図柄組み合わせ、及び小役に関連する技術事項について説明するための図である。
【図７】再遊技役の種類、再遊技役の図柄組み合わせ、及び再遊技役に関連する技術事項について説明するための図である。
【図８】移行出目の図柄組み合わせ、及び移行出目に関連する技術事項について説明するための図である。
【図９】遊技状態及びＲＴの遷移を説明するための図である。
【図１０】遊技状態及びＲＴの概要を示す図である。
【図１１】遊技状態毎に抽選対象役として読み出される抽選対象役の組み合わせについて説明するための図である。
【図１２】遊技状態毎に抽選対象役として読み出される抽選対象役の組み合わせについて説明するための図である。
【図１３】遊技状態毎に抽選対象役として読み出される抽選対象役の組み合わせについて説明するための図である。
【図１４】遊技状態毎に抽選対象役として読み出される抽選対象役の組み合わせについて説明するための図である。
【図１５】抽選対象役により入賞が許容される役の組み合わせについて説明するための図である。
【図１６】複数の再遊技役当選時のリール制御を説明するための図である。
【図１７】複数の小役当選時のリール制御を説明するための図である。
【図１８】フリーズ関連処理の処理フローを説明するための図である。
【図１９】フリーズ抽選用テーブルを説明するための図である。
【図２０】演出関連処理を説明するための図である。
【図２１】ＡＴ抽選用テーブルを説明するための図である。
【図２２】選択説明演出背景決定用テーブルを説明するための図である。
【図２３】フリーズと順押し説明演出の関係を説明するための図である。
【発明を実施するための形態】
【００２８】
本発明の実施例を以下に説明する。
［スロットマシンの構成について］
本発明が適用されたスロットマシンの構成を図面を用いて説明すると、本実施例のスロットマシン１は、前面が開口する筐体１ａと、この筐体１ａの側端に回動自在に枢支された前面扉１ｂと、から構成されている。
【００２９】
本実施例のスロットマシン１の筐体１ａの内部には、図２に示すように、外周に複数種の図柄が配列されたリール２Ｌ、２Ｃ、２Ｒ（以下、左リール、中リール、右リール）が水平方向に並設されており、図１に示すように、これらリール２Ｌ、２Ｃ、２Ｒに配列された図柄のうち連続する３つの図柄が前面扉１ｂに設けられた透視窓３から見えるように配置されている。
【００３０】
リール２Ｌ、２Ｃ、２Ｒの外周部には、図３に示すように、それぞれ「黒７」、「網７（図中網掛け７）」、「白７」、「ＢＡＲ」、「リプレイ」、「プラム」、「スイカ」、「チェリー」、「ベル」、「オレンジ」といった互いに識別可能な複数種類の図柄が所定の順序で、それぞれ２１個ずつ描かれている。リール２Ｌ、２Ｃ、２Ｒの外周部に描かれた図柄は、前面扉１ｂのリールパネル１ｃ略中央に設けられた透視窓３において各々上中下三段に表示される。
【００３１】
各リール２Ｌ、２Ｃ、２Ｒは、各々対応して設けられリールモータ３２Ｌ、３２Ｃ、３２Ｒ（図４参照）によって回転させることで、各リール２Ｌ、２Ｃ、２Ｒの図柄が透視窓３に連続的に変化しつつ表示されるとともに、各リール２Ｌ、２Ｃ、２Ｒの回転を停止させることで、透視窓３に３つの連続する図柄が表示結果として導出表示されるようになっている。
【００３２】
リール２Ｌ、２Ｃ、２Ｒの内側には、リール２Ｌ、２Ｃ、２Ｒそれぞれに対して、基準位置を検出するリールセンサ３３Ｌ、３３Ｃ、３３Ｒと、リール２Ｌ、２Ｃ、２Ｒを背面から照射するリールＬＥＤ５５と、が設けられている。また、リールＬＥＤ５５は、リール２Ｌ、２Ｃ、２Ｒの連続する３つの図柄に対応する１２のＬＥＤからなり、各図柄をそれぞれ独立して照射可能とされている。
【００３３】
前面扉１ｂにおける各リール２Ｌ，２Ｃ，２Ｒに対応する位置には、リール２Ｌ，２Ｃ，２Ｒを前面側から透視可能とする横長長方形状の透視窓３が設けられており、該透視窓３を介して遊技者側から各リール２Ｌ，２Ｃ，２Ｒが視認できるようになっている。
【００３４】
前面扉１ｂには、メダルを投入可能なメダル投入部４、メダルが払い出されるメダル払出口９、クレジット（遊技者所有の遊技用価値として記憶されているメダル数）を用いて、その範囲内において遊技状態に応じて定められた規定数の賭数のうち最大の賭数（本実施例ではいずれの遊技状態においても３）を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、演出に用いるための演出用スイッチ５６が遊技者により操作可能にそれぞれ設けられている。
【００３５】
尚、本実施例では、回転を開始した３つのリール２Ｌ、２Ｃ、２Ｒのうち、最初に停止するリールを第１停止リールと称し、また、その停止を第１停止と称する。同様に、２番目に停止するリールを第２停止リールと称し、また、その停止を第２停止と称し、３番目に停止するリールを第３停止リールと称し、また、その停止を第３停止あるいは最終停止と称する。
【００３６】
また、３つのリール２Ｌ、２Ｃ、２Ｒのうち、左リール２Ｌを第１停止することを左第１停止、中リール２Ｃを第１停止することを中第１停止、右リール２Ｒを第１停止することを右第１停止と称する。また、本実施例において、順押しとは、左リール２Ｌを第１停止させた後に、中リール２Ｃを第２停止させる操作手順をいう。また、順挟み押しとは、左リール２Ｌを第１停止させた後に、右リール２Ｒを第２停止させる操作手順をいう。中左押しとは、中リール２Ｃを第１停止させた後に、左リール２Ｌを第２停止させる操作手順をいう。中右押しとは、中リール２Ｃを第１停止させた後に、右リール２Ｒを第２停止させる操作手順をいう。逆挟み押しとは、右リール２Ｒを第１停止させた後に、左リール２Ｌを第２停止させる操作手順をいう。逆押しとは、右リール２Ｒを第１停止させた後に、中リール２Ｃを第２停止させる操作手順をいう。また、当選している役を入賞させることができる操作タイミングを「入賞タイミング」という。
【００３７】
また、前面扉１ｂには、クレジットとして記憶されているメダル枚数が表示されるクレジット表示器１１、入賞の発生により払い出されたメダル枚数やエラー発生時にその内容を示すエラーコード等が表示される遊技補助表示器１２、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、後述するリプレイゲーム中である旨を点灯により報知するリプレイ中ＬＥＤ２０が設けられた遊技用表示部１３が設けられている。
【００３８】
ＭＡＸＢＥＴスイッチ６の内部には、ＭＡＸＢＥＴスイッチ６の操作による賭数の設定操作が有効である旨を点灯により報知するＢＥＴスイッチ有効ＬＥＤ２１（図４参照）が設けられており、ストップスイッチ８Ｌ、８Ｃ、８Ｒの内部には、該当するストップスイッチ８Ｌ、８Ｃ、８Ｒによるリールの停止操作が有効である旨を点灯により報知する左、中、右停止有効ＬＥＤ２２Ｌ、２２Ｃ、２２Ｒ（図４参照）がそれぞれ設けられている。
【００３９】
また、前面扉１ｂにおけるストップスイッチ８Ｌ、８Ｃ、８Ｒの下方には、スロットマシン１のタイトルや後述する配当表１などが印刷された下部パネルが設けられている。
【００４０】
前面扉１ｂの内側には、所定のキー操作により後述するエラー状態及び後述する打止状態を解除するためのリセット操作を検出するリセットスイッチ２３、後述する設定値の変更中や設定値の確認中にその時点の設定値が表示される設定値表示器２４、後述のＢＢ終了時に打止状態（リセット操作がなされるまでゲームの進行が規制される状態）に制御する打止機能の有効／無効を選択するための打止スイッチ３６ａ、後述のＢＢ終了時に自動精算処理（クレジットとして記憶されているメダルを遊技者の操作によらず精算（返却）する処理）に制御する自動精算機能の有効／無効を選択するための自動精算スイッチ３６ｂ、メダル投入部４から投入されたメダルの流路を、筐体１ａ内部に設けられた後述のホッパータンク３４ａ（図２参照）側またはメダル払出口９側のいずれか一方に選択的に切り替えるための流路切替ソレノイド３０、メダル投入部４から投入され、ホッパータンク３４ａ側に流下したメダルを検出する投入メダルセンサ３１を有するメダルセレクタ（図示略）、前面扉１ｂの開放状態を検出するドア開放検出スイッチ２５（図４参照）が設けられている。
【００４１】
筐体１ａ内部には、図２に示すように、前述したリール２Ｌ、２Ｃ、２Ｒ、リールモータ３２Ｌ、３２Ｃ、３２Ｒ、各リール２Ｌ、２Ｃ、２Ｒのリール基準位置をそれぞれ検出可能なリールセンサ３３Ｌ、３３Ｃ、３３Ｒ（図４参照）からなるリールユニット２、外部出力信号を出力するための外部出力基板１０００、メダル投入部４から投入されたメダルを貯留するホッパータンク３４ａ、ホッパータンク３４ａに貯留されたメダルをメダル払出口９より払い出すためのホッパーモータ３４ｂ、ホッパーモータ３４ｂの駆動により払い出されたメダルを検出する払出センサ３４ｃからなるホッパーユニット３４、電源ボックス１００が設けられている。
【００４２】
ホッパーユニット３４の側部には、ホッパータンク３４ａから溢れたメダルが貯留されるオーバーフロータンク３５が設けられている。オーバーフロータンク３５の内部には、貯留された所定量のメダルを検出可能な高さに設けられた左右に離間する一対の導電部材からなる満タンセンサ３５ａが設けられており、導電部材がオーバーフロータンク３５内に貯留されたメダルを介して接触することにより導電したときに内部に貯留されたメダル貯留量が所定量以上となったこと、すなわちオーバーフロータンクが満タン状態となったことを検出できるようになっている。
【００４３】
電源ボックス１００の前面には、設定変更状態または設定確認状態に切り替えるための設定キースイッチ３７、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８、電源をｏｎ／ｏｆｆする際に操作される電源スイッチ３９が設けられている。
【００４４】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６を操作すればよい。遊技状態に応じて定められた規定数の賭数が設定されると、入賞ラインＬＮ（図１参照）が有効となり、スタートスイッチ７の操作が有効な状態、すなわち、ゲームが開始可能な状態となる。本実施例では、規定数の賭数として遊技状態に関わらず３枚が定められて規定数の賭数が設定されると入賞ラインＬＮが有効となる。尚、遊技状態に対応する規定数のうち最大数を超えてメダルが投入された場合には、その分はクレジットに加算される。
【００４５】
入賞ラインとは、各リール２Ｌ、２Ｃ、２Ｒの透視窓３に表示された図柄の組み合わせが入賞図柄の組み合わせであるかを判定するために設定されるラインである。本実施例では、図１に示すように、リール２Ｌの中段、リール２Ｃの中段、リール２Ｒの中段、すなわち中段に水平方向に並んだ図柄に跨って設定された入賞ラインＬＮのみが入賞ラインとして定められている。尚、本実施例では、１本の入賞ラインのみを適用しているが、複数の入賞ラインを適用してもよい。
【００４６】
また、本実施例では、入賞ラインＬＮに入賞を構成する図柄の組み合わせが揃ったことを認識しやすくするために、入賞ラインＬＮとは別に、無効ラインＬＭ１〜４を設定している。無効ラインＬＭ１〜４は、これら無効ラインＬＭ１〜４に揃った図柄の組み合わせによって入賞が判定されるものではなく、入賞ラインＬＮに特定の入賞を構成する図柄の組み合わせが揃った際に、無効ラインＬＭ１〜４のいずれかに入賞ラインＬＮに揃った場合に入賞となる図柄の組み合わせ（例えば、ベル−ベル−ベル）が揃う構成とすることで、入賞ラインＬＮに特定の入賞を構成する図柄の組み合わせが揃ったことを認識しやすくするものである。本実施例では、図１に示すように、リール２Ｌの上段、リール２Ｃの上段、リール２Ｒの上段、すなわち上段に水平方向に並んだ図柄に跨って設定された無効ラインＬＭ１、リール２Ｌの下段、リール２Ｃの下段、リール２Ｒの下段、すなわち下段に水平方向に並んだ図柄に跨って設定された無効ラインＬＭ２、リール２Ｌの上段、リール２Ｃの中段、リール２Ｒの下段、すなわち右下がりに並んだ図柄に跨って設定された無効ラインＬＭ３、リール２Ｌの下段、リール２Ｃの中段、リール２Ｒの上段、すなわち右上がりに並んだ図柄に跨って設定された無効ラインＬＭ４の４種類が無効ラインＬＭとして定められている。
【００４７】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【００４８】
そして全てのリール２Ｌ、２Ｃ、２Ｒが停止されることで１ゲームが終了し、入賞ラインＬＮ上に予め定められた図柄の組み合わせ（以下、役とも呼ぶ）が各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。また、入賞ラインＬＮ上に、遊技状態の移行を伴う図柄の組み合わせが各リール２Ｌ、２Ｃ、２Ｒの表示結果として停止した場合には図柄の組み合わせに応じた遊技状態に移行するようになっている。
【００４９】
また、本実施例におけるスロットマシン１にあっては、ゲームが開始されて各リール２Ｌ、２Ｃ、２Ｒが回転して図柄の変動が開始した後、いずれかのストップスイッチ８Ｌ、８Ｃ、８Ｒが操作されたときに、当該ストップスイッチ８Ｌ、８Ｃ、８Ｒに対応するリールの回転が停止して図柄が停止表示される。ストップスイッチ８Ｌ、８Ｃ、８Ｒの操作から対応するリール２Ｌ、２Ｃ、２Ｒの回転を停止するまでの最大停止遅延時間は１９０ｍｓ（ミリ秒）である。
【００５０】
リール２Ｌ、２Ｃ、２Ｒは、１分間に８０回転し、８０×２１（１リール当たりの図柄コマ数）＝１６８０コマ分の図柄を変動させるので、１９０ｍｓの間では最大で４コマの図柄を引き込むことができることとなる。つまり、停止図柄として選択可能なのは、ストップスイッチ８Ｌ、８Ｃ、８Ｒが操作されたときに表示されている図柄と、そこから４コマ先までにある図柄、合計５コマ分の図柄である。
【００５１】
このため、例えば、ストップスイッチ８Ｌ、８Ｃ、８Ｒのいずれかが操作されたときに当該ストップスイッチに対応するリールの下段に表示されている図柄を基準とした場合、当該図柄から４コマ先までの図柄を下段に表示させることができるため、リール２Ｌ、２Ｃ、２Ｒ各々において、ストップスイッチ８Ｌ、８Ｃ、８Ｒのうちいずれかが操作されたときに当該ストップスイッチに対応するリールの中段に表示されている図柄を含めて５コマ以内に配置されている図柄を入賞ライン上に表示させることができる。
【００５２】
［スロットマシン１の機能構成例］
次に、図４を用いて、スロットマシン１の機能構成例について説明する。図４は、スロットマシン１の機能構成例を示すブロック図である。スロットマシン１には、図４に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。
【００５３】
電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０及び遊技制御基板４０を介して接続された演出制御基板９０に供給されるようになっている。また、後述するメイン制御部４１からサブ制御部９１へのコマンド伝送ラインと、遊技制御基板４０から演出制御基板９０に対して電源を供給する電源供給ラインと、が一系統のケーブル及びコネクタを介して接続されており、これらケーブルと各基板とを接続するコネクタ同士が全て接続されることで演出制御基板９０側の各部が動作可能となり、かつメイン制御部４１からのコマンドを受信可能な状態となる。このため、メイン制御部４１からコマンドを伝送するコマンド伝送ラインが演出制御基板９０に接続されている状態でなければ、演出制御基板９０側に電源が供給されず、演出制御基板９０側のみが動作してしまうことがない。
【００５４】
また、電源基板１０１には、前述したホッパーモータ３４ｂ、払出センサ３４ｃ、満タンセンサ３５ａ、設定キースイッチ３７、リセット／設定スイッチ３８、電源スイッチ３９が接続されている。
【００５５】
遊技制御基板４０には、前述したＭＡＸＢＥＴスイッチ６、スタートスイッチ７、ストップスイッチ８Ｌ、８Ｃ、８Ｒ、精算スイッチ１０、リセットスイッチ２３、打止スイッチ３６ａ、自動精算スイッチ３６ｂ、投入メダルセンサ３１、ドア開放検出スイッチ２５、リールセンサ３３Ｌ、３３Ｃ、３３Ｒが接続されているとともに、電源基板１０１を介して前述した払出センサ３４ｃ、満タンセンサ３５ａ、設定キースイッチ３７、リセット／設定スイッチ３８が接続されており、これら接続されたスイッチ類の検出信号が入力されるようになっている。
【００５６】
また、遊技制御基板４０には、前述したクレジット表示器１１、遊技補助表示器１２、ペイアウト表示器１３、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ、２２Ｃ、２２Ｒ、設定値表示器２４、流路切替ソレノイド３０、リールモータ３２Ｌ、３２Ｃ、３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【００５７】
遊技制御基板４０には、メイン制御部４１、乱数発生回路４２、サンプリング回路４３、スイッチ検出回路４４、モータ駆動回路４５、ソレノイド駆動回路４６、ＬＥＤ駆動回路４７、電断検出回路４８、リセット回路４９が搭載されている。
【００５８】
メイン制御部４１は、メインＣＰＵ４１ａと、ＲＯＭ４１ｂと、ＲＡＭ４１ｃと、Ｉ／Ｏポート４１ｄとを含む。メイン制御部４１は、１チップマイクロコンピュータにて構成され、ＲＯＭ４１ｂに記憶された制御プログラムを実行して、遊技の進行に関する処理を行うととともに、遊技制御基板４０に搭載された制御回路の各部を直接的または間接的に制御する。
【００５９】
乱数発生回路４２は、所定数のパルスを発生する度にカウントアップして値を更新するカウンタによって構成され、サンプリング回路４３は、乱数発生回路４２がカウントしている数値を取得する。乱数発生回路４２は、乱数の種類毎にカウントする数値の範囲が定められており、本実施例では、その範囲として０〜６５５３５が定められている。メイン制御部４１は、その処理に応じてサンプリング回路４３に指示を送ることで、乱数発生回路４２が示している数値を乱数として取得する（以下、この機能をハードウェア乱数機能という）。後述する内部抽選用の乱数は、ハードウェア乱数機能により抽出した乱数をそのまま使用するのではなく、ソフトウェアにより加工して使用する。また、メイン制御部４１は、前述のタイマ割込処理（メイン）により、特定のレジスタの数値を更新し、こうして更新された数値を乱数として取得する機能も有する（以下、この機能をソフトウェア乱数機能という）。
【００６０】
スイッチ検出回路４４は、遊技制御基板４０に直接または電源基板１０１を介して接続されたスイッチ類から入力された検出信号を取り込んでメイン制御部４１に伝送する。そして、メイン制御部４１は、スイッチ検出回路４４からの検出信号により、遊技者により操作されたストップスイッチを特定することができる。モータ駆動回路４５は、メイン制御部４１から出力されたモータ駆動信号をリールモータ３２Ｌ、３２Ｃ、３２Ｒに伝送する。ソレノイド駆動回路４６は、メイン制御部４１から出力されたソレノイド駆動信号を流路切替ソレノイド３０に伝送する。ＬＥＤ駆動回路は、メイン制御部４１から出力されたＬＥＤ駆動信号を遊技制御基板４０に接続された各種表示器やＬＥＤに伝送する。電断検出回路４８は、スロットマシン１に供給される電源電圧を監視し、電圧低下を検出したときに、その旨を示す電圧低下信号をメイン制御部４１に対して出力する。リセット回路４９は、電源投入時または電源遮断時などの電源が不安定な状態においてメイン制御部４１にシステムリセット信号を与える。また、リセット回路４９は、ウォッチドッグタイマを内蔵し、ウォッチドッグタイマがタイムアップした場合、すなわちメイン制御部４１のＣＰＵの動作が一定時間停止した場合においてメイン制御部４１にユーザリセット信号を与える。
【００６１】
メイン制御部４１のメインＣＰＵ４１ａは、ＲＯＭ４１ｂから読み出したプログラムを実行することにより、スロットマシン１におけるゲームの進行を制御するための処理などを実行する。このときには、メインＣＰＵ４１ａがＲＯＭ４１ｂから固定データを読み出す固定データ読出動作や、メインＣＰＵ４１ａがＲＡＭ４１ｃに各種の変動データを書き込んで一時記憶させる変動データ書込動作、メインＣＰＵ４１ａがＲＡＭ４１ｃに一時記憶されている各種の変動データを読み出す変動データ読出動作、メインＣＰＵ４１ａが外部バスインタフェースなどを介してメイン制御部４１の外部から各種信号の入力を受け付ける受信動作、メインＣＰＵ４１ａが外部バスインタフェースなどを介してメイン制御部４１の外部へと各種信号を出力する送信動作等も行われる。
【００６２】
このように、メイン制御部４１では、メインＣＰＵ４１ａがＲＯＭ４１ｂに格納されているプログラムに従って制御を実行するので、以下、メイン制御部４１（又はメインＣＰＵ４１ａ）が実行する（又は処理を行う）ということは、具体的には、メインＣＰＵ４１ａがプログラムに従って制御を実行することである。このことは、遊技制御基板４０以外の他の基板に搭載されているマイクロコンピュータについても同様である。
【００６３】
メイン制御部４１が備えるＲＯＭ４１ｂには、ゲーム制御用のユーザプログラムや固定データ等が記憶されている。また、ＲＯＭ４１ｂには、セキュリティチェックプログラムが記憶されている。メインＣＰＵ４１ａは、スロットマシン１の電源投入やシステムリセットの発生に応じてメイン制御部４１がセキュリティモードに移行したときに、ＲＯＭ４１ｂに記憶されたセキュリティチェックプログラムを読み出し、ＲＯＭ４１ｂの記憶内容が変更されたか否かを検査するセキュリティチェック処理を実行する。尚、セキュリティチェックプログラムは、ＲＯＭ４１ｂとは異なる内蔵メモリに記憶されてもよい。また、セキュリティチェックプログラムは、例えば外部バスインタフェースを介してメイン制御部４１に外付けされた外部メモリの記憶内容を検査するセキュリティチェック処理に対応したものであってもよい。
【００６４】
メイン制御部４１が備えるＲＡＭ４１ｃは、ゲーム制御用のワークエリアを提供する。ここで、ＲＡＭ４１ｃの少なくとも一部は、バックアップ電源によってバックアップされているバックアップＲＡＭであればよい。すなわち、スロットマシンへの電力供給が停止しても、所定期間はＲＡＭ４１ｃの少なくとも一部の内容が保存される。尚、本実施例では、ＲＡＭの全ての領域がバックアップＲＡＭ４１ｃとされており、スロットマシンへの電力供給が停止しても、所定期間はＲＡＭ４１ｃの全ての内容が保存される。
【００６５】
メイン制御部４１が備えるＲＯＭ４１ｂには、ゲーム制御用のユーザプログラムやセキュリティチェックプログラムの他に、ゲームの進行を制御するために用いられる各種の選択用データ、テーブルデータなどが格納される。例えば、ＲＯＭ４１ｂには、メインＣＰＵ４１ａが各種の判定や決定、設定を行うために用意された複数の判定テーブルや決定テーブル、設定テーブルなどを構成するデータが記憶されている。また、ＲＯＭ４１ｂには、メインＣＰＵ４１ａが遊技制御基板４０から各種の制御コマンドとなる制御信号を送信するために用いられる複数のコマンドテーブルを構成するテーブルデータなどが記憶されている。
【００６６】
メイン制御部４１が備えるＲＡＭ４１ｃには、スロットマシン１におけるゲームの進行などを制御するために用いられる各種のデータを保持する領域として、遊技制御用データ保持エリア５９０が設けられている。ＲＡＭ４１ｃとしては、例えばＤＲＡＭが使用されており、記憶しているデータ内容を維持するためのリフレッシュ動作が必要になる。メインＣＰＵ４１ａには、このリフレッシュ動作を行うためのリフレッシュレジスタが内蔵されている。例えば、リフレッシュレジスタは８ビットからなり、そのうち下位７ビットはメインＣＰＵ４１ａがＲＯＭ４１ｂから命令フェッチするごとに自動的にインクリメントされる。したがって、リフレッシュレジスタにおける格納値の更新は、メインＣＰＵ４１ａにおける１命令の実行時間ごとに行われることになる。
【００６７】
メイン制御部４１は、シリアル通信回路を介してサブ制御部９１に各種のコマンドを送信する。メイン制御部４１からサブ制御部９１へ送信されるコマンドは一方向のみで送られ、サブ制御部９１からメイン制御部４１へ向けてコマンドが送られることはない。
【００６８】
メイン制御部４１は、遊技制御基板４０に接続された各種スイッチ類の検出状態が入力ポートから入力される。そしてメイン制御部４１は、これら入力ポートから入力される各種スイッチ類の検出状態に応じて段階的に移行する基本処理を実行する。
【００６９】
また、メイン制御部４１は、割込の発生により基本処理に割り込んで割込処理を実行できるようになっている。本実施例では、ＣＴＣに含まれるタイマ回路にてタイムアウトが発生したこと、すなわち一定時間間隔（本実施例では、約０．５６ｍｓ）毎に後述するタイマ割込処理（メイン）を実行する。
【００７０】
また、メイン制御部４１は、割込処理の実行中に他の割込を禁止するように設定されているとともに、複数の割込が同時に発生した場合には、予め定められた順位によって優先して実行する割込が設定されている。尚、割込処理の実行中に他の割込要因が発生し、割込処理が終了してもその割込要因が継続している状態であれば、その時点で新たな割込が発生することとなる。
【００７１】
メイン制御部４１は、基本処理として遊技制御基板４０に接続された各種スイッチ類の検出状態が変化するまでは制御状態に応じた処理を繰り返しループし、各種スイッチ類の検出状態の変化に応じて段階的に移行する処理を実行する。また、メイン制御部４１は、一定時間間隔（本実施例では、約０．５６ｍｓ）毎にタイマ割込処理（メイン）を実行する。尚、タイマ割込処理（メイン）の実行間隔は、基本処理において制御状態に応じて繰り返す処理が一巡する時間とタイマ割込処理（メイン）の実行時間とを合わせた時間よりも長い時間に設定されており、今回と次回のタイマ割込処理（メイン）との間で必ず制御状態に応じて繰り返す処理が最低でも一巡することとなる。
【００７２】
演出制御基板９０には、演出用スイッチ５６が接続されており、この演出用スイッチ５６の検出信号が入力されるようになっている。
【００７３】
演出制御基板９０には、スロットマシン１の前面扉１ｂに配置された液晶表示器５１（図１参照）、演出効果ＬＥＤ５２、スピーカ５３、５４、前述したリールＬＥＤ５５等の演出装置が接続されており、これら演出装置は、演出制御基板９０に搭載された後述のサブ制御部９１による制御に基づいて駆動されるようになっている。
【００７４】
尚、本実施例では、演出制御基板９０に搭載されたサブ制御部９１により、液晶表示器５１、演出効果ＬＥＤ５２、スピーカ５３、５４、リールＬＥＤ５５等の演出装置の出力制御が行われる構成であるが、サブ制御部９１とは別に演出装置の出力制御を直接的に行う出力制御部を演出制御基板９０または他の基板に搭載し、サブ制御部９１がメイン制御部４１からのコマンドに基づいて演出装置の出力パターンを決定し、サブ制御部９１が決定した出力パターンに基づいて出力制御部が演出装置の出力制御を行う構成としても良く、このような構成では、サブ制御部９１及び出力制御部の双方によって演出装置の出力制御が行われることとなる。
【００７５】
また、本実施例では、演出装置として液晶表示器５１、演出効果ＬＥＤ５２、スピーカ５３、５４、リールＬＥＤ５５を例示しているが、演出装置は、これらに限られず、例えば、機械的に駆動する表示装置や機械的に駆動する役モノなどを演出装置として適用してもよい。
【００７６】
演出制御基板９０には、メイン制御部４１と同様にサブＣＰＵ９１ａ、ＲＯＭ９１ｂ、ＲＡＭ９１ｃ、Ｉ／Ｏポート９１ｄを備えたマイクロコンピュータにて構成され、演出の制御を行うサブ制御部９１、演出制御基板９０に接続された液晶表示器５１の表示制御を行う表示制御回路９２、演出効果ＬＥＤ５２、リールＬＥＤ５５の駆動制御を行うＬＥＤ駆動回路９３、スピーカ５３、５４からの音声出力制御を行う音声出力回路９４、電源投入時またはサブＣＰＵ９１ａからの初期化命令が一定時間入力されないときにサブＣＰＵ９１ａにリセット信号を与えるリセット回路９５、演出制御基板９０に接続された演出用スイッチ５６から入力された検出信号を検出するスイッチ検出回路９６、日付情報及び時刻情報を含む時間情報を出力する時計装置９７、スロットマシン１に供給される電源電圧を監視し、電圧低下を検出したときに、その旨を示す電圧低下信号をサブＣＰＵ９１ａに対して出力する電断検出回路９８、その他の回路等、が搭載されており、サブＣＰＵ９１ａは、遊技制御基板４０から送信されるコマンドを受けて、演出を行うための各種の制御を行うとともに、演出制御基板９０に搭載された制御回路の各部を直接的または間接的に制御する。
【００７７】
リセット回路９５は、遊技制御基板４０においてメイン制御部４１にシステムリセット信号を与えるリセット回路４９よりもリセット信号を解除する電圧が低く定められており、電源投入時においてサブ制御部９１は、メイン制御部４１よりも早い段階で起動するようになっている。一方で、電断検出回路９８は、遊技制御基板４０においてメイン制御部４１に電圧低下信号を出力する電断検出回路４８よりも電圧低下信号を出力する電圧が低く定められており、電断時においてサブ制御部９１は、メイン制御部４１よりも遅い段階で停電を検知し、後述する電断処理（サブ）を行うこととなる。
【００７８】
サブ制御部９１は、メイン制御部４１と同様に、割込機能を備えており、メイン制御部４１からのコマンド受信時に割込を発生させて、メイン制御部４１から送信されたコマンドを取得し、バッファに格納するコマンド受信割込処理を実行する。また、サブ制御部９１は、システムクロックの入力数が一定数に到達する毎、すなわち一定間隔毎に割込を発生させて後述するタイマ割込処理（サブ）を実行する。
【００７９】
また、サブ制御部９１は、メイン制御部４１とは異なり、コマンドの受信に基づいて割込が発生した場合には、タイマ割込処理（サブ）の実行中であっても、当該処理に割り込んでコマンド受信割込処理を実行し、タイマ割込処理（サブ）の契機となる割込が同時に発生してもコマンド受信割込処理を最優先で実行するようになっている。
【００８０】
また、サブ制御部９１にも、停電時においてバックアップ電源が供給されており、バックアップ電源が供給されている間は、ＲＡＭ９１ｃに記憶されているデータが保持されるようになっている。
【００８１】
［設定値について］
本実施例のスロットマシン１は、設定値に応じてメダルの払出率が変わるものである。詳しくは、後述する内部抽選において設定値に応じた当選確率を用いることにより、メダルの払出率が変わるようになっている。設定値は１〜６の６段階からなり、６が最も払出率が高く、５、４、３、２、１の順に値が小さくなるほど払出率が低くなる。すなわち設定値として６が設定されている場合には、遊技者にとって最も有利度が高く、５、４、３、２、１の順に値が小さくなるほど有利度が段階的に低くなる。
【００８２】
設定値を変更するためには、設定キースイッチ３７をｏｎ状態としてからスロットマシン１の電源をｏｎする必要がある。設定キースイッチ３７をｏｎ状態として電源をｏｎすると、設定値表示器２４にＲＡＭから読み出された設定値が表示値として表示され、リセット／設定スイッチ３８の操作による設定値の変更操作が可能な設定変更状態に移行する。設定変更状態において、リセット／設定スイッチ３８が操作されると、設定値表示器２４に表示された表示値が１ずつ更新されていく（設定６からさらに操作されたときは、設定１に戻る）。そして、スタートスイッチ７が操作されると表示値を設定値として確定する。そして、設定キースイッチ３７がｏｆｆされると、確定した表示値（設定値）がメイン制御部４１のＲＡＭに格納され、遊技の進行が可能な状態に移行する。
【００８３】
また、設定値を確認するためには、ゲーム終了後、賭数が設定されていない状態で設定キースイッチ３７をｏｎ状態とすればよい。このような状況で設定キースイッチ３７をｏｎ状態とすると、設定値表示器２４にＲＡＭから読み出された設定値が表示されることで設定値を確認可能な設定確認状態に移行する。設定確認状態においては、ゲームの進行が不能であり、設定キースイッチ３７をｏｆｆ状態とすることで、設定確認状態が終了し、ゲームの進行が可能な状態に復帰することとなる。
【００８４】
［電断処理について］
本実施例のスロットマシン１においては、メイン制御部４１は、タイマ割込処理（メイン）を実行する毎に、電断検出回路４８からの電圧低下信号が検出されているか否かを判定する停電判定処理を行い、停電判定処理において電圧低下信号が検出されていると判定した場合に、電断処理（メイン）を実行する。電断処理（メイン）では、レジスタを後述するＲＡＭのスタックに退避し、ＲＡＭにいずれかのビットが１となる破壊診断用データ（本実施例では、５ＡＨ）、すなわち０以外の特定のデータを格納するとともに、ＲＡＭの全ての領域に格納されたデータに基づくＲＡＭパリティが０となるようにＲＡＭパリティ調整用データを計算し、ＲＡＭに格納する処理を行うようになっている。尚、ＲＡＭパリティとはＲＡＭの該当する領域（本実施例では、全ての領域）の各ビットに格納されている値の排他的論理和として算出される値である。このため、ＲＡＭの全ての領域に格納されたデータに基づくＲＡＭパリティが０であれば、ＲＡＭパリティ調整用データは０となり、ＲＡＭの全ての領域に格納されたデータに基づくＲＡＭパリティが１であれば、ＲＡＭパリティ調整用データは１となる。
【００８５】
そして、メイン制御部４１は、システムリセットによるかユーザリセットによるかに関わらず、その起動時においてＲＡＭの全ての領域に格納されたデータに基づいてＲＡＭパリティを計算するとともに、破壊診断用データの値を確認し、ＲＡＭパリティが０であり、かつ破壊診断用データの値も正しいことを条件に、ＲＡＭに記憶されているデータに基づいてメイン制御部４１の処理状態を電断前の状態に復帰させるが、ＲＡＭパリティが０でない場合（１の場合）や破壊診断用データの値が正しくない場合には、ＲＡＭ異常と判定し、ＲＡＭ異常エラーコードをレジスタにセットしてＲＡＭ異常エラー状態に制御し、遊技の進行を不能化させるようになっている。尚、ＲＡＭ異常エラー状態は、通常のエラー状態と異なり、リセットスイッチ２３やリセット／設定スイッチ３８を操作しても解除されないようになっており、前述した設定変更状態において新たな設定値が設定されるまで解除されることがない。
【００８６】
尚、本実施例では、ＲＡＭに格納されている全てのデータが停電時においてもバックアップ電源により保持されるとともに、メイン制御部４１は、電源投入時においてＲＡＭのデータが正常であると判定した場合に、ＲＡＭの格納データに基づいて電断前の制御状態に復帰する構成であるが、ＲＡＭに格納されているデータのうち停電時において制御状態の復帰に必要なデータのみをバックアップし、電源投入時においてバックアップされているデータに基づいて電断前の制御状態に復帰する構成としてもよい。
【００８７】
また、電源投入時において電断前の制御状態に復帰させる際に、全ての制御状態を電断前の制御状態に復帰させる必要はなく、遊技者に対して不利益とならない最低限の制御状態を復帰させる構成であれば良く、例えば、入力ポートの状態などを全て電断前の状態に復帰させる必要はない。
【００８８】
［初期化について］
次に、メイン制御部４１のＲＡＭ４１ｃの初期化について説明する。メイン制御部４１のＲＡＭ４１ｃの格納領域は、重要ワーク、非保存ワーク、一般ワーク、特別ワーク、未使用領域、スタック領域に区分されている。
【００８９】
重要ワークは、各種表示器やＬＥＤの表示用データ、Ｉ／Ｏの入出力データ、遊技時間の計時カウンタ等、初期化すると不都合があるデータに加え、後述するＲＴフラグ及びＲＴ残りゲーム数が格納されるワークである。非保存ワークは、各種スイッチ類の状態を保持するワークであり、起動時にＲＡＭのデータが破壊されているか否かに関わらず必ず値が設定されることとなる。一般ワークは、停止制御テーブル、停止図柄、メダルの払出枚数、ＢＢ中のメダル払出総数、後述する遊技状態フラグ等、ＢＢ終了時に初期化可能なデータが格納されるワークである。特別ワークは、各種ソフトウェア乱数等、設定開始前にのみ初期化されるデータが格納されるワークである。未使用領域は、ＲＡＭの格納領域のうち使用していない領域であり、後述する複数の初期化条件のいずれか１つでも成立すれば初期化されることとなる。スタック領域は、メイン制御部４１のレジスタから退避したデータが格納される領域であり、このうちの未使用スタック領域は、未使用領域と同様に、後述する複数の初期化条件のいずれか１つでも成立すれば初期化されることとなるが、使用中スタック領域は、プログラムの続行のため、初期化されることはない。
【００９０】
本実施例においてメイン制御部４１は、設定キースイッチ３７がｏｎの状態での起動時、ＲＡＭ異常エラー発生時、ＢＢ終了時、設定キースイッチ３７がｏｆｆの状態での起動時でＲＡＭのデータが破壊されていないとき、１ゲーム終了時の５つからなる初期化条件が成立した際に、各初期化条件に応じて初期化される領域の異なる４種類の初期化を行う。
【００９１】
初期化１は、起動時において設定キースイッチ３７がｏｎの状態であり、設定変更状態へ移行する場合において、その前に行う初期化、またはＲＡＭ異常エラー発生時に行う初期化であり、初期化１では、ＲＡＭの格納領域のうち、重要ワーク及び使用中スタック領域を除く全ての領域（未使用領域及び未使用スタック領域を含む）、すなわち非保存ワークから未使用スタック領域までの領域が初期化される。初期化２は、ＢＢ終了時に行う初期化であり、初期化２では、ＲＡＭの格納領域のうち、一般ワーク、未使用領域及び未使用スタック領域、すなわち一般ワークから未使用スタック領域までの領域が初期化される。初期化３は、起動時において設定キースイッチ３７がｏｆｆの状態であり、かつＲＡＭのデータが破壊されていない場合において行う初期化であり、初期化３では、非保存ワーク、未使用領域及び未使用スタック領域が初期化される。初期化４は、１ゲーム終了時に行う初期化であり、初期化４では、ＲＡＭの格納領域のうち、未使用領域及び未使用スタック領域が初期化される。
【００９２】
尚、本実施例では、初期化１を設定変更状態の移行前に行っているが、設定変更状態の終了時に行ったり、設定変更状態移行前、設定変更状態終了時の双方で行うようにしてもよい。
【００９３】
このように本実施例では、電源投入時などにＲＡＭ異常エラーが発生した場合には、初期化１が実行され、それ以前の制御状態が初期化されることとなるが、この際、重要ワークに割り当てられてられたＲＴフラグやＲＴ残りゲーム数は初期化されることなく保持されるようになっている。一方で、一般ワークに割り当てられた遊技状態フラグについては、初期化１が実行されることに伴って初期化されることとなる。
【００９４】
［遊技の流れについて］
本実施例のスロットマシン１は、前述のように遊技状態（通常、内部中、ＢＢ（ＲＢ））に応じて設定可能な賭数の規定数が定められており、遊技状態に応じて定められた規定数の賭数が設定されたことを条件にゲームを開始させることが可能となる。尚、本実施例では、遊技状態に応じた規定数の賭数が設定された時点で、入賞ラインＬＮが有効化される。
【００９５】
本実施例のスロットマシン１は、全てのリール２Ｌ、２Ｃ、２Ｒが停止した際に、有効化された入賞ライン（本実施例の場合、常に全ての入賞ラインが有効化されるため、以下では、有効化された入賞ラインを単に入賞ラインと呼ぶ）上に役と呼ばれる図柄の組み合わせが揃うと入賞となる。役は、同一図柄の組み合わせであってもよいし、異なる図柄を含む組み合わせであってもよい。入賞となる役の種類は、遊技状態に応じて定められているが、大きく分けて、メダルの払い出しを伴う小役と、賭数の設定を必要とせずに次のゲームを開始可能となる再遊技役と、遊技者にとって有利な遊技状態への移行を伴う特別役と、がある。以下では、小役と再遊技役をまとめて一般役とも呼ぶ。特別役または一般役のうちいずれかに当選すると、当該当選した役を特定することができる当選フラグがＲＡＭ４１ｃに格納される。遊技状態に応じて定められた各役の入賞が発生するためには、後述する内部抽選に当選して、当該役の当選フラグがＲＡＭ４１ｃに設定されている必要がある。
【００９６】
尚、これら各役の当選フラグのうち、小役及び再遊技役の当選フラグは、当該フラグが設定されたゲームにおいてのみ有効とされ、次のゲームでは無効となるが、特別役の当選フラグは、当該フラグにより許容された役の組み合わせが揃うまで有効とされ、許容された役の組み合わせが揃ったゲームにおいて無効となる。すなわち特別役の当選フラグが一度当選すると、例え、当該フラグにより許容された役の組み合わせを揃えることができなかった場合にも、その当選フラグは無効とされずに、次のゲームへ持ち越されることとなる。
【００９７】
以下、本実施例の内部抽選について説明する。内部抽選は、上記した各役への入賞を許容するか否かを、全てのリール２Ｌ、２Ｃ、２Ｒの表示結果が導出表示される以前に（実際には、スタートスイッチ７の操作検出時）決定するものである。内部抽選では、まず、スタートスイッチ７の検出時に内部抽選用の乱数値（０〜６５５３５の整数）を取得する。詳しくは、ＲＡＭに割り当てられた乱数値格納ワークの値を同じくＲＡＭに割り当てられた抽選用ワークに設定する。そして、遊技状態及び特別役の持ち越しの有無に応じて定められた各役について、抽選用ワークに格納された数値データと、遊技状態を特定するための遊技状態フラグの値、後述するＲＴを特定するためのＲＴフラグの値、賭数及び設定値に応じて定められた各役の判定値数に応じて行われる。
【００９８】
乱数値格納ワークは、スタートスイッチ７の操作と同時にラッチされた数値データが格納される記憶領域であり、新たな数値データがラッチされる毎に、ラッチされた数値データがその後のタイマ割込処理（メイン）において読み出され、乱数値格納ワークに格納された数値データが新たにラッチされた最新の数値データに更新されるようになっている。
【００９９】
内部抽選では、内部抽選の対象となる役、現在の遊技状態フラグ値、ＲＴフラグ値及び設定値に対応して定められた判定値数を、内部抽選用の乱数値（抽選用ワークに格納された数値データ）に順次加算し、加算の結果がオーバーフローしたときに、当該役に当選したものと判定される。このため、判定値数の大小に応じた確率（判定値数／６５５３６）で役が当選することとなる。
【０１００】
そして、いずれかの役の当選が判定された場合には、当選が判定された役に対応する当選フラグをＲＡＭに割り当てられた内部当選フラグ格納ワークに設定する。内部当選フラグ格納ワークは、２バイトの格納領域にて構成されており、そのうちの上位バイトが、特別役の当選フラグが設定される特別役格納ワークとして割り当てられ、下位バイトが、一般役の当選フラグが設定される一般役格納ワークとして割り当てられている。詳しくは、特別役が当選した場合には、当該特別役が当選した旨を示す特別役の当選フラグを特別役格納ワークに設定し、一般役格納ワークに設定されている当選フラグをクリアする。また、一般役が当選した場合には、当該一般役が当選した旨を示す一般役の当選フラグを一般役格納ワークに設定する。尚、いずれの役及び役の組み合わせにも当選しなかった場合には、一般役格納ワークのみクリアする。
【０１０１】
次に、リール２Ｌ、２Ｃ、２Ｒの停止制御について説明する。メイン制御部４１は、リールの回転が開始したとき、及びリールが停止しかつ未だ回転中のリールが残っているときに、ＲＯＭ４１ｂに格納されているテーブルインデックス及びテーブル作成用データを参照して、回転中のリール別に停止制御テーブルを作成する。そして、ストップスイッチ８Ｌ、８Ｃ、８Ｒのうち、回転中のリールに対応するいずれかの操作が有効に検出されたときに、該当するリールの停止制御テーブルを参照し、参照した停止制御テーブルの滑りコマ数に基づいて、操作されたストップスイッチ８Ｌ、８Ｃ、８Ｒに対応するリール２Ｌ、２Ｃ、２Ｒの回転を停止させる制御を行う。
【０１０２】
テーブルインデックスには、内部抽選による当選フラグの設定状態（以下、内部当選状態と呼ぶ）別に、テーブルインデックスを参照する際の基準アドレスから、テーブル作成用データが格納された領域の先頭アドレスを示すインデックスデータが格納されているアドレスまでの差分が登録されている。これにより内部当選状態に応じた差分を取得し、基準アドレスに対してその差分を加算することで該当するインデックスデータを取得することが可能となる。尚、役の当選状況が異なる場合でも、同一の制御が適用される場合においては、インデックスデータとして同一のアドレスが格納されており、このような場合には、同一のテーブル作成用データを参照して、停止制御テーブルが作成されることとなる。
【０１０３】
テーブル作成用データは、停止操作位置に応じた滑りコマ数を示す停止制御テーブルと、リールの停止状況に応じて参照すべき停止制御テーブルのアドレスと、からなる。リールの停止状況に応じて参照される停止制御テーブルは、全てのリールが回転しているか、左リールのみ停止しているか、中リールのみ停止しているか、右リールのみ停止しているか、左、中リールが停止しているか、左、右リールが停止しているか、中、右リールが停止しているか、によって異なる場合があり、更に、いずれかのリールが停止している状況においては、停止済みのリールの停止位置によっても異なる場合があるので、それぞれの状況について、参照すべき停止制御テーブルのアドレスが回転中のリール別に登録されており、テーブル作成用データの先頭アドレスに基づいて、それぞれの状況に応じて参照すべき停止制御テーブルのアドレスが特定可能とされ、この特定されたアドレスから、それぞれの状況に応じて必要な停止制御テーブルを特定できるようになっている。尚、リールの停止状況や停止済みのリールの停止位置が異なる場合でも、同一の停止制御テーブルが適用される場合においては、停止制御テーブルのアドレスとして同一のアドレスが登録されているものもあり、このような場合には、同一の停止制御テーブルが参照されることとなる。
【０１０４】
停止制御テーブルは、停止操作が行われたタイミング別の滑りコマ数を特定可能なデータである。本実施例では、リールモータ３２Ｌ、３２Ｃ、３２Ｒに、３３６ステップ（０〜１６７）の周期で１周するステッピングモータを用いている。すなわちリールモータ３２Ｌ、３２Ｃ、３２Ｒを１６８ステップ駆動させることでリール２Ｌ、２Ｃ、２Ｒが１周することとなる。そして、リール１周に対して１６ステップ（１図柄が移動するステップ数）毎に分割した２１の領域（コマ）が定められており、これらの領域には、リール基準位置から０〜２０の領域番号が割り当てられている。一方、１リールに配列された図柄数も２１であり、各リールの図柄に対して、リール基準位置から０〜２０の図柄番号が割り当てられているので、０番図柄から２０番図柄に対して、それぞれ０〜２０の領域番号が順に割り当てられていることとなる。そして、停止制御テーブルには、領域番号別の滑りコマ数が所定のルールで圧縮して格納されており、停止制御テーブルを展開することによって領域番号別の滑りコマ数を取得できるようになっている。
【０１０５】
前述のようにテーブルインデックス及びテーブル作成用データを参照して作成される停止制御テーブルは、領域番号に対応して、各領域番号に対応する領域が停止基準位置（本実施例では、透視窓３の下段図柄の領域）に位置するタイミング（リール基準位置からのステップ数が各領域番号のステップ数の範囲に含まれるタイミング）でストップスイッチ８Ｌ、８Ｃ、８Ｒの操作が検出された場合の滑りコマ数がそれぞれ設定されたテーブルである。
【０１０６】
次に、停止制御テーブルの作成手順について説明すると、まず、リール回転開始時においては、そのゲームの内部当選状態に応じたテーブル作成用データの先頭アドレスを取得する。具体的には、まずテーブルインデックスを参照し、内部当選状態に対応するインデックスデータを取得し、そして取得したインデックスデータに基づいてテーブル作成用データを特定し、特定したテーブル作成用データから全てのリールが回転中の状態に対応する各リールの停止制御テーブルのアドレスを取得し、取得したアドレスに格納されている各リールの停止制御テーブルを展開して全てのリールについて停止制御テーブルを作成する。
【０１０７】
また、いずれか１つのリールが停止したとき、またはいずれか２つのリールが停止したときには、リール回転開始時に取得したインデックスデータ、すなわちそのゲームの内部当選状態に応じたテーブル作成用データの先頭アドレスに基づいてテーブル作成用データを特定し、特定したテーブル作成用データから停止済みのリール及び当該リールの停止位置の領域番号に対応する未停止リールの停止制御テーブルのアドレスを取得し、取得したアドレスに格納されている各リールの停止制御テーブルを展開して未停止のリールについて停止制御テーブルを作成する。
【０１０８】
次に、メイン制御部４１がストップスイッチ８Ｌ、８Ｃ、８Ｒのうち、回転中のリールに対応するいずれかの操作を有効に検出したときに、該当するリールに表示結果を導出させる際の制御について説明すると、ストップスイッチ８Ｌ、８Ｃ、８Ｒのうち、回転中のリールに対応するいずれかの操作を有効に検出すると、停止操作を検出した時点のリール基準位置からのステップ数に基づいて停止操作位置の領域番号を特定し、停止操作が検出されたリールの停止制御テーブルを参照し、特定した停止操作位置の領域番号に対応する滑りコマ数を取得する。そして、取得した滑りコマ数分リールを回転させて停止させる制御を行う。具体的には、停止操作を検出した時点のリール基準位置からのステップ数から、取得した滑りコマ数引き込んで停止させるまでのステップ数を算出し、算出したステップ数分リールを回転させて停止させる制御を行う。これにより、停止操作が検出された停止操作位置の領域番号に対応する領域から滑りコマ数分先の停止位置となる領域番号に対応する領域が停止基準位置（本実施例では、透視窓３の下段図柄の領域）に停止することとなる。
【０１０９】
本実施例のテーブルインデックスには、一の遊技状態における一の内部当選状態に対応するインデックスデータとして１つのアドレスのみが格納されており、更に、一のテーブル作成用データには、一のリールの停止状況（及び停止済みのリールの停止位置）に対応する停止制御テーブルの格納領域のアドレスとして１つのアドレスのみが格納されている。すなわち一の遊技状態における一の内部当選状態に対応するテーブル作成用データ、及びリールの停止状況（及び停止済みのリールの停止位置）に対応する停止制御テーブルが一意的に定められており、これらを参照して作成される停止制御テーブルも、一の遊技状態における一の内部当選状態、及びリールの停止状況（及び停止済みのリールの停止位置）に対して一意となる。このため、遊技状態、内部当選状態、リールの停止状況（及び停止済みのリールの停止位置）の全てが同一条件となった際に、同一の停止制御テーブル、すなわち同一の制御パターンに基づいてリールの停止制御が行われることとなる。
【０１１０】
また、本実施例では、滑りコマ数として０〜４の値が定められており、停止操作を検出してから最大４コマ図柄を引き込んでリールを停止させることが可能である。すなわち停止操作を検出した停止操作位置を含め、最大５コマの範囲から図柄の停止位置を指定できるようになっている。また、１図柄分リールを移動させるのに１コマの移動が必要であるので、停止操作を検出してから最大４図柄を引き込んでリールを停止させることが可能であり、停止操作を検出した停止操作位置を含め、最大５図柄の範囲から図柄の停止位置を指定できることとなる。
【０１１１】
本実施例では、いずれかの役に当選している場合には、当選役を入賞ライン上に４コマの範囲で最大限引き込み、当選していない役が入賞ライン上に揃わないように引き込む滑りコマ数が定められた停止制御テーブルを作成し、リールの停止制御を行う一方、いずれの役にも当選していない場合には、いずれの役も揃わない滑りコマ数が定められた停止制御テーブルを作成し、リールの停止制御を行う。これにより、停止操作が行われた際に、入賞ライン上に最大４コマの引込範囲で当選している役を揃えて停止させることができれば、これを揃えて停止させる制御が行われ、当選していない役は、最大４コマの引込範囲でハズシて停止させる制御が行われることとなる。
【０１１２】
特別役が前ゲーム以前から持ち越されている状態で小役が当選した場合など、特別役と小役が同時に当選している場合には、当選した小役を入賞ラインに４コマの範囲で最大限に引き込むように滑りコマ数が定められているとともに、当選した小役を入賞ラインに最大４コマの範囲で引き込めない停止操作位置については、当選した特別役を入賞ラインに４コマの範囲で最大限に引き込むように滑りコマ数が定められた停止制御テーブルを作成し、リールの停止制御を行う。これにより、停止操作が行われた際に、入賞ライン上に最大４コマの引込範囲で当選している小役を揃えて停止させることができれば、これを揃えて停止させる制御が行われ、入賞ライン上に最大４コマの引込範囲で当選している小役を引き込めない場合には、入賞ライン上に最大４コマの引込範囲で当選している特別役を揃えて停止させることができれば、これを揃えて停止させる制御が行われ、当選していない役は、４コマの引込範囲でハズシて停止させる制御が行われることとなる。すなわちこのような場合には、特別役よりも小役を入賞ライン上に揃える制御が優先され、小役を引き込めない場合にのみ、特別役を入賞させることが可能となる。尚、特別役と小役を同時に引き込める場合には、小役のみを引き込み、特別役と同時に小役が入賞ライン上に揃わないようになっている。
【０１１３】
尚、本実施例では、特別役が前ゲーム以前から持ち越されている状態で小役が当選した場合や新たに特別役と小役が同時に当選した場合など、特別役と小役が同時に当選している場合には、当選した特別役よりも当選した小役が優先され、小役が引き込めない場合のみ、特別役を入賞ライン上に揃える制御を行っているが、特別役と小役が同時に当選している場合に、小役よりも特別役を入賞ライン上に揃える制御が優先され、特別役を引き込めない場合にのみ、小役を入賞ライン上に揃える制御を行ってもよい。
【０１１４】
特別役が前ゲーム以前から持ち越されている状態で再遊技役が当選した場合など、特別役と再遊技役が同時に当選している場合には、停止操作が行われた際に、入賞ライン上に最大４コマの引込範囲で再遊技役の図柄を揃えて停止させる制御が行われる。尚、この場合、再遊技役を構成する図柄または同時当選する再遊技役を構成する図柄は、リール２Ｌ、２Ｃ、２Ｒのいずれについても５図柄以内、すなわち４コマ以内の間隔で配置されており、４コマの引込範囲で必ず任意の位置に停止させることができるので、特別役と再遊技役が同時に当選している場合には、遊技者によるストップスイッチ８Ｌ、８Ｃ、８Ｒの操作タイミングに関わらずに、必ず再遊技役が揃って入賞することとなる。すなわちこのような場合には、特別役よりも再遊技役を入賞ライン上に揃える制御が優先され、必ず再遊技役が入賞することとなる。尚、特別役と再遊技役を同時に引き込める場合には、再遊技役のみを引き込み、再遊技役と同時に特別役が入賞ライン上に揃わないようになっている。
【０１１５】
本実施例においてメイン制御部４１は、リール２Ｌ、２Ｃ、２Ｒの回転が開始した後、ストップスイッチ８Ｌ、８Ｃ、８Ｒの操作が検出されるまで、停止操作が未だ検出されていないリールの回転を継続し、ストップスイッチ８Ｌ、８Ｃ、８Ｒの操作が検出されたことを条件に、対応するリールに表示結果を停止させる制御を行うようになっている。尚、リール回転エラーの発生により、一時的にリールの回転が停止した場合でも、その後リール回転が再開した後、ストップスイッチ８Ｌ、８Ｃ、８Ｒの操作が検出されるまで、停止操作が未だ検出されていないリールの回転を継続し、ストップスイッチ８Ｌ、８Ｃ、８Ｒの操作が検出されたことを条件に、対応するリールに表示結果を停止させる制御を行うようになっている。
【０１１６】
尚、本実施例では、ストップスイッチ８Ｌ、８Ｃ、８Ｒの操作が検出されたことを条件に、対応するリールに表示結果を停止させる制御を行うようになっているが、リールの回転が開始してから、予め定められた自動停止時間が経過した場合に、リールの停止操作がなされない場合でも、停止操作がなされたものとみなして自動的に各リールを停止させる自動停止制御を行うようにしてもよい。この場合には、遊技者の操作を介さずにリールが停止することとなるため、例え、いずれかの役が当選している場合でもいずれの役も構成しない表示結果を導出させることが好ましい。
【０１１７】
［コマンドについて］
次に、メイン制御部４１がサブ制御部９１に対して送信するコマンドについて説明する。本実施例では、メイン制御部４１がサブ制御部９１に対して、ＢＥＴコマンド、クレジットコマンド、内部当選コマンド、フリーズコマンド、フリーズ実行可否コマンド、リール回転開始コマンド、リール停止コマンド、入賞判定コマンド、払出開始コマンド、払出終了コマンド、遊技状態コマンド、待機コマンド、打止コマンド、エラーコマンド、復帰コマンド、設定コマンド、設定確認コマンド、ドアコマンド、操作検出コマンドを含む複数種類のコマンドを送信する。
【０１１８】
これらコマンドは、コマンドの種類を示す１バイトの種類データとコマンドの内容を示す１バイトの拡張データとからなり、サブ制御部９１は、種類データからコマンドの種類を判別できるようになっている。
【０１１９】
ＢＥＴコマンドは、メダルの投入枚数、すなわち賭数の設定に使用されたメダル枚数を特定可能なコマンドであり、ゲーム終了後（設定変更後）からゲーム開始までの状態であり、規定数の賭数が設定されていない状態において、メダルが投入されるか、ＭＡＸＢＥＴスイッチ６が操作されて賭数が設定されたときに送信される。また、ＢＥＴコマンドは、賭数の設定操作がなされたときに送信されるので、ＢＥＴコマンドを受信することで賭数の設定操作がなされたことを特定可能である。
【０１２０】
クレジットコマンドは、クレジットとして記憶されているメダル枚数を特定可能なコマンドであり、ゲーム終了後（設定変更後）からゲーム開始までの状態であり、規定数の賭数が設定されている状態において、メダルが投入されてクレジットが加算されたときに送信される。
【０１２１】
内部当選コマンドは、内部当選フラグの当選状況、並びに成立した内部当選フラグの種類を特定可能なコマンドであり、スタートスイッチ７が操作されてゲームが開始したときに送信される。また、内部当選コマンドは、スタートスイッチ７が操作されたときに送信されるので、内部当選コマンドを受信することでスタートスイッチ７が操作されたことを特定可能である。
【０１２２】
フリーズコマンド（図１８のＳ４１８参照）は、後述するフリーズ状態に制御する旨が決定された場合に、フリーズ状態に制御するか否か及びフリーズ状態に制御する場合にはそのタイミングを示すコマンドであり、後述するフリーズ抽選の終了時に送信される。
【０１２３】
フリーズ実行可否コマンドは、図１８のＳ４０６で実行されるフリーズ抽選の結果（フリーズ当選かフリーズ非当選か）を特定できるコマンドである。
【０１２４】
リール回転開始コマンドは、リールの回転の開始を通知するコマンドであり、リール２Ｌ、２Ｃ、２Ｒの回転が開始されたときに送信される。
【０１２５】
リール停止コマンドは、停止するリールが左リール、中リール、右リールのいずれかであるか、該当するリールの停止操作位置の領域番号、該当するリールの停止位置の領域番号、を特定可能なコマンドであり、各リールの停止操作に伴う停止制御が行われる毎に送信される。また、リール停止コマンドは、ストップスイッチ８Ｌ、８Ｃ、８Ｒが操作されたときに送信されるので、リール停止コマンドを受信することでストップスイッチ８Ｌ、８Ｃ、８Ｒが操作されたことを特定可能である。
【０１２６】
入賞判定コマンドは、入賞ラインＬＮに揃った図柄の組み合わせ、入賞の有無、並びに入賞の種類、入賞時のメダルの払出枚数を特定可能なコマンドであり、全リールが停止して入賞判定が行われた後に送信される。
【０１２７】
払出開始コマンドは、メダルの払出開始を通知するコマンドであり、入賞やクレジット（賭数の設定に用いられたメダルを含む）の精算によるメダルの払出が開始されたときに送信される。また、払出終了コマンドは、メダルの払出終了を通知するコマンドであり、入賞及びクレジットの精算によるメダルの払出が終了したときに送信される。
【０１２８】
遊技状態コマンドは、次ゲームの遊技状態及びＲＴの種類、ＲＴの残りゲーム数を特定可能なコマンドであり、ゲームの終了時に送信される。
【０１２９】
待機コマンドは、待機状態へ移行する旨を示すコマンドであり、１ゲーム終了後、賭数が設定されずに一定時間経過して待機状態に移行するとき、クレジット（賭数の設定に用いられたメダルを含む）の精算によるメダルの払出が終了し、払出終了コマンドが送信された後に送信される。
【０１３０】
打止コマンドは、打止状態の発生または解除を示すコマンドであり、ＢＢ終了後、エンディング演出待ち時間が経過した時点で打止状態の発生を示す打止コマンドが送信され、リセット操作がなされて打止状態が解除された時点で、打止状態の解除を示す打止コマンドが送信される。
【０１３１】
エラーコマンドは、エラー状態の発生または解除、エラー状態の種類を示すコマンドであり、エラーが判定され、エラー状態に制御された時点でエラー状態の発生及びその種類を示すエラーコマンドが送信され、リセット操作がなされてエラー状態が解除された時点で、エラー状態の解除を示すエラーコマンドが送信される。
【０１３２】
復帰コマンドは、メイン制御部４１が電断前の制御状態に復帰した旨を示すコマンドであり、メイン制御部４１の起動時において電断前の制御状態に復帰した際に送信される。
【０１３３】
設定コマンドは、設定変更状態の開始または終了、設定変更後設定値を示すコマンドであり、設定変更状態に移行する時点で設定変更状態の開始を示す設定コマンドが送信され、設定変更状態の終了時に設定変更状態の終了及び設定変更後の設定値を示す設定コマンドが送信される。また、設定変更状態への移行に伴ってメイン制御部４１の制御状態が初期化されるため、設定開始を示す設定コマンドによりメイン制御部４１の制御状態が初期化されたことを特定可能である。
【０１３４】
設定確認コマンドは、設定確認状態の開始または終了を示すコマンドであり、設定確認状態に移行する際に設定確認開始を示す設定確認コマンドが送信され、設定確認状態の終了時に設定確認終了を示す設定確認コマンドが送信される。
【０１３５】
ドアコマンドは、ドア開放検出スイッチ２５の検出状態、すなわちｏｎ（開放状態）／ｏｆｆ（閉状態）を示すコマンドであり、電源投入時、１ゲーム終了時（ゲーム終了後、次のゲームの賭数の設定が開始可能となる前までの時点）、ドア開放検出スイッチ２５の検出状態が変化（ｏｎからｏｆｆ、ｏｆｆからｏｎ）した時に送信される。
【０１３６】
操作検出コマンドは、操作スイッチ類（ＭＡＸＢＥＴスイッチ６、スタートスイッチ７、ストップスイッチ８Ｌ、８Ｃ、８Ｒ）のうち検出状態（ｏｎ／ｏｆｆ）が変化したスイッチ、検出状態がｏｆｆからｏｎに変化したのか、ｏｎからｏｆｆに変化したのか及び他のスイッチの検出状態（ｏｎ／ｏｆｆ）を示すコマンドであり、これら操作スイッチ類のいずれかの検出状態が変化したときに送信される。
【０１３７】
これらコマンドのうちドアコマンド及び操作検出コマンド以外のコマンドは、基本処理において生成され、非初期化領域に割り当てられたコマンドバッファ内のコマンドデータを新たに生成したコマンドデータに更新するとともに、シリアル通信回路の送信データレジスタに転送することで、サブ制御部９１に送信される。
【０１３８】
一方、ドアコマンドは、タイマ割込処理（メイン）のドア監視処理において生成され、ドアコマンド格納領域に格納される。ドアコマンド格納領域には、電源投入時または１ゲーム終了時にその時点のドア開放検出スイッチ２５の検出状態を示すドアコマンドが格納され、ドア開放検出スイッチ２５の検出状態が変化した時にその変化後の検出状態を示すドアコマンドが格納される。また、ドアコマンド格納領域に格納されたドアコマンドは、当該ドアコマンドが送信された後もクリアされることがなく、その後、新たに格納されるドアコマンドによって上書きされるようになっている。尚、電源投入時または１ゲーム終了時には、ドアコマンド格納領域に格納されているドアコマンドの送信を要求するドアコマンド送信要求１が設定され、ドアコマンド送信要求１が設定されているか、ドア開放検出スイッチ２５の検出状態が変化したときに、ドアコマンド送信要求２が設定されるようになっており、このドアコマンド送信要求２が設定されることによりドアコマンド格納領域に格納されているドアコマンドの送信が命令され、その後実行されるタイマ割込処理（メイン）のコマンド送信処理において、コマンドバッファに格納され、シリアル通信回路に転送することで、サブ制御部９１に送信される。
【０１３９】
また、操作検出コマンドは、タイマ割込処理（メイン）のスイッチ入力判定処理において、いずれかのスイッチの検出状態の変化が検出された場合（いずれかのスイッチのエッジデータが設定された場合）に生成され、操作検出コマンド格納領域に格納されるとともに、操作検出コマンド送信要求が設定されることにより操作検出コマンド格納領域に格納されている操作検出コマンドの送信が命令され、その後実行されるタイマ割込処理（メイン）のコマンド送信処理において、コマンドバッファに格納され、シリアル通信回路に転送することで、サブ制御部９１に送信される。
【０１４０】
前述のようにドアコマンドも操作検出コマンドもともにタイマ割込処理（メイン）のコマンド設定処理においてコマンドバッファに格納され、シリアル通信回路に転送することで、サブ制御部９１に送信されることとなるが、ドアコマンド送信要求２が設定されている場合、すなわちドアコマンドの送信が要求されている場合には、例え、操作検出コマンドの送信が要求されていても、ドアコマンドの送信を優先するようになっており、ドアコマンド送信要求２が設定されていない場合のみ操作検出コマンドが送信されることとなるため、ドアコマンド送信要求２と操作検出コマンド送信要求の双方が設定されている場合には、当該コマンド送信処理では、ドアコマンドが送信され、次回以降のコマンド送信処理において操作検出コマンドが送信されることとなる。
【０１４１】
次に、メイン制御部４１が演出制御基板９０に対して送信するコマンドに基づいてサブ制御部９１が実行する演出の制御について説明する。サブ制御部９１は、メイン制御部４１からのコマンドを受信した際に、コマンド受信割込処理を実行する。コマンド受信割込処理では、ＲＡＭ９１ｃに設けられた受信用バッファに、コマンド伝送ラインから取得したコマンドを格納する。受信用バッファには、最大で１６個のコマンドを格納可能な領域が設けられており、複数のコマンドを蓄積できるようになっている。
【０１４２】
サブ制御部９１は、タイマ割込処理（サブ）において、受信用バッファに未処理のコマンドが格納されているか否かを判定し、未処理のコマンドが格納されている場合には、そのうち最も早い段階で受信したコマンドに基づいてＲＯＭ９１ｂに格納された制御パターンテーブルを参照し、制御パターンテーブルに登録された制御内容に基づいて液晶表示器５１、演出効果ＬＥＤ５２、スピーカ５３、５４、リールＬＥＤ５５等の各種演出装置の出力制御を行う。
【０１４３】
制御パターンテーブルには、複数種類の演出パターン毎に、コマンドの種類に対応する液晶表示器５１の表示パターン、演出効果ＬＥＤ５２の点灯態様、スピーカ５３、５４の出力態様、リールＬＥＤの点灯態様等、これら演出装置の制御パターンが登録されており、サブ制御部９１は、コマンドを受信した際に、制御パターンテーブルの当該ゲームにおいてＲＡＭ９１ｃに設定されている演出パターンに対応して登録された制御パターンのうち、受信したコマンドの種類に対応する制御パターンを参照し、当該制御パターンに基づいて演出装置の出力制御を行う。これにより演出パターン及び遊技の進行状況に応じた演出が実行されることとなる。
【０１４４】
尚、サブ制御部９１は、あるコマンドの受信を契機とする演出の実行中に、新たにコマンドを受信した場合には、実行中の制御パターンに基づく演出を中止し、新たに受信したコマンドに対応する制御パターンに基づく演出を実行するようになっている。すなわち演出が最後まで終了していない状態でも、新たにコマンドを受信すると、受信した新たなコマンドが新たな演出の契機となるコマンドではない場合を除いて実行していた演出はキャンセルされて新たなコマンドに基づく演出が実行されることとなる。
【０１４５】
特に、本実施例では、演出の実行中に賭数の設定操作がなされたとき、すなわちサブ制御部９１が、賭数が設定された旨を示すＢＥＴコマンドを受信したときに、実行中の演出を中止するようになっている。このため、遊技者が、演出を最後まで見るよりも次のゲームを進めたい場合には、演出がキャンセルされ、次のゲームを開始できるので、このような遊技者に対して煩わしい思いをさせることがない。また、演出の実行中にクレジットまたは賭数の精算操作がなされたとき、すなわちサブ制御部９１が、ゲームの終了を示す遊技状態コマンドを受信した後、ゲームの開始を示す内部当選コマンドを受信する前に、払出開始コマンドを受信した場合には、実行中の演出を中止するようになっている。クレジットや賭数の精算を行うのは、遊技を終了する場合であり、このような場合に実行中の演出を終了させることで、遊技を終了する意志があるのに、不要に演出が継続してしまわないようになっている。
【０１４６】
演出パターンは、内部当選コマンドを受信した際に、内部当選コマンドが示す内部抽選の結果に応じた選択率にて選択され、ＲＡＭ９１ｃに設定される。演出パターンの選択率は、ＲＯＭ９１ｂに格納された演出テーブルに登録されており、サブ制御部９１は、内部当選コマンドを受信した際に、内部当選コマンドが示す内部抽選の結果に応じて演出テーブルに登録されている選択率を参照し、その選択率に応じて複数種類の演出パターンからいずれかの演出パターンを選択し、選択した演出パターンを当該ゲームの演出パターンとしてＲＡＭ９１ｃに設定するようになっており、同じコマンドを受信しても内部当選コマンドの受信時に選択された演出パターンによって異なる制御パターンが選択されるため、結果として演出パターンによって異なる演出が行われることがある。
【０１４７】
［入賞について］
本実施例のスロットマシン１においては、いずれかの入賞ライン上に役図柄が揃うと、入賞となる。入賞となる役の種類は、遊技状態に応じて定められているが、大きく分けて、ビッグボーナス、レギュラーボーナスへの移行を伴う特別役と、メダルの払い出しを伴う小役と、賭数の設定を必要とせずに次のゲームを開始可能となる再遊技役とがある。
【０１４８】
尚、ビッグボーナスをＢＢと示し、レギュラーボーナスをＲＢと示す場合がある。また、ビッグボーナス、レギュラーボーナスを単にボーナスという場合もある。遊技状態に応じて定められた各役の入賞が発生するためには、内部抽選に当選して、当該役の入賞を許容する旨の当選フラグがＲＡＭに設定されている必要がある。
【０１４９】
本実施例のスロットマシン１においては、いずれかの入賞ライン上に役図柄が揃うと、入賞となる。入賞となる役の種類は、遊技状態に応じて定められているが、大きく分けて、ビッグボーナス、レギュラーボーナスへの移行を伴う特別役と、メダルの払い出しを伴う小役と、賭数の設定を必要とせずに次のゲームを開始可能となる再遊技役とがある。
【０１５０】
尚、ビッグボーナスをＢＢと示し、レギュラーボーナスをＲＢと示す場合がある。また、ビッグボーナス、レギュラーボーナスを単にボーナスという場合もある。遊技状態に応じて定められた各役の入賞が発生するためには、前述した内部抽選に当選して、当該役の入賞を許容する旨の当選フラグがＲＡＭに設定されている必要がある。
【０１５１】
図５〜図８は、入賞役の種類、入賞役の図柄組み合わせ、及び入賞役に関連する技術事項について説明するための図である。また、図９は、メイン制御部４１により制御される遊技状態及びＲＴの遷移を説明するための図であり、図１０は、遊技状態及びＲＴの概要を示す図である。
【０１５２】
本実施例におけるスロットマシンは、図９に示すように、通常遊技状態、内部中１、２、ＲＢ、ＢＢ（ＲＢ）のいずれかに制御され、さらに通常遊技状態（以下、通常遊技状態を通常と称す）においては、ＲＴ０〜４のいずれかに制御される。また、内部中１、２に制御されているときには、所定条件（たとえば、レア役（中段チェリー）の当選、内部抽選とは異なり１ゲーム毎に実行される所定抽選で当選）が成立することにより、内部中演出が実行される。当該内部中演出は、制御されている遊技状態が内部中であることを報知する演出であることから、内部中演出が実行されることにより、遊技者はボーナス当選していることを認識することができ、遊技の興趣を向上させることができる。
【０１５３】
図５を参照して、入賞役のうち特別役には、ビッグボーナス１〜４（以下、各々のビッグボーナスをＢＢと称する）、レギュラーボーナス１、２（以下、各々のレギュラーボーナスをＲＢと称する）の６種類のボーナスが含まれる。
【０１５４】
ＢＢ１〜ＢＢ４はそれぞれ、「黒７−黒７−黒７」、「網７−網７−網７」、「白７−白７−白７」、「黒７−白７−網７」の組み合わせが入賞ラインに揃ったときに入賞となる。ＢＢ１〜ＢＢ４のいずれかに入賞すると、ＢＢ中レギュラーボーナス（以下、ＢＢＲＢと称する）に毎ゲーム制御されるビッグボーナスに移行される。ＢＢ１〜ＢＢ４のいずれかの入賞に起因して発生したビッグボーナスは、３１６枚以上メダルが払い出されたことを条件として終了する。
【０１５５】
ＲＢ１、ＲＢ２はそれぞれ、「網７−網７−黒７」、「白７−白７−黒７」の組み合わせが入賞ラインに揃ったときに入賞となる。ＲＢ１、ＲＢ２のいずれかに入賞すると、レギュラーボーナス（以下、ＲＢと称する）に移行される。ＲＢ１、ＲＢ２のいずれかの入賞に起因して発生したレギュラーボーナスは、いずれかの役が６回入賞するか、６ゲーム消化したことを条件として終了する。
【０１５６】
図９に示すように、ＢＢ１、ＢＢ３、ＲＢ２のいずれかに内部当選してから入賞するまでは、内部中１・ＲＴ０に制御され、ＢＢ２、ＢＢ４、ＲＢ１のいずれかに内部当選してから入賞するまでは、内部中２・ＲＴ０に制御される。また、図９に示すように、ビッグボーナスまたはレギュラーボーナス（まとめてボーナスと呼ぶ）が終了した後は、通常・ＲＴ４に制御される。なお、ＲＴ４は、ＲＴ１に制御される前の状態であることから、準備状態ともいう。
【０１５７】
後述する内部抽選においてＢＢ１〜ＢＢ４、ＲＢ１、ＲＢ２のうちいずれかに当選していても、ストップスイッチ８Ｌ、８Ｃ、８Ｒをこれらの役に入賞可能とする適正なタイミングで操作しなければ、これらの役に入賞することはない。ＢＢ１〜ＢＢ４、ＲＢ１、ＲＢ２を構成する図柄（「黒７」、「白７」、「網７」）は、各々、左リール２Ｌ、中リール２Ｃ、右リール２Ｒ各々において５コマ以内に配置されていないためである。
【０１５８】
次に、図６を参照して、入賞役のうち小役について説明する。入賞役のうち小役には、中段ベル、右下がりベル、上段ベル１〜８、中段スイカ、右下がりスイカ、上段スイカ、下段チェリー、中段チェリー、１枚役、右上がりベル、右上がりベベリ、右上がりリベベが含まれる。
【０１５９】
中段ベルは、入賞ラインＬＮに「ベル−ベル−ベル」の組み合わせが揃ったときに入賞となり、８枚のメダルが払い出される。ここで、図３を参照すると、ベルは、左リール２Ｌ、中リール２Ｃ、右リール２Ｒ各々において５コマ以内に配置されている。このため、後述する内部抽選において中段ベルに当選しているときには、原則として、ストップスイッチ８Ｌ〜８Ｒの操作タイミングに関わらず入賞させることができる役といえる。その他の小役については、図６に示す通りなので主な説明を省略する。また、図６の「ＡＮＹ」はいずれの図柄でも可であることを示す。
【０１６０】
また、右下がりベルについては、プラム、リプレイのいずれか一方は、左リール２Ｌ、右リール２Ｒ各々において５コマ以内に配置されており、ベルは、中リール２Ｃにおいて５コマ以内に配置されている。このため、後述する内部抽選において右下がりベルに当選しているときには、原則として、ストップスイッチ８Ｌ〜８Ｒの操作タイミングに関わらず入賞させることができる役といえる。
【０１６１】
上段ベル１〜８については、左リール２Ｌにおいて、リプレイ及びプラムは、５コマ以内に配置されておらず、中リール２Ｃ、右リール２Ｒの各々について、オレンジ及びＢＡＲは、５コマ以内に配置されていない。このため、後述する内部抽選において上段ベル１〜８のいずれかに当選していても、当選している上段ベルの構成図柄に対応するストップスイッチ８Ｌ、８Ｃ、８Ｒを適正なタイミングで操作しなければ、当選している上段ベルに入賞することはない。
【０１６２】
中段スイカについては、左リール２Ｌにおいて、黒７、白７、スイカのいずれかは、５コマ以内に配置されているが、中リール２Ｃ、右リール２Ｒの各々について、スイカは、５コマ以内に配置されていない。このため、後述する内部抽選において中段スイカに当選していても、中リール２Ｃ、右リール２Ｒに対応するストップスイッチ８Ｃ、８Ｒを適正なタイミングで操作しなければ、中段スイカに入賞することはない。
【０１６３】
右下がりスイカについては、左リール２Ｌにおいて、ベルは、５コマ以内に配置されているが、中リール２Ｃのスイカ、右リール２Ｒの黒７、白７は、５コマ以内に配置されていない。このため、後述する内部抽選において右下がりスイカに当選していても、中リール２Ｃ、右リール２Ｒに対応するストップスイッチ８Ｃ、８Ｒを適正なタイミングで操作しなければ、右下がりスイカに入賞することはない。
【０１６４】
上段スイカについては、左リール２Ｌにおいて、ベルは、５コマ以内に配置されているが、中リール２Ｃの黒７、白７、右リール２Ｒのリプレイは、５コマ以内に配置されていない。このため、後述する内部抽選において上段スイカに当選していても、中リール２Ｃ、右リール２Ｒに対応するストップスイッチ８Ｃ、８Ｒを適正なタイミングで操作しなければ、上段スイカに入賞することはない。
【０１６５】
下段チェリーについては、中リール２Ｃにおいてオレンジ、ＢＡＲ、ベルのいずれかは、５コマ以内に配置されているが、左リール２Ｌにおいて、ＢＡＲは、５コマ以内に配置されていない。このため、後述する内部抽選において下段チェリーに当選していても、左リール２Ｌに対応するストップスイッチ８Ｌを適正なタイミングで操作しなければ、下段チェリーに入賞することはない。
【０１６６】
中段チェリーについては、図３を参照すると、左リール２Ｌにおいて、チェリーは、５コマ以内に配置されていない。このため、後述する内部抽選において中段チェリーに当選していても、左リール２Ｌに対応するストップスイッチ８Ｌを適正なタイミングで操作しなければ、中段チェリーに入賞することはない。
【０１６７】
１枚役については、図３を参照すると、左リール２Ｌの黒７、中リールのチェリー、右リールの網７は、５コマ以内に配置されていない。このため、後述する内部抽選において１枚役に当選していても、左リール２Ｌ、中リール２Ｃ、右リール２Ｒに対応するストップスイッチ８Ｌ、８Ｃ、８Ｒを適正なタイミングで操作しなければ、１枚役に入賞することはない。
【０１６８】
右上がりベルについては、左リール２Ｌにおいて黒７、白７、スイカの１つは、５コマ以内に配置されており、中リール２Ｃにおいてベルは、５コマ以内に配置されており、右リール２Ｒにおいてオレンジ、ＢＡＲの１つは、５コマ以内に配置されている。このため、後述する内部抽選において右上がりベルに当選しているときには、原則として、ストップスイッチ８Ｌ〜８Ｒの操作タイミングに関わらず入賞させることができる役といえる。
【０１６９】
右上がりベベリについては、左リール２Ｌにおいて黒７、白７、スイカの１つは、５コマ以内に配置されており、中リール２Ｃ、右リール２Ｒにおいてベルは、５コマ以内に配置されている。このため、後述する内部抽選において右上がりベベリに当選しているときには、原則として、ストップスイッチ８Ｌ〜８Ｒの操作タイミングに関わらず入賞させることができる役といえる。
【０１７０】
右上がりリベベについては、左リール２Ｌ、中リール２Ｃにおいてベルは、５コマ以内に配置されており、右リール２Ｒにおいてオレンジ、ＢＡＲの１つは、５コマ以内に配置されている。このため、後述する内部抽選において右上がりリベベに当選しているときには、原則として、ストップスイッチ８Ｌ〜８Ｒの操作タイミングに関わらず入賞させることができる役といえる。
【０１７１】
次に、図７を参照して、入賞役のうち再遊技役について説明する。入賞役のうち再遊技役には、通常リプレイ、下段リプレイ、転落リプレイ、昇格リプレイ１、２、特殊リプレイ、ＳＰ（スペシャル）リプレイが含まれる。
【０１７２】
通常リプレイは、入賞ラインＬＮに「リプレイ−リプレイ−リプレイ」、「リプレイ−リプレイ−プラム」、「プラム−リプレイ−リプレイ」、「プラム−リプレイ−プラム」の組み合わせが揃ったときに入賞となる。リプレイ、プラムは、左リール２Ｌ、中リール２Ｃ、右リール２Ｒ各々において５コマ以内に配置されている。よって、通常リプレイについては、原則として、当選していれば、ストップスイッチ８Ｌ〜８Ｒの操作タイミングに関わらず入賞させることができる役といえる。他の再遊技役については、図７に示す通りなので、主な説明を省略する。
【０１７３】
下段リプレイについては、左リール２Ｌにおいてベルは、５コマ以内に配置されており、中リールにおいてオレンジ、ＢＡＲは、５コマ以内に配置されており、右リール２Ｒにおいてオレンジ、チェリー、スイカ、黒７、網７、白７の１つは、５コマ以内に配置されている。このため、後述する内部抽選において下段リプレイに当選しているときには、原則として、ストップスイッチ８Ｌ〜８Ｒの操作タイミングに関わらず入賞させることができる役といえる。
【０１７４】
転落リプレイについては、左リール２Ｌにおいてベルは、５コマ以内に配置されており、中リールにおいてリプレイは、５コマ以内に配置されており、右リール２Ｒにおいてベルは、５コマ以内に配置されている。このため、後述する内部抽選において転落リプレイに当選しているときには、原則として、ストップスイッチ８Ｌ〜８Ｒの操作タイミングに関わらず入賞させることができる役といえる。
【０１７５】
図９に示すように、通常・ＲＴ０において転落リプレイに入賞した後は、ＲＴ１に制御される。昇格リプレイ１については、左リール２Ｌにおいてリプレイ、プラムの１つは、５コマ以内に配置されており、中リール２Ｃにおいてリプレイは、５コマ以内に配置されており、右リール２Ｒにおいてベルは、５コマ以内に配置されている。よって、昇格リプレイ１については、原則として、当選していれば、ストップスイッチ８Ｌ〜８Ｒの操作タイミングに関わらず入賞させることができる役といえる。
【０１７６】
昇格リプレイ２については、左リール２Ｌにおいてベルは、５コマ以内に配置されており、中リールにおいてオレンジ、ＢＡＲは、５コマ以内に配置されており、右リール２Ｒにおいてリプレイ、プラムは、５コマ以内に配置されている。このため、後述する内部抽選において昇格リプレイ２に当選しているときには、原則として、ストップスイッチ８Ｌ〜８Ｒの操作タイミングに関わらず入賞させることができる役といえる。
【０１７７】
図９に示すように、通常・ＲＴ１において昇格リプレイ（昇格リプレイ１または昇格リプレイ２）に入賞した後は、通常・ＲＴ０に制御される。後述するように、昇格リプレイは、通常・ＲＴ２、通常・ＲＴ３、通常・ＲＴ４における内部抽選においては単独で当選しないように設定されている。また、通常・ＲＴ２、通常・ＲＴ３、通常・ＲＴ４における内部抽選において特別役と昇格リプレイが同時に当選した場合には、その時点で内部中１・ＲＴ０または内部中２・ＲＴ０に制御される。このため、通常・ＲＴ２、通常・ＲＴ３、通常・ＲＴ４においては昇格リプレイに入賞しない。その結果、通常・ＲＴ２、通常・ＲＴ３、通常・ＲＴ４から通常・ＲＴ０に制御されないように構成されており、通常・ＲＴ１であるときにのみ昇格リプレイ入賞し、当該通常・ＲＴ１からのみ通常・ＲＴ０に制御されるように構成されている。
【０１７８】
特殊リプレイについては、左リール２Ｌにおいてベルは、５コマ以内に配置されており、中リール２Ｃにおいてリプレイは、５コマ以内に配置されており、右リール２Ｒにおいてリプレイ、プラムの１つは、５コマ以内に配置されている。よって、特殊リプレイについては、原則として、当選していれば、ストップスイッチ８Ｌ〜８Ｒの操作タイミングに関わらず入賞させることができる役といえる。
【０１７９】
図９に示すように、通常・ＲＴ１、通常・ＲＴ３において特殊リプレイに入賞した後は、通常・ＲＴ２に制御される。後述するように、特殊リプレイは、通常・ＲＴ１、通常・ＲＴ４における内部抽選においては単独で当選しないように設定されている。また、通常・ＲＴ１、通常・ＲＴ４における内部抽選において特別役と特殊リプレイが同時に当選した場合には、その時点で内部中１・ＲＴ０または内部中２・ＲＴ０に制御される。このため、通常・ＲＴ１、通常・ＲＴ４においては特殊リプレイに入賞しない。その結果、通常・ＲＴ１、通常・ＲＴ４から通常・ＲＴ２に制御されないように構成されており、通常・ＲＴ０、通常・ＲＴ３であるときにのみ特殊リプレイ入賞し、当該通常・ＲＴ０、通常・ＲＴ３からのみ通常・ＲＴ２に制御されるように構成されている。尚、通常・ＲＴ２において特殊リプレイが入賞した場合には、通常・ＲＴ２が維持されることとなる。
【０１８０】
ＳＰリプレイについては、左リール２Ｌにおいてリプレイ、プラムは、５コマ以内に配置されており、中リールにおいてオレンジ、ＢＡＲは、５コマ以内に配置されており、右リール２Ｒにおいて黒７、網７、白７、プラムは、５コマ以内に配置されている。このため、後述する内部抽選においてＳＰリプレイに当選しているときには、原則として、ストップスイッチ８Ｌ〜８Ｒの操作タイミングに関わらず入賞させることができる役といえる。
【０１８１】
図９に示すように、通常・ＲＴ２においてＳＰリプレイに入賞した後は、通常・ＲＴ３に制御される。後述するように、ＳＰリプレイは、通常・ＲＴ０、通常・ＲＴ１、通常・ＲＴ４における内部抽選においては単独で当選しないように設定されている。また、通常・ＲＴ０、通常・ＲＴ１、通常・ＲＴ４における内部抽選において特別役とＳＰリプレイが同時に当選した場合には、その時点で内部中１・ＲＴ０または内部中２・ＲＴ０に制御される。このため、通常・ＲＴ０、通常・ＲＴ１、通常・ＲＴ４においてはＳＰリプレイに入賞しない。その結果、通常・ＲＴ０、通常・ＲＴ１、通常・ＲＴ４から通常・ＲＴ３に制御されないように構成されており、通常・ＲＴ２であるときにのみＳＰリプレイ入賞し、当該通常・ＲＴ２からのみ通常・ＲＴ３に制御されるように構成されている。尚、通常・ＲＴ３において特殊リプレイが入賞した場合には、通常・ＲＴ３が維持されることとなる。
【０１８２】
次に、図８を参照して、移行出目について説明する。入賞を発生させる出目以外の出目には、図８に示す移行出目と、外れ出目とが設けられている。移行出目は、図８に示すように、「リプレイ−オレンジ−ベル」などからなる２０種類の組み合わせである。本実施例では、後述する左ベル１〜４、中ベル１〜４、右ベル１〜４が当選し、中段ベルの入賞条件となるリール以外を第１停止とし、かつ当選している上段ベルを取りこぼした場合に、上記の移行出目が入賞ラインＬＮに揃う。一方、本実施例における外れ出目は、何らの入賞を発生させるものでもなく、遊技用価値を付与するものでもなく、遊技状態を変更させるものでもなく、遊技者にとって有利な制御または不利な制御が行われるものでもない。なお、外れ出目は、移行出目が入賞ラインＬＮに揃った場合と、遊技者にとっての有利度合いが異なるものであればよい。また、外れ出目は押し順ベル以外の当選役が当選したときにおいても、当該当選した当選役が入賞されなかったら、外れ出目が導出される。
【０１８３】
図９に示すように、通常・ＲＴ０、通常・ＲＴ２、通常・ＲＴ３、通常・ＲＴ４において移行出目が入賞ラインＬＮに揃った後は、通常・ＲＴ１に制御される。尚、通常・ＲＴ１において移行出目が入賞ラインＬＮに揃った場合には、通常・ＲＴ１が維持されることとなる。また、本実施例の通常状態において、ＲＴ１と、ＲＴ０、ＲＴ２、およびＲＴ３とを比較すると、後述するようにメダル払出率が低い点でＲＴ１の方がＲＴ０、ＲＴ２、およびＲＴ３よりも有利度は低いといえる。したがって、ＲＴ０、ＲＴ２、またはＲＴ３において、移行出目が導出されることは、遊技者にとって不利になるということである。一方、ＲＴ０、ＲＴ２、またはＲＴ３において、外れ出目が導出されたとしても、そのことによってＲＴ１に制御されることがないため、移行出目が導出されたときよりも、遊技者にとって有利であるといえる。
【０１８４】
次に、図１１〜図１５を参照して、遊技状態毎に抽選対象役として読み出される抽選対象役の組み合わせについて説明する。本実施例では、遊技状態が、通常遊技状態であるか、内部中１（ＢＢ１、ＢＢ３、ＲＢ２が当選している状態）であるか、内部中２（ＢＢ２、ＢＢ４、ＲＢ１が当選している状態）であるか、ＢＢ（ＲＢ）であるか、ＲＢであるか、によって内部抽選の対象となる役及びその当選確率が異なる。さらに遊技状態が通常遊技状態であれば、ＲＴ０〜４の種類によって、内部抽選の対象となる再遊技役及びその当選確率の少なくとも一方が異なる。尚、抽選対象役として後述するように、複数の入賞役が同時に読出されて、重複して当選し得る。図１１〜図１５においては、入賞役の間に“＋”を表記することにより、内部抽選において同時に抽選対象役として読み出されることを示す。
【０１８５】
図１１〜図１５においては、縦の欄に抽選対象役を示し、横の欄に遊技状態を示す。また、遊技状態と抽選対象役とが交差する欄の○印は、当該遊技状態であるときに当該抽選対象役が読み出されることを示し、×印は、当該遊技状態であるときに当該抽選対象役が読み出されないことを示している。
【０１８６】
また、○印の下に示す数値は、所定の設定値（例えば設定値１）の判定値数を示す。当該判定値数を用いて内部抽選が行われる。尚、判定値数の分母は、内部抽選用の乱数（０〜６５５３５の整数）に対応させて、「６５５３６」に設定されている。このため、例えば、判定値数として「３００」が設定されている抽選対象役の当選確率は、３００／６５５３６となる。
【０１８７】
また、図１１及び図１２は、遊技状態毎に抽選対象役として読み出される特別役の組み合わせを示し、図１３は、遊技状態毎に抽選対象役として読み出される小役の組み合わせを示し、図１４は、遊技状態毎に抽選対象役として読み出される再遊技役の組み合わせを示している。また、図１５は、図１１〜１４に示す抽選対象役を構成する役、および抽選対象役を構成する役の組み合わせを示している。
【０１８８】
図１１〜図１４に示すように、通常・ＲＴ０であるときには、ＢＢ１、リプレイＧＲ１１、リプレイＧＲ１２、リプレイＧＲ１３、リプレイＧＲ１４、リプレイＧＲ１５、リプレイＧＲ１６、リプレイＧＲ２１、リプレイＧＲ２２、リプレイＧＲ２３、リプレイＧＲ２４、リプレイＧＲ２５などが内部抽選の対象役となる。また、他の遊技状態であるときの内部抽選の対象役については、図１１〜図１４に示す通りなので説明を省略する。
【０１８９】
また、図１５に示すように、弱スイカとは、上段スイカ＋右下がりスイカである。強スイカとは上段スイカ＋右下がりスイカ＋中段スイカである。また、図１３の※３に示すように、弱スイカが当選したゲームまたは強スイカが当選したゲームに関わらず、遊技者により入賞タイミングで逆押しされたときには、上段スイカまたは右下がりスイカが入賞する。一方、弱スイカが当選したゲームにおいて、遊技者により入賞タイミングで順押しされたときには、上段スイカまたは右下がりスイカが入賞し、強スイカが当選したゲームにおいて、遊技者により入賞タイミングで順押しされたときにのみ、中段スイカが入賞可能となる。
【０１９０】
つまり、弱スイカが当選したゲームまたは強スイカが当選したゲームにおいて、遊技者により逆押しされたときには、共通の入賞役である「上段スイカまたは右下がりスイカ」が導出可能とされていることにより、弱スイカまたは強スイカのうちいずれが当選したのかを遊技者が判別できないようになっている。一方、弱スイカが当選したゲームまたは強スイカが当選したゲームにおいて、遊技者により順押しされたときには、当選した役に対応した入賞役が導出可能とされていることにより、弱スイカまたは強スイカのうちいずれが当選したのかを遊技者が判別できるようになっている。具体的には、弱スイカが当選したゲームにおいて、順押しされたときには「上段スイカまたは右下がりスイカ」が入賞可能となり、強スイカが当選したゲームにおいて、順押しされたときには「中段スイカ」が入賞可能となる。その他の対象役については、図１５に記載の通りなので説明を省略する。
【０１９１】
また、通常・ＲＴ０〜４などにおいて、ＢＢ１〜ＢＢ４、ＲＢ１、ＲＢ２のいずれかと同時当選し得る弱スイカ、強スイカ、弱チェリー、強チェリー、中段チェリー、１枚役、通常リプレイ、転落リプレイ、昇格リプレイ、ＳＰリプレイの判定値数は、内部中１・ＲＴ０、内部中２・ＲＴ０においては、各々、ボーナスと別個に読み出される、強スイカ、弱チェリー、強チェリー、中段チェリー、１枚役、通常リプレイ、転落リプレイ、昇格リプレイ、ＳＰリプレイに加算されているため、強スイカ、弱チェリー、強チェリー、中段チェリー、１枚役、通常リプレイ、転落リプレイ、昇格リプレイ、ＳＰリプレイ各々の当選確率が一定となるように担保されている。
【０１９２】
このように、遊技状態が通常遊技状態であるか、内部中１、２であるか、ＢＢ（ＲＢ）であるか、ＲＢであるか、によって内部抽選の対象役が異なるとともに、ＢＢ（ＲＢ）やＲＢでは、小役の当選確率が通常遊技状態及び内部中よりも高く定められた抽選テーブルを用いて内部抽選が行われる。
【０１９３】
また、遊技状態が内部中１、２である場合には、内部中１であるか、内部中２であるか、によって内部抽選の対象役は変わらないが、内部中１であるか、内部中２であるか、によって対象となる再遊技役の当選確率が異なる抽選テーブルを用いて内部抽選が行われる。
【０１９４】
また、遊技状態が通常遊技状態である場合には、ＲＴ０〜４のいずれかであるかによって、内部抽選の対象となる再遊技役が異なるとともに、ＲＴ０〜４のいずれかであるかによって、対象となる再遊技役及びその当選確率が異なる抽選テーブルを用いて内部抽選が行われる。
【０１９５】
本実施例では、複数種類の再遊技役が同時に当選している場合には、図１６に示すように、同時当選した再遊技役の種類及び停止操作順に応じて定められた再遊技役を入賞ライン上に最大４コマの引込範囲で揃えて停止させる制御が行われる。図１６は、複数のリプレイが同時当選したときのリール制御を説明するための図である。
【０１９６】
リプレイＧＲ１（通常リプレイ＋昇格リプレイ１）が当選し、左中右の順番で停止操作がなされた場合には、当選した再遊技役のうち昇格リプレイ１の組み合わせを入賞ラインＬＮに揃えて停止させる制御を行い、左中右以外の順番で停止操作がなされた場合には、通常リプレイの組み合わせを入賞ラインＬＮに揃えて停止させる制御を行う。他のリプレイＧＲは、図１６に示す通りなので説明を省略する。
【０１９７】
図３に示すように、昇格リプレイ１、昇格リプレイ２及び転落リプレイを構成する図柄は、左リール２Ｌ、中リール２Ｃ、右リール２Ｒの全てにおいて５コマ以内の間隔で配置されているため、停止操作順に応じて、ストップスイッチ８Ｌ〜８Ｒの停止操作タイミングに関わらず、昇格リプレイ１、昇格リプレイ２または転落リプレイが必ず入賞するようにリール制御が行われる。
【０１９８】
このように、リプレイＧＲ１１〜１６とで、昇格リプレイ１、２に入賞させ、かつ転落リプレイを回避するため操作態様として異なる操作態様が設定されている。このため、リプレイＧＲ１１〜１６が内部抽選の対象となる通常・ＲＴ０において、リプレイＧＲ１１〜１６のいずれかが当選していれば１／６の確率で昇格リプレイが入賞して通常・ＲＴ０が維持される一方で、５／６の確率で転落リプレイが入賞して通常・ＲＴ１に移行することとなる。
【０１９９】
図３に示すように、特殊リプレイ及び転落リプレイを構成する図柄は、左リール２Ｌ、中リール２Ｃ、右リール２Ｒの全てにおいて５コマ以内の間隔で配置されているため、停止操作順に応じて、ストップスイッチ８Ｌ〜８Ｒの停止操作タイミングに関わらず、特殊リプレイまたは転落リプレイが必ず入賞するようにリール制御が行われる。このように、リプレイＧＲ２１〜２５とで、特殊リプレイに入賞させ、かつ転落リプレイを回避するため操作態様として異なる操作態様が設定されている。このため、リプレイＧＲ２１〜２５が内部抽選の対象となる通常・ＲＴ０において、リプレイＧＲ２１〜２５のいずれかが当選していれば１／５の確率で特殊リプレイが入賞して通常・ＲＴ２に移行することとなる一方で、４／５の確率で転落リプレイが入賞して通常・ＲＴ１に移行することとなる。
【０２００】
図３に示すように、ＳＰリプレイ、特殊リプレイ及び通常リプレイを構成する図柄は、左リール２Ｌ、中リール２Ｃ、右リール２Ｒの全てにおいて５コマ以内の間隔で配置されているため、停止操作順に応じて、ストップスイッチ８Ｌ〜８Ｒの停止操作タイミングに関わらず、ＳＰリプレイ、特殊リプレイまたは通常リプレイが必ず入賞するようにリール制御が行われる。
【０２０１】
このように、リプレイＧＲ３１〜３６とで、ＳＰリプレイを入賞させる操作態様として異なる操作態様が設定され、さらにＳＰリプレイか通常リプレイを入賞させて、かつ特殊リプレイを回避するための操作態様として異なる操作態様が設定されている。このため、リプレイＧＲ３１〜３６が内部抽選の対象となる通常・ＲＴ２において、リプレイＧＲ３１〜３６のいずれかが当選していれば１／６の確率でＳＰリプレイが入賞して通常・ＲＴ３へ移行させることができる一方で、５／６の確率で通常リプレイまたは特殊リプレイが入賞して通常・ＲＴ２が維持されることとなる。また、後述のようにＳＰリプレイが入賞すると、遊技者にとって有利なナビストックが１つ以上必ず付与されることとなるため、通常・ＲＴ２において、リプレイＧＲ３１〜３６のいずれかが当選していれば１／６の確率でＳＰリプレイが入賞してナビストックが１つ以上付与され、かつＳＰリプレイに入賞しやすい、すなわちナビストックが付与される可能性の高い通常・ＲＴ３へ移行させることができる。
【０２０２】
また、リプレイＧＲ３１〜３６が内部抽選の対象となる通常・ＲＴ３において、リプレイＧＲ３１〜３６のいずれかが当選していれば１／６の確率でＳＰリプレイが入賞して後述するナビストックが１つ以上付与される一方で、１／６の確率で通常リプレイが入賞して通常・ＲＴ３が維持され、４／６の確率で特殊リプレイが入賞して通常・ＲＴ２へ移行することとなる。
【０２０３】
次に、複数種類の小役が同時に当選している場合には、図１７に示すように、同時当選した小役の種類及び停止操作順に応じて定められた小役を入賞ライン上に最大４コマの引込範囲で揃えて停止させる制御が行われる。図１７は、複数の小役が同時当選したときのリール制御を説明するための図である。
【０２０４】
左ベル１（右下がりベル＋上段ベル６＋上段ベル７）が当選し、左押しで停止操作を行った場合には、当選した小役のうち右下がりベルの組み合わせを入賞ラインＬＮに揃えて停止させる制御を行い、中押しまたは右押しで停止操作がなされた場合には、上段ベル６、上段ベル７、移行出目、または外れ出目のいずれかの組み合わせを入賞ラインＬＮに揃えて停止させる制御を行う。他の当選役については、図１７に示した通りなので説明を省略する。
【０２０５】
図３に示すように、右下がりベルの構成図柄は、全てのリールにおいて５コマ以内の間隔で配置されており、左ベル１〜４が当選した場合に、左押しにて停止操作を行った場合には、停止操作のタイミングに関わらず、必ず右下がりベルを入賞ラインＬＮに揃える制御が行われる一方で、上段ベル１〜８を構成する図柄は、全てのリールにおいて５コマ以上の間隔で配置されている箇所があるため、左ベル１〜４が当選した場合でも、中押しまたは右押しにて停止操作を行った場合には、当選した上段ベル１〜８の構成図柄の引込範囲となる適切なタイミングで停止操作を行わなければ、当選した上段ベルを入賞ラインＬＮに揃えることはできない。そして、左ベル１または左ベル２が当選したときにおいて、当該上段ベルが揃えられないときには、移行出目または外れ出目が入賞ラインＬＮに揃うように制御される一方、左ベル３または左ベル４が当選したときにおいて、当該上段ベルが揃えられないときには、外れ出目が入賞ラインＬＮに揃うように制御される。
【０２０６】
図３に示すように、中段ベルの構成図柄は、全てのリールにおいて５コマ以内の間隔で配置されており、中ベル１〜４が当選した場合に、中押しにて停止操作を行った場合には、停止操作のタイミングに関わらず、必ず中段ベルを入賞ラインＬＮに揃える制御が行われる一方で、上段ベル１〜８を構成する図柄は、全てのリールにおいて５コマ以上の間隔で配置されている箇所があるため、中ベル１〜４が当選した場合でも、左押しまたは右押しにて停止操作を行った場合には、当選した上段ベル１〜８の構成図柄の引込範囲となる適切なタイミングで停止操作を行わなければ、当選した上段ベルを入賞ラインＬＮに揃えることはできない。そして、中ベル１または中ベル２が当選したときにおいて、当該上段ベルが揃えられないときには、移行出目または外れ出目が入賞ラインＬＮに揃うように制御される一方、中ベル３または中ベル４が当選したときにおいて、当該上段ベルが揃えられないときには、外れ出目が入賞ラインＬＮに揃うように制御される。
【０２０７】
図３に示すように、中段ベルの構成図柄は、全てのリールにおいて５コマ以内の間隔で配置されており、右ベル１〜４が当選した場合に、右押しにて停止操作を行った場合には、停止操作のタイミングに関わらず、必ず中段ベルを入賞ラインＬＮに揃える制御が行われる一方で、上段ベル１〜８を構成する図柄は、全てのリールにおいて５コマ以上の間隔で配置されている箇所があるため、右ベル１〜４が当選した場合でも、左押しまたは中押しにて停止操作を行った場合には、当選した上段ベル１〜８の構成図柄の引込範囲となる適切なタイミングで停止操作を行わなければ、当選した上段ベルを入賞ラインＬＮに揃えることはできず、その場合には、移行出目が入賞ラインＬＮに揃うように制御される。そして、右ベル１または右ベル２が当選したときにおいて、当該上段ベルが揃えられないときには、移行出目または外れ出目が入賞ラインＬＮに揃うように制御される一方、右ベル３または右ベル４が当選したときにおいて、当該上段ベルが揃えられないときには、外れ出目が入賞ラインＬＮに揃うように制御される。
【０２０８】
このように本実施例では、左ベル、中ベル、右ベル、すなわち押し順ベルのいずれかが当選した場合には、当選役の種類に応じた特定の操作態様で停止操作を行うことで、右下がりベルまたは中段ベルが必ず入賞する一方で、当選役の種類に応じた特定の操作態様以外の操作態様で停止操作を行うことで、１／４で上段ベルが揃うが、３／４で上段ベルが揃わず移行出目または外れ出目（当選役によっては、外れ出目）が揃うこともある。
【０２０９】
このため、押し順ベルの当選時には、当選役の種類に応じた特定の操作態様で操作されたか否かによって払い出されるメダル数の期待値を変えることができる。すなわち押し順ベルのいずれかが当選しても、その種類が分からなければ意図的に特定の操作態様を選択することはできないことから、１／３の割合で右下がりベルまたは中段ベルを確実に入賞させることにより確実にメダルを獲得できるものの、２／３の割合ではさらに１／４でしか上段ベルを入賞させることができず、確実にメダルを獲得することができない。
【０２１０】
また、各当選役（内部抽選の結果）に対応する対応操作手順で操作されたときに導出される小役を「主役」といい、当該対応操作手順以外の操作手順で操作されたときに導出され得る小役を「副役」という。また、対応操作手順とは、主役を入賞させる操作手順である。たとえば、図１７の中ベル１において、「主役」は中段ベルとなり、「副役」は上段ベル２または上段ベル５となり、対応操作手順は中第１停止となる。
【０２１１】
また、押し順ベルには、主役および副役を取りこぼしてしまう場合に、移行出目も外れ出目も導出可能な押し順ベルと、外れ出目は導出可能であるが移行出目は導出不可能な押し順ベルとがある。以下では、主役および副役を取りこぼしてしまう場合に、移行出目も外れ出目も導出可能な押し順ベルを「移行出目導出可能役」という。また、主役および副役を取りこぼしてしまう場合に、外れ出目は導出可能であるが移行出目は導出不可能な押し順ベルを「移行出目導出不可能役」という。図１７の例では、移行出目導出可能役は、左ベル１、２と、中ベル１、２と、右ベル１、２となる。また、移行出目導出不可能役は、左ベル３、４と、中ベル３、４と、右ベル３、４となる。
【０２１２】
また、ＲＴ０、ＲＴ２、ＲＴ３、ＲＴ４のうちいずれかの状態で移行出目が導出されることにより遊技状態はＲＴ１に移行される一方、外れ出目が導出されたとしても遊技状態は変化することはない。また、後述するように、ＲＴ１のメダル払出率はＲＴ０、２、３のメダル払出率よりも低いことから、ＲＴ１は、ＲＴ０、２、３よりも不利な遊技状態である。また、ＲＴ０、２、３のいずれにおいて、移行出目が導出されると、ＲＴ１に制御される一方、外れ出目が導出されても遊技状態は変更されない（ＲＴ０、２、３からＲＴ１に移行しない）。したがって、ＲＴ０、２、３のいずれにおいて、移行出目が導出されることは外れ出目が導出されることと比較して、遊技者にとって不利な事象となる。
【０２１３】
また、ＲＴ１とＲＴ４とを比較すると、ＲＴ４からは、ＲＴ１やＲＴ４よりもメダル払出率が高いＲＴ０、２、３に制御されない一方、ＲＴ１からは当該ＲＴ０、２、３に制御され得ることから、ＲＴ１はＲＴ４よりも有利な遊技状態であるといえる。また、ＲＴ４おいて移行出目が導出されるとＲＴ１に制御される一方、外れ出目が導出されても遊技状態は変更されない（ＲＴ４からＲＴ１に移行しない）。したがって、ＲＴ４において、移行出目が導出されることは外れ出目が導出されることと比較して、遊技者にとって有利な事象となる。
【０２１４】
このように、移行出目が導出されることは、遊技状態に応じて、有利な事象となるときと不利な事象となるときがある。
【０２１５】
図３に示すように、右上がりベル、右上がりリベベ、右上がりベベリの構成図柄は、全てのリールにおいて５コマ以内の間隔で配置されており、ＲＢベル１〜４が当選した場合には、停止操作のタイミングに関わらず、必ず右上がりベル、右上がりリベベ、右上がりベベリのいずれかの組み合わせが入賞ラインＬＮに揃って１０枚のメダルが払い出されることとなるが、１／３の割合でのみ、「ベル−ベル−ベル」の組み合わせが右上がりに揃うこととなる。
【０２１６】
また、特に図示しないが、ベル（中段ベル＋右下がりベル）が当選した場合には、リールの停止順及び操作のタイミングに関わらず、入賞ラインＬＮに「ベル−ベル−ベル」の組み合わせが揃うように制御される。また、全役（中段ベル＋右下がりベル＋上段ベル１＋上段ベル２＋上段ベル３＋上段ベル４＋上段ベル５＋上段ベル６＋上段ベル７＋上段ベル８＋中段スイカ＋右下がりスイカ＋上段スイカ＋下段チェリー＋中段チェリー＋１枚役＋右上がりベル＋右上がりリベベ）が当選した場合には、リールの停止順及び操作のタイミングに関わらず、「ベル−ベル−ベル」の組み合わせが右上がりに揃うように制御される。
【０２１７】
本実施例では、図９及び図１０に示すように、通常遊技状態、内部中１、内部中２、ＲＢ、ＢＢ（ＲＢ）のいずれかに制御され、さらに通常遊技状態においては、ＲＴ０〜４のいずれかに制御される。前述のように、メイン制御部４１のＲＡＭ４１ｃには、遊技状態を特定可能な遊技状態フラグが格納される領域と、ＲＴの種類を特定可能なＲＴフラグが格納される領域と、が割り当てられている。遊技状態フラグは、４ビットのデータであり、００００が通常遊技状態を示し、０００１が内部中１を示し、００１０が内部中２を示し、０１００がＲＢを示し、１１００がＢＢ（ＲＢ）を示す。ＲＴフラグは、４ビットのデータであり、００００がＲＴ０を示し、０００１がＲＴ１を示し、００１０がＲＴ２を示し、００１１がＲＴ３を示し、０１００がＲＴ４を示す。また、ＲＡＭには、ＲＴフラグの格納領域とともにＲＴ残りゲーム数を格納可能な領域が１バイト分割り当てられており、ＲＴが終了するまでの残りゲーム数が格納される。尚、ゲーム数の消化で終了しないＲＴ０、３、４の場合には、ＲＴ残りゲーム数として０が設定される。
【０２１８】
図１０に示すように、遊技状態フラグの値が００００、ＲＴフラグの値が００００の場合は、通常遊技状態かつＲＴ０であることを示す。他の遊技状態については、図１０に示す通りなので説明を省略する。
【０２１９】
一方、本実施例では、対象役の判定値数が定められた抽選テーブルとして、内部中１用の抽選テーブル、内部中２用の抽選テーブル、ＲＢ用の抽選テーブル、ＢＢ（ＲＢ）用の抽選テーブル、通常遊技状態用の抽選テーブルをそれぞれ有しており、さらに通常遊技状態用の抽選テーブルとして、ＲＴ０用の抽選テーブル、ＲＴ１用の抽選テーブル、ＲＴ２用の抽選テーブル、ＲＴ３用の抽選テーブル、ＲＴ４用の抽選テーブルをそれぞれ有している。
【０２２０】
そして、内部抽選処理においてＲＡＭに格納されている遊技状態フラグの値及びＲＴフラグの値を参照して遊技状態及びＲＴの種類を特定し、それに応じて抽選テーブルを選択し、選択した抽選テーブルを用いて抽選を行うことにより、遊技状態及びＲＴの種類に応じた抽選対象役について、遊技状態及びＲＴの種類に応じた当選確率にて抽選が行われるようになっている。
【０２２１】
詳しくは、まず、ＲＡＭ４１ｃに格納されている遊技状態フラグの値を参照し、現在の遊技状態がＢＢ（ＲＢ）中か否か、ＲＢ中か否か、内部中１か否か、内部中２か否か、を判定し、現在の遊技状態がＢＢ（ＲＢ）中であれば、ＢＢ（ＲＢ）中における内部抽選の対象役及びその判定値数が格納されたＢＢ（ＲＢ）用の抽選テーブルを選択して抽選を行い、ＲＢ中であれば、ＲＢ中における内部抽選の対象役及びその判定値数が格納されたＲＢ用の抽選テーブルを選択して抽選を行い、内部中１であれば、内部中１における内部抽選の対象役及びその判定値数が格納された内部中１用の抽選テーブルを選択して抽選を行い、内部中２であれば、内部中２における内部抽選の対象役及びその判定値数が格納された内部中２用の抽選テーブルを選択して抽選を行う一方で、現在の遊技状態がＢＢ（ＲＢ）中でもなく、ＲＢ中でもなく、内部中１、２でもない場合、すなわち通常遊技状態であれば、さらにＲＡＭに格納されているＲＴフラグの値を参照し、その値から特定されるＲＴの種類に応じて内部抽選の対象役及びその判定値数が格納された通常用の抽選テーブルを選択して抽選を行うことで、各遊技状態及びＲＴの種類に応じた対象役の抽選が、各遊技状態及びＲＴの種類に応じた当選確率にて行われることとなる。
【０２２２】
通常・ＲＴ０は、通常・ＲＴ１において昇格リプレイが入賞したとき（リプレイＧＲ１〜６のいずれかが当選し、昇格リプレイが入賞する順番で停止操作がなされたとき）、通常・ＲＴ１、通常・ＲＴ２が規定ゲーム数の消化により終了したときに移行する。この際、遊技状態フラグの値は、通常遊技状態を示す００００から変わらず、ＲＴフラグの値が、ＲＴ０を示す００００に更新され、ＲＴ残りゲーム数としてゲーム数の制限がない旨を示す０が設定される。そして、通常・ＲＴ０は、通常・ＲＴ０に移行してからのゲーム数に関わらず、転落リプレイの入賞または移行出目の停止により通常・ＲＴ１に移行するか、特殊リプレイの入賞により通常・ＲＴ２に移行するか、特別役が当選して内部中１または内部中２に移行することで終了する。
【０２２３】
通常・ＲＴ０における特別役の当選確率は通常（約１／２３９）、再遊技役の当選確率は高確率（約１／１．４）、小役の当選確率は通常（約１／３．５、ただし入賞確率は約１／６．１）であり、１ゲームあたりのメダルの払出率は１以上となる。また、通常・ＲＴ０では、特別役と同時に当選する場合を除いて、再遊技役のうちリプレイＧＲ１１〜１６及びリプレイＧＲ２１〜２５のみが内部抽選の対象となる。また、リプレイＧＲ１１〜１６の当選確率の合計は約１／２であり、そのうち５／６の確率で転落リプレイが入賞し、ＲＴ１へ移行するとともに、リプレイＧＲ２１〜２５の当選確率の合計は約１／４．５であり、そのうち１／５の確率で特殊リプレイが入賞し、ＲＴ２へ移行し、４／５の確率で転落リプレイが入賞し、ＲＴ１へ移行し、さらに左ベル１〜４、中ベル１〜４、右ベル１〜４の当選確率の合計は約１／３．９であり、そのうち２／３×３／４の確率で移行出目が停止し、ＲＴ１へ移行することとなるので、当選確率の低い特別役の当選を考慮しなければ、通常・ＲＴ０に移行した場合、その期待ゲーム数（平均ゲーム数）は約１．３ゲームとなる。その他の遊技状態については、図１１に示す通りなので、説明を省略する。
【０２２４】
ここで本実施例の遊技状態及びＲＴの移行状況について説明すると、図９に示すように、ＲＢまたはＢＢ（ＲＢ）が終了すると、通常・ＲＴ４に移行する。通常・ＲＴ４では、移行出目が停止することで、ＲＴ１に移行し、特別役が当選することで、当選した特別役の種類に応じて内部中１または内部中２に移行する。その他の移行契機については、図９に示す通りなので説明を省略する。
【０２２５】
また、本実施例では、前述のように遊技状態フラグは、ＲＡＭの領域のうち設定変更時に初期化される一般ワークに割り当てられる一方で、ＲＴフラグ及びＲＴ残りゲーム数は、ＲＡＭの領域のうち設定変更時に初期化されない重要ワークに割り当てられている。
【０２２６】
このため、通常遊技状態において設定変更された場合には、遊技状態フラグは初期化されて通常遊技状態を示す００００に更新されるが、ＲＴフラグの値やＲＴ残りゲーム数の値は、設定変更前のまま維持されるので、通常遊技状態において設定変更された場合には、設定変更前のＲＴの種類及び残りＲＴゲーム数が設定変更後も引き継がれることとなる。
【０２２７】
また、本実施例では、前述のように遊技状態が通常遊技状態から内部中１または内部中２に移行した場合には、ＲＴフラグの値がＲＴ０を示す００００に更新され、その後、移行したＲＢまたはＢＢ（ＲＢ）が終了するまで、ＲＴフラグの値がＲＴ０を示す００００のまま維持されるようになっている。
【０２２８】
このため、内部中１、２において設定変更された場合には、遊技状態フラグは初期化されて通常遊技状態を示す００００に更新され、ＲＴフラグの値は維持されるものの、必ずＲＴ０を示す００００が設定されているので、内部中において設定変更された場合には、必ず通常遊技状態のＲＴ０の状態となる。
【０２２９】
また、ＢＢ（ＲＢ）において設定変更された場合も同様で、遊技状態フラグは初期化されて通常遊技状態を示す００００に更新され、ＲＴフラグの値は維持されるものの、必ずＲＴ０を示す００００が設定されているので、ＢＢ（ＲＢ）において設定変更された場合にも、必ず通常遊技状態のＲＴ０の状態となる。
【０２３０】
設定変更しても、その変更前の遊技状態を維持できるスロットマシンであっても、ボーナスなどの極端に有利な遊技状態などは、開店前には初期化するのが一般的である。このため、従来のスロットマシンでは、設定変更により遊技者にとって極端に有利な特定の遊技状態を終了させるものの、設定変更前が特定の遊技状態であるか否かを特定するために、特定の遊技状態を示すデータは維持し、設定変更後、特定の遊技状態を示すデータが設定されている場合には、特定の遊技状態を示すデータをその時点で初期化するとともに、遊技状態を改めて設定するようになっており、特定の遊技状態において設定変更した場合に、その変更後、遊技状態を初期化するために、変更後に初期化されるデータ、すなわち設定変更後は必要としないデータまで維持しておく必要があった。
【０２３１】
これに対して本実施例では、設定変更がされた場合に、ＲＴフラグ及びＲＴ残りゲーム数については変更前のデータが維持される一方で、遊技状態フラグについては、設定変更前の値が初期化され、通常遊技状態を示す値に更新されるので、ＲＴフラグにより特定される内部抽選の確率とその残りゲーム数のみ、設定変更後も引き継ぐことが可能となり、遊技状態フラグにより特定される内部抽選の確率については、設定変更により初期化することが可能となる。そして、遊技状態フラグとして特定の遊技状態を示す値（内部中またはＢＢ（ＲＢ）を示す値）が設定された場合には、ＲＴフラグ及びＲＴ残りゲーム数が初期化され、遊技状態フラグとして特定の遊技状態を示す値が設定された場合には、内部抽選においてＲＴフラグから特定される抽選テーブルを用いずに、遊技状態フラグから特定される抽選テーブルのみを用いて抽選を行うようになっており、特定の遊技状態を示す遊技状態フラグが設定されている状態において設定変更された場合には、設定変更後、遊技状態フラグも、ＲＴフラグ及びＲＴ残りゲーム数も初期化された状態とすることが可能となるため、ＲＴフラグ及びＲＴ残りゲーム数のみ設定変更後も変更前のものが維持されるものにおいて、特定の遊技状態を示す遊技状態フラグが設定されている状態で設定変更された場合には、従来のように設定変更後、その変更後は用いられることのないデータ、すなわち必要のなくなるデータを保持することなく、遊技状態フラグもＲＴフラグも初期化された状態とすることができる。
【０２３２】
また、特定の遊技状態を示す遊技状態フラグが設定されている状態において設定変更された場合には、設定変更後、遊技状態フラグ、ＲＴフラグに加え、ＲＴ残りゲーム数も初期化された状態とすることが可能となるため、特定の遊技状態を示す遊技状態フラグが設定されている状態において設定変更した場合に、当該遊技状態フラグが設定されてからのゲーム数に関わらず、設定変更後は、同一の状態、すなわち遊技状態フラグ、ＲＴフラグ、ＲＴ残りゲーム数の全てが初期化された状態となるので、設定変更の時期によって遊技者に対して不公平となることがないため、ゲームの公正さを担保することができる。
【０２３３】
また、本実施例では、内部抽選を行うにあたり、まず遊技状態フラグを参照し、遊技状態フラグが特定の遊技状態以外の遊技状態を示す場合のみ、ＲＴフラグを参照して抽選テーブルを選択するとともに、遊技状態フラグが特定の遊技状態を示す場合には、ＲＴフラグを参照せずに特定の遊技状態に用いる抽選テーブルを選択して抽選を行うようになっている。このため、ＲＴフラグを参照したうえで、遊技状態フラグを参照し、遊技状態フラグが特定の遊技状態を示す遊技状態フラグであると判定された場合には、遊技状態フラグに対応する抽選テーブルが選択され、ＲＴフラグを参照する処理が無駄になるが、本実施例のように、まず遊技状態フラグを参照し、遊技状態フラグが特定の遊技状態以外の遊技状態を示す場合のみ、ＲＴフラグを参照して抽選テーブルを選択することで、特定の遊技状態を示す遊技状態フラグが設定されている場合において抽選テーブルに影響しないＲＴフラグを参照する処理を省くことができる。
【０２３４】
また、本実施例では、特定の遊技状態として内部中１、２、すなわち特別役が当選している状態を示す遊技状態フラグが設定された場合に、ＲＴフラグ及びＲＴ残りゲーム数が初期化され、内部中１、２を示す遊技状態フラグが設定された場合には、内部抽選においてＲＴフラグから特定される抽選テーブルを用いずに、遊技状態フラグから特定される抽選テーブルのみを用いて抽選を行うので、特別役が当選している状態では、設定変更するのみで、遊技状態フラグもＲＴフラグも初期化された状態となるので、特別役の当選が持ち越されたまま遊技店が閉店した場合には、特別役が当選している状態を初期化し、かつＲＴフラグやＲＴ残りゲーム数も初期化したい場合に、ただ設定変更するだけの作業で済むため、翌朝の開店までに遊技者を迎える準備として特別役の当選が持ち越された状態を終了させるための作業を効率的に行うことができる。
【０２３５】
また、本実施例では、特定の遊技状態としてＲＢまたはＢＢ（ＲＢ）、すなわち遊技者にとって有利なボーナス中を示す遊技状態フラグが設定された場合にも、ＲＴフラグ及びＲＴ残りゲーム数が初期化された状態が維持され、ＲＢまたはＢＢ（ＲＢ）を示す遊技状態フラグが設定された場合には、内部抽選においてＲＴフラグから特定される抽選テーブルを用いずに、遊技状態フラグから特定される抽選テーブルのみを用いて抽選を行うので、ＲＢ、ＢＢ（ＲＢ）では、設定変更するのみで、遊技状態フラグもＲＴフラグも初期化された状態となるので、ＲＢ中またはＢＢ（ＲＢ）中に遊技店が閉店した場合には、ＲＢ、ＢＢ（ＲＢ）を初期化し、かつＲＴフラグやＲＴ残りゲーム数も初期化する場合に、ただ設定変更するだけの作業で済むため、翌朝の開店までに遊技者を迎える準備としてＲＢ、ＢＢ（ＲＢ）を終了させるための作業を効率的に行うことができる。
【０２３６】
また、本実施例では、ＲＢまたはＢＢ（ＲＢ）終了時、すなわち特定の遊技状態の終了時に、ＲＴフラグを初期化時のＲＴフラグ、すなわちＲＴ０を示すＲＴフラグとは異なるＲＴ４を示すＲＴフラグが設定されるようになっており、特定の遊技状態において設定変更するか、特定の遊技状態の終了後に、設定変更するか、に応じて異なるＲＴフラグの状態を設定することが可能となる。すなわち特定の遊技状態において閉店した場合には、特定の遊技状態のまま設定変更するか、特定の遊技状態を終了させてから設定変更するか、を遊技店側で選択することにより、開店時においてＲＴの状態をＲＴ０とするか、ＲＴ４とするか、選択することが可能となる。
【０２３７】
また、本実施例では、通常遊技状態を構成するＲＴ０〜４のうち、特定の遊技状態において設定変更した場合には、他の遊技状態または他のＲＴへ移行するまでの期待ゲーム数（平均ゲーム数）が最も少ない通常遊技状態のＲＴ０となるので、特定の遊技状態において設定変更した場合には、少ないゲーム数で他の遊技状態やＲＴへ変更することが可能であり、通常遊技状態のＲＴ０のままとするか、他の遊技状態やＲＴへ変更するか、を遊技店側で容易に選択できる。
【０２３８】
また、通常遊技状態を構成するＲＴ０〜４のうち、特定の遊技状態において設定変更した場合に移行する通常遊技状態のＲＴ０は、移行後のゲーム数に関わらず、他の遊技状態や他のＲＴへ移行する構成であるため、設定変更時に移行するＲＴのゲーム数を選択する必要もないうえに、規定ゲーム数消化するまで他の遊技状態や他のＲＴへ移行できないようなこともなく、特定の遊技状態において設定変更した場合において遊技店側が、他の遊技状態やＲＴへ変更することが制限されてしまうことを防止できる。さらに、通常遊技状態を構成するＲＴ０〜４のうち、特定の遊技状態において設定変更した場合に移行する通常遊技状態のＲＴ０、すなわち特定の遊技状態への移行時に同時に移行するＲＴは、ゲーム数に制限のないＲＴであり、特定の遊技状態を示す遊技状態フラグが設定されている状態において設定変更した場合に、当該遊技状態フラグが設定されてからのゲーム数に関わらず、設定変更後のＲＴ０から他のＲＴへ移行する条件も、設定変更前の状態によって変わることがないため、設定変更の時期によって遊技者に対して不公平となることがないため、ゲームの公正さを担保することができる。
【０２３９】
尚、本実施例では、内部抽選を行うにあたり、まず遊技状態フラグを参照し、遊技状態フラグが特定の遊技状態以外の遊技状態を示す場合のみ、ＲＴフラグを参照して抽選テーブルを選択するとともに、遊技状態フラグが特定の遊技状態を示す場合には、ＲＴフラグを参照せずに特定の遊技状態に用いる抽選テーブルを選択して抽選を行う構成、すなわち遊技状態フラグを優先して参照し、必要な場合のみＲＴフラグを参照する構成であるが、遊技状態フラグの値と、ＲＴフラグの値と、の双方を用いて内部抽選に用いる抽選テーブルが特定される構成としてもよい。
【０２４０】
［ペナルティについて］
本実施例においては、ＡＴ中ではない非ＡＴ中のゲームにおいて推奨操作手順で操作されなかった場合には、推奨操作手順で操作されたときには科されることのない遊技者にとって不利な所定のペナルティを生じさせる制御が行われる。ここで、推奨操作手順とは、左第１停止、中第２停止、右第３停止であり、推奨操作手順以外の操作手順を非推奨操作手順という。推奨操作手順については、左第１停止、中第２停止、右第３停止に限らず、他の操作手順であってもよい。このように、推奨操作手順以外の操作手順により操作がされるとペナルティを付与させることにより、非ＡＴ中のゲームにおいて遊技者に推奨操作手順で操作させることを遊技者に促すことができる。また、換言すれば、推奨操作手順に応じた順番でリールを停止させたときにはペナルティが付与されない一方、推奨操作手順に応じた順番とは異なる順番でリールを停止させたときにはペナルティは付与される。たとえば、左リール２Ｌ、中リール２Ｃ、右リール２Ｒの順番で停止されたときには、ペナルティは付与されないが、中リール２Ｃ、左リール２Ｌ、右リール２Ｒの順番で停止されたときには、ペナルティは付与される。
【０２４１】
一方、後述する選択説明演出が実行されるゲームであれば、推奨操作手順に応じた順番とは異なる順番で遊技者に操作されたとしても、ペナルティは付与されない。
【０２４２】
また、所定のペナルティとしては、ナビストックを付与するか否かのＡＴ抽選において、ＡＴ当選確率や付与されるナビストック数の期待値が低下されたり、後述するＡＴフリーズが実行されなくなったりする。ペナルティは、これらに限らず、遊技者にとって不利益を被るものであれば、如何なるものであってもよい。これにより、ペナルティが科されてしまうと、遊技者にとって有利となるＡＴに制御されにくくなるため、ペナルティが科されないように、遊技者は非ＡＴ中に推奨操作手順でストップスイッチを操作するようになる。
【０２４３】
［フリーズについて］
以下では、リプフリーズ以外のフリーズを単に「フリーズ」という。次に、本実施例のスロットマシン１で実行されるフリーズについて説明する。以下では、フリーズである状態を「フリーズ状態」といい、フリーズではない状態を「非フリーズ状態」であるという。本実施例では、強スイカまたは弱スイカが当選したときに、フリーズ抽選が実行され、当該フリーズ抽選によりフリーズ当選したゲームで、遊技者により逆押し操作されると、次のゲームでフリーズが実行される。つまり、フリーズ状態に制御されることにより、後述するＡＴ当選した可能性を報知することができる（ＡＴ当選したか否かを遊技者に対して煽ることができる）。
【０２４４】
また、非フリーズ状態のゲームにおいて、スタートスイッチ７が操作されると、前回ゲーム開始時から所定のウェイトタイムが経過していることを条件として、ゲームを進行させる操作（ストップスイッチ８Ｌ、８Ｃ、８Ｒのうち少なくともいずれかの操作であり、以下「ゲーム進行操作」という。）が有効化される。
【０２４５】
一方、フリーズ状態のゲームでは、非フリーズ状態とは異なる態様で、メイン制御部４１によりリールが制御される。「非フリーズ状態とは異なる態様」とはたとえば、リールが回転しなかったり、非フリーズ状態とは異なる速度でリールが回転したり、非フリーズ状態とは逆回転にリール回転することである。また、フリーズ状態中は、ゲーム進行操作が有効化されず、非フリーズ状態に切り替わったときに、ゲーム進行操作が有効化される。つまり、フリーズは、ゲーム進行操作を有効化させるタイミングを強制的に所定期間、遅延させるものである。また、遅延されるゲーム進行操作は、複数の操作のうち少なくとも１つとしてもよい。本実施例では、ゲーム進行操作をストップスイッチ８Ｌ、８Ｃ、８Ｒすべての操作とする。なお、ゲーム進行操作は他の操作部（たとえば、スタートスイッチ７やＭＡＸＢＥＴスイッチ６）としてもよい。
【０２４６】
また、フリーズ状態中では、サブ制御部９１により、後述するフリーズ演出が実行される。具体的には、フリーズ演出とは、フリーズに対応して、サブ制御部９１により実行される演出である。具体的には、フリーズ演出は、フリーズに対応させて液晶表示器５１に画像を表示させる演出や、フリーズに対応させて演出効果ＬＥＤ５２を発光させる演出や、フリーズに対応させてスピーカ５３、５４から音を出力させる演出等を含む。本実施例では、液晶表示器５１に、「ＡＴ当選しているかも」などといったメッセージを表示させる。また、ＡＴ当選しているか否かを遊技者に対して煽るメッセージであれば、如何なるメッセージでもよい。
【０２４７】
［フリーズ関連処理について］
図１８を用いて、フリーズ関連処理について説明する。図１８は、フリーズ関連処理を説明するための図である。フリーズ関連処理は、メイン制御部４１により、１ゲーム開始に関連するタイミング（たとえば、遊技者によりスタートスイッチ７が操作されるタイミング）で実行される。以下の説明では、フリーズ関連処理が実行されているゲームを「今回ゲーム」といい、当該今回ゲームの１ゲーム前のゲームを「前回ゲーム」という。当該今回ゲームの１ゲーム後のゲームを「次回ゲーム」という。
【０２４８】
まず、Ｓ４０２において、次ゲームフリーズ許可フラグが、ＲＡＭ４１ｃにセット（格納）されているか否かが判断される。次ゲームフリーズ許可フラグとは、次回ゲームでフリーズ実行が許可されていることを示すフラグである。Ｓ４０２において、次ゲームフリーズ許可フラグがセットされていないと判断されると、Ｓ４０４に移行する。
【０２４９】
Ｓ４０４において、今回ゲームのスタートスイッチ７操作時の内部抽選により、中段チェリーまたは強チェリーが当選しているか否かが判断される。中段チェリーまたは強チェリーが当選していると判断された場合には（Ｓ４０４のＹＥＳ）、Ｓ４０６に移行してフリーズ抽選が実行される。このように、中段チェリーまたは強チェリーの当選は、フリーズ抽選が実行される契機となる。一方、強スイカおよび弱スイカのいずれにも当選していないと判断された場合には（Ｓ４０４のＮＯ）、フリーズ関連処理は終了される。
【０２５０】
Ｓ４０６において、フリーズ抽選用テーブルを用いて、次回ゲームにおいてフリーズが実行されるか否かを決定するフリーズ抽選を実行する。図１９は、フリーズ抽選用テーブルの一例である。以下では、フリーズ抽選により、「フリーズを実行することが決定される」ことを「フリーズ当選」といい、「フリーズを実行しないことが決定される」ことを「フリーズ非当選」という。また、フリーズ当選したゲームを「フリーズ当選ゲーム」という。つまり、フリーズ当選ゲームは、中段チェリーまたは強チェリーが当選したゲームでもある。
【０２５１】
後述する図２１で説明するように、中段チェリーが当選したときは、ＡＴ抽選に必ず当選する（必ず１以上のナビストックが付与される）一方、強チェリーが当選したときは、ＡＴ抽選に当選しない場合がある。また、本実施例のスロットマシン１は、ＡＴ確定フリーズと、ＡＴチャンスフリーズを有する。図１９の例では、中段チェリーが当選したときには、９０％の確率でＡＴ確定フリーズに当選し、ＡＴチャンスフリーズには当選せず、１０％の確率でフリーズ非当選となる。一方、強チェリーが当選したときには、ＡＴ確定フリーズに当選せず、９０％の確率でＡＴチャンスフリーズに当選し、１０％の確率でフリーズ非当選となる。
【０２５２】
ここで、ＡＴ確定フリーズの当選確率は、中段チェリーが当選したときには９０％であるのに対し、強チェリーが当選したときには０％である。つまり、ＡＴ確定フリーズが当選して実行されるということは、中段チェリーに当選しているということであるからＡＴ当選している（１以上のナビストックが付与される）ことが確定しているということである。一方、ＡＴチャンスフリーズが当選して実行されるということは、強チェリーに当選していることからＡＴ当選しているか否かが不確定であるということである。
【０２５３】
また、ＡＴ確定フリーズおよびＡＴチャンスフリーズの動作態様については、遊技者がこれら２つのフリーズを判別することができれば、如何なる動作態様であってもよい。前述のように、ＡＴ確定フリーズはＡＴ当選していることが確定されたフリーズであり、ＡＴチャンスフリーズはＡＴ当選していることが不確定であるフリーズである。したがって、ＡＴ確定フリーズはＡＴチャンスフリーズよりも派手な態様であることが好ましい。
【０２５４】
たとえば、ＡＴ確定フリーズは、非フリーズ状態と比較して大きく異なった態様でリールを制御させる。ＡＴ確定フリーズは、たとえば、非フリーズ状態のリール回転方向と逆方向に、非フリーズ状態のリール回転速度よりもかなり速い速度でリールを回転させるフリーズである。さらに、ＡＴ確定フリーズが実行される際には、サブ制御部９１により、派手なフリーズ演出を実行するようにしてもよい。
【０２５５】
一方、ＡＴチャンスフリーズは、ＡＴ確定フリーズよりも地味な態様であることが好ましい。ＡＴチャンスフリーズは、たとえば、非フリーズ状態のリール回転方向と同一方向に、非フリーズ状態のリール回転速度よりも少し速い速度でリールを回転させるフリーズである。また、ＡＴチャンスフリーズが実行される際には、サブ制御部９１によりフリーズ演出を実行させないようにしてもよい。
【０２５６】
このように、本実施例では、派手な態様のＡＴ確定フリーズと地味な態様のＡＴチャンスフリーズとがあり、ＡＴ当選している確率が異なる２種類のフリーズを実行することが可能であるから、遊技の興趣を向上させることができる。より詳細には、ＡＴ確定フリーズを実行することにより、ＡＴ当選が確定していることを遊技者に思わせることができ、ＡＴチャンスフリーズを実行することにより、ＡＴ当選しているか否かの期待感を遊技者に与えることができるので遊技の興趣を向上させることができる。
【０２５７】
Ｓ４０８において、メイン制御部４１は、フリーズ抽選に応じたフリーズ実行可否コマンドをサブ制御部４１に対して送信する。具体的には、Ｓ４０６のフリーズ抽選の結果が、フリーズ当選であるときには、フリーズ当選した旨のフリーズ実行可否コマンドをサブ制御部４１に対して送信する。また、Ｓ４０６のフリーズ抽選の結果が、フリーズ非当選であるときには、フリーズ非当選した旨を示すフリーズ実行可否コマンドをサブ制御部４１に対して送信する。
【０２５８】
Ｓ４１０において、Ｓ４０８のフリーズ抽選の結果がフリーズ当選であるときには（Ｓ４１０のＹＥＳ）、Ｓ４１２に移行する。また、Ｓ４０８のフリーズ抽選の結果がフリーズ非当選であるときには（Ｓ４１０のＮＯ）、フリーズ関連処理を終了させる。Ｓ４１２では、次ゲームフリーズ許可フラグがＲＡＭ４１ｃにセット（格納）される。Ｓ４１２の処理終了後、フリーズ関連処理を終了させる。
【０２５９】
一方、Ｓ４０２において、次ゲームフリーズ許可フラグがセットされていると判断されたときには（Ｓ４０２のＹＥＳ）、Ｓ４１４に移行する。Ｓ４１４では、前回ゲームが逆押しされたか否かが判断される。ここで、「前回ゲーム」とは、次ゲームフリーズ許可フラグがセットされたゲームであり、フリーズ当選ゲームである。Ｓ４１４において、前回ゲームで逆押しされたと判断されたときには（Ｓ４１４のＹＥＳ）、Ｓ４１６に移行し、前回ゲームで逆押しされていないと判断されたときには（Ｓ４１４のＹＥＳ）、Ｓ４２０に移行する。前回ゲームで逆押しされたか否かの判断は、右ストップスイッチ８Ｒ、中ストップスイッチ８Ｃ、左ストップスイッチ８Ｌの順番で、スイッチ検出回路４４が、検出信号を取り込んだか否かで判断する。
【０２６０】
Ｓ４１６において、メイン制御部４１は、Ｓ４０６のフリーズ抽選で当選した種類のフリーズ（ＡＴ確定フリーズまたはＡＴチャンスフリーズ）を実行する（フリーズ状態に制御する）。次に、Ｓ４１８において、メイン制御部４１は、サブ制御部９１に対してフリーズコマンドを送信する。サブ制御部９１は、当該フリーズコマンドを受信して当該フリーズコマンドを解析することにより、フリーズが実行されること、および実行されるフリーズの種類を特定することができる。なお、Ｓ４１６の処理とＳ４１８の処理の順番は逆であってもよい。次に、Ｓ４２０において、ＲＡＭ４１ｂに格納されていた次ゲームフリーズコマンドがクリアされる。
【０２６１】
［ＡＴ関連処理について］
サブ制御部９１は、ＡＴ抽選において１以上のナビストック数が決定されたときに、ＡＴである旨及びナビストック数を示すＡＴフラグをＲＡＭ９１ｃの所定領域に格納する。サブ制御部９１は、ＲＡＭ９１ｃのＡＴフラグに基づき、ＡＴに制御するか否かを特定するとともに、残りのナビストック数を特定する。ＡＴである旨を示すＡＴフラグがセットされている状態であるときに、ナビストック数を１消費してＡＴに制御可能となる。
【０２６２】
尚、ＡＴである旨を示すＡＴフラグがセットされているときに、ナビストック数を獲得したときには、ＡＴフラグから特定されるナビストック数に今回獲得したナビストック数を上乗せ加算させる。
【０２６３】
例えば、ＡＴである旨を示すＡＴフラグがセットされているときに、ＡＴ抽選が行われる場合には、当該ＡＴ抽選の結果に応じたＡＴフラグに更新される。ＡＴ抽選の結果に応じたＡＴフラグに更新するとは、例えば、ＲＡＭ９１ｃの所定領域に格納されているＡＴフラグから特定されるナビストック数に今回のＡＴ抽選の結果に応じたナビストック数を上乗せ加算したナビストック数を特定するＡＴフラグに書き換えることであっても良く、ＡＴ抽選の結果に応じた現在のＡＴフラグが特定可能になる手法であれば、どのようなものであってもよい。
【０２６４】
サブ制御部９１は、通常・ＲＴ１〜４であるときに、ＡＴ制御処理に含まれるＡＴ管理処理を行うことにより、ＡＴ抽選の結果に応じてセットされるＡＴフラグに基づき、ＡＴへの制御を管理する。
【０２６５】
具体的に、サブ制御部９１は、通常・ＲＴ１において、ＡＴフラグからＡＴである旨が特定されたときには、ＡＴに制御する。すなわち、ナビストックが残っているときには、ＡＴの制御を開始する。通常・ＲＴ１から通常・ＲＴ０に移行するまでの期間においては、ナビストック数を消費（減算）することなく、ＡＴに制御されて、通常ナビ演出が実行可能となる。
【０２６６】
ＡＴに制御されているときであって、通常・ＲＴ１から通常・ＲＴ０に制御されるときまたは通常・ＲＴ０または通常・ＲＴ２において所定ゲーム数経過したときには、ナビストック数を１消費（減算）することによるＡＴへの開始条件が成立し、所定ゲーム数（本実施例では５０ゲーム）の通常ナビ演出が実行されるまでの間、再遊技役の当選確率が高いＲＴかつＡＴであるＡＲＴに制御する。尚、ナビストック数を１消費したときには、１減算したナビストック数を示すＡＴフラグに更新される。
【０２６７】
サブ制御部９１は、ＡＴ管理処理においてナビストックを１消費したとき、すなわち通常・ＲＴ１から通常・ＲＴ０に移行したときまたは通常・ＲＴ０または通常・ＲＴ２において所定ゲーム数経過したときに、所定のＡＴゲーム数だけＡＴに制御する。本実施例では、１ナビストック当たり５０ゲームのＡＴゲーム数に制御されるが、他のＡＴゲーム数であってもよい。
【０２６８】
また、サブ制御部９１は、ＡＴ管理処理を行うことにより、ＡＲＴであるときには、残りゲーム数が０となったときには非ＡＴに制御する。このときに、ＡＴフラグが示すナビストック数が０であれば、ＡＴでない旨を示すＡＴフラグに更新される。すなわち、一連のＡＴの終了条件は、ＡＴから非ＡＴに制御するときのＡＴフラグがナビストック数０であるときに成立する。
【０２６９】
非ＡＴに制御されたときのＡＴフラグからＡＴでない旨が特定されたときには、再度ＡＴに制御されず、通常ナビ演出が実行されない。これにより、通常・ＲＴ０または通常・ＲＴ２であるときには、移行出目が揃う可能性が高まり、通常・ＲＴ１に制御される可能性が高まる。
【０２７０】
一方、非ＡＴに制御されたときのＡＴフラグから特定されるナビストック数が１以上であれば、通常ナビ演出の対象役が当選したときに、ナビストック数を１消費し、５０ゲームにわたり通常ナビ演出が行われるまでＡＴに制御される。そしてナビストック数も０となり、ナビ回数も０となることでＡＴが終了することとなる。
【０２７１】
サブ制御部９１は、ＡＴ管理処理を行うことにより、ＡＴフラグからＡＴである旨が特定されている場合には、遊技状態に応じたナビ対象役に当選することにより、通常ナビ演出を実行する。本実施例では、ナビ対象役は押し順ベルであるとする。また、押し順ベルのいずれかに当選したときの通常ナビ演出としては、右下がりベルまたは中段ベル（主役）を確実に入賞させるための押し順（図１７参照）が報知される。例えば、左ベルに当選したときには、左リールを第１停止リールとして停止させることにより右下がりベルを確実に入賞させることができるため、左リールを第１停止リールとして停止させるための「左！」といったメッセージが、液晶表示器５１に表示される。また、中ベルに当選したときには、中リールを第１停止リールとして停止させることにより中段ベルを確実に入賞させることができるため、中リールを第１停止リールとして停止させるための「中！」といったメッセージが、液晶表示器５１に表示される。また、右ベルに当選したときには、右リールを第１停止リールとして停止させることにより中段ベルを確実に入賞させることができるため、右リールを第１停止リールとして停止させるための「右！」といったメッセージが、液晶表示器５１に表示される。
【０２７２】
以上のように、本実施例における通常ナビ演出は、遊技者にとって有利となる操作態様を想起させるメッセージが、ナビ対象役の種類に関わらず同じ態様で報知される。このため、遊技者は、当選したナビ対象役の種類を意識せずに遊技者にとって有利となる操作態様で操作することができる。
【０２７３】
尚、通常ナビ演出の態様は、このような態様に限らず、遊技者が当選状況に応じて区別可能な態様であればどのようなものであってもよい。また、通常ナビ演出は、液晶表示器５１に表示するものに限らず、演出効果ＬＥＤ５２、スピーカ５３、５４、リールＬＥＤ５５等を用いて実行するものであってもよい。
【０２７４】
そして、通常ナビ演出が実行されることにより、意図的に当選した昇格リプレイ入賞、特殊リプレイ入賞、ＳＰリプレイ入賞、ベル入賞を入賞させること、転落リプレイ入賞回避させることができる。
【０２７５】
［演出関連処理について］
次に、図２０を用いて、演出関連処理について説明する。図２０は、演出関連処理を説明するための図である。演出関連処理は、図１８記載のフリーズ関連処理が終了したときに、サブ制御部９１により実行される。また、以下の説明では、演出関連処理が実行されているゲームを「今回ゲーム」といい、当該今回ゲームの１ゲーム前のゲームを「前回ゲーム」といい、当該今回ゲームの１ゲーム後のゲームを「次回ゲーム」という。
【０２７６】
まず、Ｓ５００において、ＡＴ抽選用テーブルを用いて、ＡＴ抽選が実行される。図２１は、ＡＴ抽選用テーブルの一例を示したものである。図２１を用いて、ＡＴ抽選用テーブルおよびＡＴに関連する処理について説明する。なお、ＡＴ抽選用テーブルはＲＯＭ９１ｂに予め格納されている。
【０２７７】
ＡＴ抽選条件は、ＲＴ０〜４において、チェリー（弱チェリー、強チェリー、中段チェリー）、スイカ（弱スイカ、強スイカ）が当選することにより成立する。また、チェリー（弱チェリー、強チェリー、中段チェリー）、スイカ（弱スイカ、強スイカ）をまとめて「ＡＴ抽選対象役」という。
【０２７８】
通常・ＲＴ０〜４であるときにＡＴ抽選対象役が当選することにより、ＡＴ抽選条件が成立したときには、図２１に示すＡＴ抽選用テーブルを参照してＡＴ抽選が行われる。尚、サブ制御部９１は、例えばメイン制御部４１からの遊技状態コマンドに基づき、通常・ＲＴ０〜４であることを特定し、内部当選コマンドに基づきＡＴ抽選対象役のいずれかに当選したことを特定する。
【０２７９】
また、図２１に示すように、ＡＴ抽選対象役として、弱スイカ当選、強スイカ当選、弱チェリー当選、強チェリー当選、中段チェリー当選により、それぞれ、ナビストックが付与される確率が異なるように設定されている。また、以下では、付与されるナビストックが「０」であるときを「ＡＴ非当選」といい、付与されるナビストックが「１以上」であるときを「ＡＴ当選」という。
【０２８０】
次に、図２１の詳細を説明する。弱スイカが当選したときには、９５％の割合でナビストック数が０に決定され、５％の割合でナビストック数が１に決定されるように、ＡＴ抽選が行われる。つまり、１回のＡＴ抽選で獲得することが期待され得る期待ナビストック数が、ナビストック数×当選率の和から、０．０５（＝０×９５％＋１×５％）となるように構成されている。また、ＡＴ当選確率は、５％となる。他のＡＴ抽選対象役については、図２１に示す通りなので説明を省略する。なお、図２１に示すように、強チェリーが当選したときのＡＴ当選確率は４０％であるのに対し、中段チェリーが当選したときのＡＴ当選確率は１００％である。
【０２８１】
説明を図２０に戻す。Ｓ５００のＡＴ抽選処理が終了すると、Ｓ５０２に移行する。Ｓ５０２において、説明済みフラグがＲＡＭ９１ｃにセット（格納）されているか否かが判断される。説明済みフラグについては後述する。Ｓ５０２において、説明済みフラグがセットされていないと判断されると（Ｓ５０２のＹＥＳ）、Ｓ５０４に移行する。
【０２８２】
Ｓ５０４においては、フリーズ当選した旨のフリーズ実行可否コマンドを受信したか否かが判断される。ここで、当該フリーズ実行可否コマンドは、Ｓ５０４の処理が実行されたゲームで行われたフリーズ関連処理のＳ４０８（図１８参照）において、送信されたものである。Ｓ５０４において、フリーズ当選した旨のフリーズ実行可否コマンドを受信したと判断されると（Ｓ５０４のＹＥＳ）、Ｓ５０６に移行する。一方、Ｓ５０４において、フリーズ非当選した旨のフリーズ実行可否コマンドを受信したと判断されると（Ｓ５０４のＮＯ）、演出関連処理を終了させる。
【０２８３】
Ｓ５０６において、規制カウンタが１以上であるか否かが判断される。ここで、本実施例では、規制カウンタは、規制期間が終了するまでのゲーム数を示す。当該規制期間とは、フリーズ当選したときには、フリーズの実行を間接的に規制するための順押し説明演出が実行される期間である。後述するＳ５２２において、フリーズ状態に制御された（ＡＴ確定フリーズまたはＡＴチャンスフリーズが実行される）ときには、規制カウンタは「５」にセットされる。たとえば、規制カウンタが「３」を示している場合には、規制期間が終了するまでのゲーム数が「３」であることを示す。また、規制カウンタは、１ゲームが開始される（スタートスイッチ７が操作される）ごとに、１減少される。
【０２８４】
Ｓ５０６において、規制カウンタが１以上でないと判断された場合（Ｓ５０６のＮＯ）Ｓ５０８に移行する。規制カウンタが１以上でないと判断されるということは、規制カウンタがセットされていないことをいう。Ｓ５０８においては、遊技状態が内部中（図９に示すように内部中１または内部中２）であるか否かが判断される。内部中であるか否かの判断は、メイン制御部４１から送信される遊技状態コマンドを解析することにより実行される。
【０２８５】
内部中ではないと判断されると（Ｓ５０８のＮＯ）、Ｓ５１０に移行される。Ｓ５１０においては、選択説明演出背景抽選が実行される。まず、選択説明演出について説明する。当該選択説明演出とは、当該選択説明演出が実行されたゲームの次のゲームにおいて、フリーズを実行させるか、単ゲーム演出を実行させるかが選択可能であることを遊技者に報知する演出である。具体的には、当該選択説明演出は、「逆押しすれば、当該逆押しした次のゲームのスタート時にフリーズが実行され、順押しすれば当該順押しした次のゲームのスタート時に後述する単ゲーム演出（Ｓ５２６参照）が実行される」ことを特定可能な情報を報知する演出である。たとえば、選択説明演出は、「逆押しすればフリーズが実行され、順押しすれば単ゲーム演出が実行される」旨のメッセージを液晶表示器５１に表示させることである。遊技者は、当該メッセージを目視することにより、「逆押しすればフリーズが実行され、順押しすれば単ゲーム演出が実行される」ことを認識することができる。また、本実施例では、選択説明演出が実行されたゲームにおいて、遊技者が逆押ししたとしても、ペナルティは付与されない。
【０２８６】
次に、選択説明演出背景抽選について説明する。選択説明演出背景抽選は、図２２に示す選択説明演出背景決定用テーブルを用いて、選択説明演出の背景色を決定する抽選である。図２２の例では、Ｓ５１０の処理が実行されるゲームにおいて、Ｓ５００のＡＴ抽選の結果、ＡＴ当選しているときには、９０％の確率で、選択説明演出の背景色を「赤色」に決定し、１０％の確率で選択説明演出の背景色を「青色」に決定する。また、ＡＴに当選していないときには、１０％の確率で、選択説明演出の背景色を「青色」に決定し、９０％の確率で選択説明演出の背景色を「赤色」に決定する。次に、Ｓ５１２において、Ｓ５１０で決定された背景色を適用して選択説明演出を開始する。また、背景色が赤色であるときには、「ＡＴ当選しているかも」というメッセージも表示され、背景色が青色であるときには、「ＡＴ当選していないかも」というメッセージも表示される。以下では、これらのメッセージを「背景色に付随したメッセージ」という。
【０２８７】
このような選択説明演出を実行することにより、「逆押しすればフリーズが実行され、順押しすれば単ゲーム演出が実行される」ことを遊技者に認識させることができる。さらに、選択説明演出の背景色および当該背景色に付随したメッセージにより、ＡＴ当選している可能性を遊技者に報知できる。具体的には、選択説明演出の背景色が「赤色」である場合には、ＡＴ当選している確率が高い旨を遊技者に認識させることができ、選択説明演出の背景色が「青色」である場合には、ＡＴ当選している確率が低い旨を遊技者に認識させることができる。したがって、選択説明演出で表示される「逆押しすればフリーズが実行され、順押しすれば単ゲーム演出が実行される」旨のメッセージのみならず、選択説明演出の背景色についても遊技者に注目させることができ、遊技の興趣を向上させることができる。
【０２８８】
Ｓ５１２の処理において、選択説明演出が開始されると、Ｓ５１４において、説明済みフラグがＲＡＭ９１ｃにセット（格納）される。説明済みフラグとは、選択説明演出が開始されたことを特定するフラグである。
【０２８９】
次に、Ｓ５０６において、規制カウンタが１以上であると判断されたときについて説明する（Ｓ５０６のＹＥＳ）。規制カウンタが１以上であると判断されたということは、規制期間に制御されていることをいう。つまり、Ｓ５０４およびＳ５０６においてＹＥＳと判断されたということは、規制期間中にフリーズ当選したことをいう。このように、規制期間中にフリーズ当選した場合には、順押し説明演出が実行される。
【０２９０】
ここで、順押し説明演出について説明する。順押し説明演出とは、遊技者に対して、順押しを実行することを推奨する演出である。具体的には、「左中右」といった順押しを想起させるメッセージを液晶表示器５１に表示させる。また、順押し説明演出は、通常ナビ演出と同じ態様で実行することが好ましい。
【０２９１】
一般的に、遊技者は、有利な状態に移行させるため、または不利な状態に移行させないために、通常ナビ演出が実行されたときには、当該通常ナビ演出で報知された操作手順通りに操作を行う可能性が高い。したがって、順押し説明演出を、通常ナビ演出と同じ態様で実行することにより、遊技者は、順押し説明演出が報知される操作手順通り（順押し）に操作を行う可能性が高い。
【０２９２】
ここで、順押しが実行されることにより、当該順押しされたゲームの次のゲームで実行されるフリーズ関連処理（図１８参照）のＳ４１４でＮＯと判断されるため、当該次のゲームでフリーズが実行されなくなる。つまり、順押し説明演出を実行することにより、当該順押し説明演出が実行されたゲームの次のゲームで間接的にフリーズを実行させないようにすることができる。Ｓ５１６の処理が終了すると、Ｓ５１４において、説明済みフラグがセットされる。
【０２９３】
次に、Ｓ５０２において、説明済みフラグがセットされていると判断された場合（Ｓ５０２のＹＥＳ）について説明する。この場合には、Ｓ５１８に移行する。Ｓ５１８では、フリーズコマンドを受信したか否かを判断する。ここで、当該フリーズコマンドとは、このＳ５１８の処理が実行されたゲームで行われたフリーズ関連処理のＳ４１８で送信されたフリーズコマンドである。つまり、Ｓ５１８でフリーズコマンドを受信したと判断されたということは、「前回ゲームで遊技者により逆押しされたことにより、今回ゲームでフリーズが実行される」ことを意味する。逆に、Ｓ５１８でフリーズコマンドを受信していないと判断されたということは、「前回ゲームで遊技者により逆押し以外の操作手順で操作されたことにより、今回ゲームではフリーズが実行されない」ことを意味する。
【０２９４】
Ｓ５１８において、フリーズコマンドを受信したと判断されると（Ｓ５１８のＹＥＳ）、Ｓ５２０に移行する。一方、Ｓ５１８において、フリーズコマンドを受信していないと判断されると（Ｓ５１８のＮＯ）、Ｓ５２４に移行する。
【０２９５】
Ｓ５２４においては、「前回ゲームで順押しされた旨の操作検出コマンド」を受信したか否かが判断される。ここで、「前回ゲームで順押しされた旨の操作検出コマンドを受信する」とは、左ストップスイッチ８Ｌの操作を検出した操作検出コマンド、中ストップスイッチ８Ｌの操作を検出した操作検出コマンド、右ストップスイッチ８Ｌの操作を検出した操作検出コマンド、の順番で操作検出コマンドを受信することである。Ｓ５２４において、前回ゲームで順押しされた旨の操作検出コマンドを受信したと判断された場合には（Ｓ５２４のＹＥＳ）、Ｓ５２６に移行する。一方、Ｓ５２４において、前回ゲームで順押しされた旨の操作検出コマンドを受信したと判断されなかった場合には（Ｓ５２４のＮＯ）、Ｓ５２２に移行する。また、Ｓ５２４でＮＯと判断されるということは、前回ゲームにおいて、逆押しおよび順押しのいずれでもない操作手順で操作されたことをいう。
【０２９６】
Ｓ５２０においては、Ｓ４１８で送信されたフリーズコマンドを解析することにより、Ｓ４１６で実行されるフリーズの種類を特定し、当該特定された種類のフリーズに対応するフリーズ演出データをＲＡＭ９１ｃにセットすることにより、フリーズと同期させてフリーズ演出が実行される。また、フリーズ演出データは、フリーズに対応させて液晶表示器５１に画像を表示させる演出データや、フリーズに対応させて演出効果ＬＥＤ５２を発光させる演出データや、フリーズに対応させてスピーカ５３、５４から音を出力させる演出データ等を含む。また、フリーズ演出は、フリーズと同時に実行されることが好ましい。
【０２９７】
Ｓ５２０においては、さらに、フリーズ演出を実行した後、フリーズが終了するときにフリーズ演出を終了させてバトル演出を実行するためのデータを設定する。当該バトル演出とは、液晶表示器５１において、味方キャラクタＡと敵キャラクタＢがバトルを行い、味方キャラクタＡが勝利すると、当該勝利した旨とともに、ＡＴ当選した旨が報知され、バトル演出が終了する。一方、味方キャラクタが敗北すると、当該敗北した旨と共にＡＴ当選しなかった旨が報知され、バトル演出が終了する。以下では、味方キャラクタＡが勝利した旨、およびＡＴ当選した旨が報知されるバトル演出を「勝利バトル演出」といい、味方キャラクタＡが敗北した旨、およびＡＴ当選しなかった旨が報知されるバトル演出を「敗北バトル演出」という。つまり、ＡＴ当選のときに実行されるバトル演出は、「勝利バトル演出」であり、ＡＴ非当選のときに実行されるバトル演出は、「敗北バトル演出」である。
【０２９８】
このように、バトル演出は、規制期間（規制カウンタが１〜５である期間）中に亘って実行される演出である。また、バトル演出では、最終的にＡＴ当選したか否かの結果（バトル演出の結果）を報知する。
【０２９９】
Ｓ５２０の処理が終了すると、Ｓ５２２において、規制カウンタが５にセットされる。前述したように、規制カウンタが５にセットにされるということは、５ゲームの規制期間への移行が開始されたことをいう。Ｓ５２２の処理が終了すると、Ｓ５２３の処理へ移行する。
【０３００】
また、Ｓ５２６においては、単ゲーム演出データをＲＡＭ９１ｃにセットすることにより、単ゲーム演出が実行される。ここで、単ゲーム演出とは、スタートスイッチが操作されたときに実行開始され、第１停止および第２停止がされる毎に進行され、第３停止がされたときに終了する演出である。フリーズは、ゲーム進行操作を有効化させるタイミングを強制的に所定期間、遅延させるものである。一方、単ゲーム演出は遊技の進行操作に応じて進行される演出であってかつ１ゲーム間で終了する演出であり、遊技者の意思により終了させることができる演出である。したがって、第１〜第３停止が早く実行されたときの単ゲーム演出の実行時間は、フリーズの実行時間よりも短いといえる。
【０３０１】
Ｓ５２２の処理またはＳ５２６の処理が終了すると、Ｓ５２３において、説明済みフラグがクリアされる。
【０３０２】
つまり、前回ゲームにおいて逆押しされたときには、今回ゲームでフリーズが実行されることになり、前回ゲームにおいて順押しされたときには、今回ゲームで単ゲーム演出が実行されることになり、さらに、前回ゲームにおいて、逆押しおよび順押しのいずれでもない操作手順で操作されたときには、フリーズおよび単ゲーム演出のいずれも実行されないことになる。
【０３０３】
［フリーズと順押し説明演出について］
次に、図２３を用いて、フリーズと順押し説明演出の関係について説明する。図２３（Ａ）（Ｂ）はそれぞれ、本実施例、変形例のフリーズと順押し説明演出の関係を示したものである。また、図１８のＳ５１８、Ｓ５２０で説明したように、本実施例では、フリーズの発生を契機としてバトル演出が実行される。また、図２３において、「Ｇ」は「ゲーム」を示す。
【０３０４】
図２３（ａ）に示すように、フリーズが実行されると（図１８のＳ４１６）、バトル演出が実行されるとともに（図２０のＳ５２０参照）、規制期間に移行される（図２０のＳ５２２）。図２３（ｂ）に示すように、当該規制期間中に新たにフリーズ当選すると（Ｓ５０４のＹＥＳおよびＳ５０６のＹＥＳ）、図２３（ｃ）に示すように、順押し説明演出が実行される（Ｓ５１６）。当該順押し説明演出が実行されることにより、遊技者に対して、順押しすることを推奨することができることから、当該順押しされた次のゲームでは、フリーズを実行させないようにすることができる。
【０３０５】
以下に、本実施例のスロットマシンンの効果について説明する。
（１）  もし、フリーズが実行されることによりバトル演出が実行され、当該バトル演出中に、再びフリーズ当選してフリーズが発生すると仮定すると、バトル演出による結果（フリーズによる結果）が報知されるまでに、当該フリーズが発生することになり、遊技者が混乱してしまう虞がある。
【０３０６】
そこで、本実施例のスロットマシンでは、バトル演出中（規制期間中）に、再びフリーズ当選したときには、順押し説明演出を実行する（Ｓ５１６）。当該順押し説明演出が実行されることにより、遊技者に対して、順押しすることを推奨することができることから、当該順押しされた次のゲームでは、フリーズを実行させないようにすることができる。したがって、当該バトル演出中（規制期間中）に再びフリーズ当選したときには、順押し説明演出が実行されることにより、間接的にフリーズを実行させないようにすることができ、前述した遊技者の混乱を防止することができる。
【０３０７】
さらに、通常ナビ演出と同じ態様で順押し説明演出は実行される。したがって、高い割合で、順押し説明演出で報知した順押操作を遊技者に行なわせることができ、規制期間中にフリーズが実行されることを規制することができる。
【０３０８】
（２）  また、フリーズ当選したときにおいて、ＡＴ当選した可能性を報知するバトル演出を実行した後に、ＡＴ当選したか否かの結果報知を実行する。したがって、当該バトル演出を実行することにより、ＡＴ当選したか否かの期待感を遊技者に対して抱かせることができる。これとともに、バトル演出実行中は、フリーズ当選したとしても、間接的にフリーズを実行させないようにすることから、当該バトル演出とフリーズが並行して実行されることを防止できることから、遊技者の混乱を防止することができる。
【０３０９】
（３）  また、本実施例のスロットマシン１は、ＡＴ当選した期待度が異なる２種類のフリーズ（ＡＴ確定フリーズおよびＡＴチャンスフリーズ）を有する。したがって、遊技の興趣を向上させることができる。また、規制期間中に、当該２種類のフリーズのうちいずれがフリーズ当選したとしても、順押し説明演出を実行することにより、当該フリーズ当選に基づくフリーズを間接的に実行させないようにすることができ、当該順押し説明演出を実行する処理を共通化させることができ、処理負担を軽減することができる。
【０３１０】
（４）  また、規制期間中でなくとも（Ｓ５０８のＮＯ）、内部中であっても（Ｓ５０８）、フリーズ当選したときには、順押し説明演出が実行されることにより、間接的にフリーズを実行させないようにすることができる。もし、内部中にフリーズ当選してフリーズが発生すると仮定すると、当該内部中に内部中演出が実行された場合には、当該内部中演出実行中にも当該フリーズが発生することになり、遊技者が混乱してしまう虞がある。
【０３１１】
そこで、本実施例のように内部中に制御されているときも、順押し説明演出を実行することにより、間接的にフリーズを実行させないようにし、遊技者の混乱を防止することができる。
【０３１２】
また、本実施例では、内部中は２種類（内部中１、内部中２）あり、いずれの内部中に制御されているときでも、フリーズ当選したときには、順押し説明演出を実行する。したがって、内部中の種類に問わず、当該順押し説明演出を実行する処理は同一となるので、当該処理を共通化させることができ、処理負担を軽減することができる。
【０３１３】
（５）  また、実行されたフリーズが、ＡＴ確定フリーズおよびＡＴチャンスフリーズのいずれであっても、当該フリーズが実行されたときにはフリーズの種類を問わず、共通の規制期間に制御される。したがって、フリーズの種類を問わず、規制期間に制御させる処理や、順押し説明演出を実行する処理などを同一とすることができるので、これらの処理を共通化でき、処理負担を軽減することができる。
【０３１４】
（６）  また、フリーズは、ゲーム進行操作を有効化させるタイミングを所定期間、遅延させるものである。したがって、フリーズは、比較的、遊技時間を要するものであるといえる。よって、遊技店の閉店時刻間近に遊技を開始させた遊技者など、遊技時間をあまり確保できない遊技者にとって、遊技時間を要するフリーズが実行されると、遊技の低下を招く場合がある。
【０３１５】
そこで、本実施例のように、フリーズ当選ゲームにおいて、逆押しされたときおよび規制期間に制御されていないときには、次のゲームでフリーズを実行させる。一方、逆押し以外の操作手順で操作されたときには、フリーズを実行させない。したがって、遊技者の操作手順に応じて、遊技者は、フリーズを実行させるか否かを選択することができ、遊技者の趣向に合わせて遊技を進行させることができ、遊技の興趣を向上させることができる。
【０３１６】
また、フリーズ当選したか否かや、逆押しされたか順押しされたかに関わらず、後述するＡＴ抽選時に参照されるＡＴ抽選用テーブル（図２１参照）は同一である。したがって、フリーズ当選ゲームにおいて、逆押しされたことによりフリーズが実行されたときであっても、順押しされたことにより単ゲーム演出が実行されたときであっても、「ＡＴ当選確率」および「ＡＴ当選したときに付与されるナビストック数の期待値」は同一である。したがって、逆押しされたときと順押しされたときとでの不平等感を防止でき、遊技の興趣を向上させることができる。
【０３１７】
（７）  また、フリーズ当選ゲームにおいて、規制期間に制御されていないときに逆押しされたときには、フリーズが実行されることにより、ＡＴ当選したか否かを遊技者に対して煽る。一方、フリーズ当選ゲームにおいて、順押しされたときには、フリーズよりも実行時間が短い単ゲーム演出が実行されることにより、ＡＴ当選したか否かを遊技者に対して煽る。したがって、遊技者の操作手順に応じて、フリーズまたは単ゲーム演出のいずれかを実行させることができるので、遊技者の趣向に合わせた演出を実行させることができ、遊技の興趣を向上させることができる。
【０３１８】
（８）  また、本実施例では、フリーズ当選ゲームであって、逆押し以外の操作手順で操作されたときには、フリーズを必ず実行させない。したがって、遊技時間をあまり確保できない遊技者は、逆押し以外の操作手順で操作することにより、遊技時間を要するフリーズを必ず実行させないようにすることができ、遊技の興趣を向上させることができる。また、順押しされたゲームの次のゲームでは、フリーズより実行時間が短いといえる単ゲーム演出が実行され、当該単ゲーム演出は、１ゲームで終了する演出である。したがって、遊技時間をあまり確保できない遊技者は、単ゲーム演出を実行させることができるので、遊技の興趣を向上させることができる。
【０３１９】
（９）  また、本実施例では、強チェリーまたは中段チェリーが当選したゲームにおいて、フリーズ当選すると、選択説明演出を実行する。選択説明演出は、「逆押しすればフリーズが実行され、順押しすれば単ゲーム演出が実行される」ルールを特定可能な情報を報知する演出である。したがって、フリーズを実行させる手順および単ゲーム演出を実行させる手順を遊技者に認識させることができる。特に、このようなルールを知らない遊技者に対して、当該ルールを認識させることができることから、このような遊技者の遊技の興趣を向上させることができる。
【０３２０】
（１０）  また、本実施例では、ストップスイッチ８が操作される前に、フリーズ抽選（図１８のＳ４０６参照）によりフリーズを実行するか否かを決定する。このような構成により、実行する演出を多様化することができる。たとえば、逆押しすることで発生されるフリーズによるＡＴ当選の確率（期待度）を報知することができる。本実施例では、ＡＴ当選したか否かで選択説明演出の背景色を変更することにより、フリーズによるＡＴ当選の確率（期待度）を報知している。
【０３２１】
（１１）  また、本実施例では、中段チェリーまたは強チェリーが当選しており（図１８のＳ４０４のＹＥＳ）、かつフリーズ抽選でフリーズ当選したときに（図２０のＳ５０４のＹＥＳ）、選択説明演出を実行する。したがって、ストップスイッチ８が操作される前に、フリーズ抽選を実行することにより、選択説明演出で報知している内容を確実なものとすることができる。もし、第３停止後にフリーズ抽選をする構成であると仮定した場合、選択説明演出で報知された内容通りに遊技者が操作（第３停止）したときでも、フリーズ抽選の結果がフリーズ非当選である場合には、フリーズが実行されないことになる。そうすると、選択説明演出で報知された内容は、虚偽の内容となり、遊技者の選択説明演出に対する信頼感が喪失されてしまう虞がある。そこで、本実施例のように、ストップスイッチ８が操作される前に、フリーズ抽選を行うことにより、このような信頼感が喪失されてしまうということを回避することができる。
【０３２２】
以上、本発明の実施例を図面により説明してきたが、本発明はこの実施例に限定されるものではない。本発明は、上記の実施例に限られず、種々の変形、応用が可能である。以下、本発明に適用可能な変形例などについて説明する。また、前述した本実施例で説明した技術事項、および、以下の変形例で説明する技術事項のうち少なくとも２つを組み合わせて実施するようにしてもよく、前述した本実施例で説明した技術事項を以下の変形例で説明する技術事項に置換して実施するようにしてもよく、当該置換したものに対して、以下の変形例で説明する技術事項をさらに組み合わせて実施するようにしてもよい。
【０３２３】
［フリーズの規制について］
（１）  本実施例では、サブ制御部９１により規制期間に制御する構成を説明した。具体的には、図２３（Ａ）に示したように、規制期間中にフリーズ当選したときには、サブ制御部９１が順押し説明演出を実行することにより、当該サブ制御部９１により間接的にフリーズを発生しないようにするとして説明した。しかしながら、「サブ制御部９１により規制期間に制御する」構成を、「メイン制御部４１により制御期間に制御する」構成に代替するようにしてもよい。「メイン制御部４１により制御期間に制御する」構成とは、具体的には、規制期間中は、メイン制御部４１により直接的にフリーズを発生させない制御を行なうようにしてもよい。一例を図２３（Ｂ）に示す。図２３（Ｂ）（ｄ）に示すように、フリーズが当選したときには、規制期間に制御させる。当該規制期間はたとえば、５ゲームとする。当該規制期間に制御されているときには、規制フラグがＲＡＭ４１ｃに格納され、当該規制期間が終了すると、当該格納されていた規制フラグはクリアされる。
【０３２４】
また、図２３（Ｂ）（ｅ）に示すように、当該規制期間中（規制フラグが格納されているとき）にフリーズが当選したときには、フリーズを実行させないようにする。このような構成にすることにより、規制期間は確実にフリーズを実行させないようにすることができることから、確実に前述の遊技者の混乱を防止できる。また、サブ制御部９１は、フリーズを実行させない処理に関しては、何ら、処理を実行する必要がなく、サブ制御部９１の処理負担を軽減できる。以下では、本実施例で説明した順押し説明演出を実行することにより間接的にフリーズを実行させないこと、および本変形例でメイン制御部４１がフリーズを実行させないことをまとめて「フリーズを規制する」という。
【０３２５】
このように、スロットマシン１においては、規制期間に制御する処理を、メイン制御部４１またはサブ制御部９１のいずれか一方に行なわせることができる。
【０３２６】
（２）  本実施例では、通常ナビ演出と同じ態様で、順押し説明演出を実行するとして説明したが、通常ナビ演出と異なる態様で、順押し説明演出を実行するようにしてもよい。また、順押し説明演出で報知した順押しで操作をしなかった場合（順押し以外で操作した場合）には、ペナルティを付与するようにしてもよい。たとえば、順押し説明演出において、「左中右」というメッセージを表示するとともに、「左中右で操作しなければ、ペナルティ付与！」というメッセージも表示するようにしてもよい。このような順押し説明演出を実行することにより、遊技者はペナルティが付与されることを回避するために、順押し操作を行う割合が高くなり、さらに規制期間中にフリーズが発生されることを防止できる。
【０３２７】
［フリーズについて］
（１）  本実施例では、２種類のフリーズとして、ＡＴ確定フリーズとＡＴチャンスフリーズがあるとし、規制期間中に、当該２種類のフリーズのいずれが当選したとしても、順押し説明演出を実行することにより、間接的に当該２種類のフリーズを実行させない（フリーズを規制する）として説明した。しかしながら、規制期間中にＡＴチャンスフリーズが当選すると当該ＡＴチャンスフリーズを規制する一方、ＡＴ確定フリーズが当選すると、当該ＡＴ確定フリーズを規制せずにＡＴ確定フリーズを実行させるようにしてもよい。このような構成によれば、実行されたときには必ずＡＴ当選していることを報知できるＡＴ確定フリーズが規制されないことから、遊技の興趣を向上させることができる。
【０３２８】
（２）  本実施例では、必ずＡＴ当選する役（本実施例では中段チェリー）が当選したときに、ＡＴ確定フリーズは実行されるとして説明した。しかしながら、たとえば、当選確率が低いボーナス（本実施例では、たとえば、ＢＢ１）が当選したときに、ＡＴ確定フリーズの代わりにボーナス当選フリーズを実行するようにしてもよい。
【０３２９】
（３）  本実施例では、ＡＴ確定フリーズとＡＴチャンスフリーズの２種類のフリーズを有するとして説明したが、３種類以上のフリーズを備えるようにしてもよい。また、規制期間については、５ゲームであるとして説明したが、５ゲーム以外のゲーム数であってもよい。
【０３３０】
（４）  本実施例では、スタートスイッチ操作時に実行されるフリーズ抽選によりフリーズ当選したゲームにおいて、遊技者が逆押しすると、次のゲームでフリーズが必ず発生するとして説明した。しかしながら、フリーズ当選したゲームにおいて、第３停止後に、再度、フリーズ抽選（「以下、２度目のフリーズ抽選」という。）を行い、次のゲームにおいてフリーズを実行するか否かを決定するようにしてもよい。ここで、当該２度目のフリーズ抽選は、逆押しで操作されたときには、順押しで操作されたときよりも、高い確率でフリーズが実行されるように設計されているとする。
【０３３１】
このような構成の場合において、２度目のフリーズ抽選の結果が、フリーズ非当選である場合には、遊技者により逆押しされたとしても、次のゲームにおいてフリーズは実行されないことになる。したがって、フリーズを実行させないことを意図している遊技者が、逆押しをしたとしても、次のゲームでは必ずしもフリーズが実行されるということにはならないので、当該遊技者に対して緊張感を与えることができる。
【０３３２】
また、このような構成において、スタートスイッチ操作時に実行されるフリーズ抽選を省略するようにしてもよい。つまり、フリーズ抽選は、「２度目のフリーズ抽選」のみとしてもよい。このような構成によれば、フリーズ抽選の回数を削減することができるので、制御負担を低減させることができる。
【０３３３】
（５）  本実施例においては、フリーズを実行させる操作手順を「逆押し」とし、連続演出を実行させる操作手順を「順押し」として説明した。しかしながら、これに限られるものではなく、フリーズを実行させる操作手順と、フリーズを実行させない（単ゲーム演出を実行させる）ための操作手順とが異なるものであれば、如何なる操作手順としてもよい。この場合には、順押し説明演出が、フリーズを実行させない操作手順を報知する演出に代替される。たとえば、フリーズを実行させる操作手順を「順押し」とし、連続演出を実行させる操作手順を「逆押し」としてもよい。
【０３３４】
また、フリーズを実行させる操作手順は、リールの停止順番にかかわらず、リールの所定停止タイミングとしてもよい。また、フリーズを実行させる操作手順は、リールの所定停止タイミングおよびリールの所定停止順番としてもよい。
【０３３５】
（６）  本実施例においては、特定条件を「中段チェリーまたは強チェリーが当選して、かつフリーズ当選することにより成立する条件」として、当該特定条件が成立したときに、逆押しされたときに、次のゲームで、フリーズが実行されるとして説明した。しかしながら、特定条件を他の条件としてもよい。さらに、特定条件を、「遊技者にとって後述する特典が付与される条件」とすることがさらに好ましい。
【０３３６】
たとえば、特定条件を特定役が、１以上の所定回数、当選または入賞することにより成立する条件としてもよい。また、特定条件を、「表示ゲーム数が、天井ゲーム数（たとえば、９９９ゲーム）に到達することにより成立する条件」としてもよい。なお、表示ゲーム数とは、たとえば、液晶表示器５１に表示されるゲーム数であって、１ゲーム消化するごとに、１ゲームずつ増加するゲーム数である。
【０３３７】
（７）  本実施例において、フリーズ当選したゲームにおいて、逆押しされたときには、次のゲームのスタートスイッチ操作時に、フリーズが実行されるとして説明した。しかしながら、フリーズ実行タイミングは、これに限られるものではなく、他のタイミングとしてもよい。たとえば、フリーズ実行タイミングを、逆押しされたゲームの終了時としてもよい。また、フリーズ実行タイミングを、フリーズ当選したゲームの次のゲームの第１停止時などとしてもよい。また、フリーズ実行タイミングを、フリーズ当選したゲームの２ゲーム以降の所定のタイミングとしてもよい。
【０３３８】
（８）  以下では、次のゲームでフリーズを実行させる手順を「フリーズ実行手順」といい、フリーズを実行させない手順を「フリーズ非実行手順」という。本実施例では、フリーズ実行手順を「逆押し」とし、フリーズ非実行手順を、「順押し」として、全てのゲームにおいて、フリーズ実行手順およびフリーズ非実行手順は固定であるとして説明した。しかしながら、所定の実行手順変更条件が成立する毎に、フリーズ実行手順を変更するようにしてもよい。ここで、「所定の実行手順変更条件」とは、１ゲーム消化する毎に成立する条件や、乱数抽選で当選することにより成立する条件や、ＡＴ当選したことにより成立する条件であってもよい。また、たとえば、当該乱数抽選により、フリーズ実行手順を変更する旨が決定されたときには、同時にフリーズ実行手順を決定するようにしてもよい。
【０３３９】
このような構成によれば、熟練度が高い遊技者であっても、フリーズを実行させる操作手順を特定することはできないため、本実施例よりも、さらに選択説明演出に対して注目を集めることができる。
【０３４０】
（９）  本実施例では、フリーズおよびフリーズ演出により、ＡＴ当選している可能性を遊技者に対して報知するとして説明した。しかしながら、これに限られるものではなく、フリーズ演出を実行せずに、フリーズのみでＡＴ当選している可能性を報知するようにしてもよい。このような構成の場合には、フリーズ演出用のデータを用いる必要はないことから、データ容量の削減を図ることができる。
【０３４１】
（１０）  本実施例では、フリーズおよびフリーズ演出により、ＡＴ当選している可能性を遊技者に対して報知するとして説明した。しかしながら、報知する対象を「ＡＴ当選している可能性」ではなく、「ＡＴ当選した旨」としてもよい。この場合には、液晶表示器５１に、ＡＴ当選した旨を特定できるメッセージ「ＡＴ当選おめでとう！」などといったメッセージを報知するようにしてもよい。さらに、付与されたナビストック数も特定できる情報も報知するようにしてもよい。たとえば、「ＡＴ当選おめでとう！ナビストック１追加！」などといったメッセージを報知するようにしてもよい。
【０３４２】
（１１）  本実施例においては、フリーズ当選ゲームにおいて、順押しされたか逆押しされたかに関わらず、「ＡＴ当選確率」および「ＡＴ当選したときに付与されるナビストック数の期待値」は同一である、として説明した。しかしながら、フリーズ当選ゲームにおいて、順押しされたか逆押しされたかに関わらず、「ＡＴ当選確率」および「ＡＴ当選したときに付与されるナビストック数の期待値」のうち、いずれか一方が同一であってもよい。また、順押しされたか逆押しされたかによって、「ＡＴ当選確率」および「ＡＴ当選したときに付与されるナビストック数の期待値」の双方が異なる場合であっても、「ＡＴ当選確率」と「ＡＴ当選したときに付与されるナビストック数の期待値」とから定まる値が同一であってもよい。当該「定まる値」とは、「ＡＴ当選したときに付与されるナビストック数の期待値」に「ＡＴ当選確率」を乗算させた値としてもよい。
【０３４３】
（１２）  本実施例では、中段チェリーまたは強チェリーが当選したときに、フリーズ抽選を行うとして説明した。しかしながら、他のＡＴ抽選対象役が当選したときや、いずれのＡＴ抽選対象役も当選していないときに、フリーズ抽選を実行するようにしてもよい。特に、いずれのＡＴ抽選対象役にも当選していないときに、実行されたフリーズ抽選により、フリーズ当選してフリーズが実行される場合、当該フリーズは、いわゆるガセフリーズ（ＡＴ当選していないにも関わらず実行されるフリーズ）となる。したがって、フリーズが実行されたからといって、必ずしもＡＴ当選しているとは限らないことから、フリーズに対して、遊技者に緊張感を抱かせることができる。
【０３４４】
（１３）  本実施例では、図２３（Ａ）に示すように、フリーズ抽選を実行し、当該フリーズ抽選によりフリーズ当選し、当該フリーズ当選に基づくフリーズが実行されたときに、５ゲームの規制期間に制御させるとして説明した。しかしながら、当該フリーズ抽選によりフリーズ非当選した場合にも、５ゲームの規制期間に制御させるようにしてもよい。このような構成であれば、フリーズ抽選されて、フリーズ当選したか否かに関わらず、規制期間に制御されることから、当該規制期間に制御させる処理を共通化することができるので、処理負担を軽減することができる。
【０３４５】
［フリーズ抽選条件について］
本実施例では、フリーズ抽選条件として、中段チェリー当選または強チェリー当選することにより成立する条件であるとして説明したが、当該フリーズ抽選条件は他の条件であってもよい。たとえば、フリーズ抽選条件は、「殆ど取りこぼすために当選していたことが遊技者により特定不能である（または特定し難い）特定役」に当選したことにより成立する条件であってもよい。当該特定役は、具体的には、全てのリールが停止されたときに、入賞したか否かを特定できる役であり、たとえば、中段スイカなどである。
【０３４６】
また、たとえば、フリーズ抽選条件を弱スイカ当選または強スイカ当選とする構成であってもよい。このような構成において、強スイカまたは弱スイカが当選し、さらにフリーズ当選したゲームにおいて、入賞タイミングでかつ、「フリーズを実行させる逆押し」で操作されたときには、弱スイカまたは強スイカが当選したかに関わらず、共通の入賞役である「上段スイカまたは右下がりスイカ」を導出させる（図１３参照）。したがって、弱スイカまたは強スイカが当選したゲームにおいて、入賞タイミングで逆押しされて「上段スイカまたは右下がりスイカ」が導出されたとしても、弱スイカまたは強スイカのうちいずれが当選したのかを、特定することはできない。よって、導出された出目でＡＴ当選したか否かを煽るのではなく、あくまでフリーズによりＡＴ当選したか否かを煽ることができ、フリーズに対して遊技者の注目を集めることができる。なお、入賞タイミングとは異なるタイミングで逆押し操作されたときには、「上段スイカ」および「右下がりスイカ」のいずれも導出されない。
【０３４７】
一方、弱スイカまたは強スイカが当選したゲームにおいて、入賞タイミングでかつ、「フリーズを実行させない順押し」で操作されたときには、当選役に応じた入賞役を導出させる。本実施例では、弱スイカが当選したゲームでは、「上段スイカまたは右下がりスイカ」が導出され、強スイカが当選したゲームでは、「中段スイカ」が導出される（図１３参照）。したがって、導出された出目により、弱スイカまたは強スイカのうちいずれが当選したのかを遊技者に特定させることができる。よって、フリーズを実行させない順押しで操作されたときには、導出された出目でＡＴ当選したか否かを遊技者に煽ることができる。なお、入賞タイミングとは異なるタイミングで逆押し操作されたときには、「中段スイカ」は導出されない。
【０３４８】
また、フリーズ抽選条件を弱スイカ当選または強スイカ当選とした場合には、さらに以下のような構成でもよい。たとえば、強スイカおよび弱スイカの当選状況（以下、「特定当選状況」という。）を以下のようにしてもよい。ただし、スイカＡ、スイカＢは共に入賞役である。
【０３４９】
強スイカ・・・スイカＡ＋スイカＢ
弱スイカ・・・スイカＡ
このような当選状況の場合に、弱スイカが当選したか強スイカが当選したかに関わらず、逆押しされたときには、スイカＡを導出させる。これにより、中段チェリーまたは強チェリーが当選したときにおいて、逆押しされたときには、「スイカＡ」を導出させることにより、「弱スイカが当選したか強スイカが当選したか」を遊技者に判別させないようにすることができる。一方、強スイカが当選したときにおいて、順押しされたときには、「スイカＢ」を導出させ、弱スイカが当選したときにおいて、順押しされたときには、「スイカＡ」を導出させる。したがって、中段チェリーまたは強チェリーが当選したときにおいて、逆押しされたときには、当選役を遊技者に判別させることができる。
【０３５０】
また、特定当選状況のときにおいて、以下のような構成であってもよい。中段チェリーまたは強チェリーが当選したときにおいて、逆押しされたときには、弱スイカが当選したか強スイカが当選したかに関わらず、特定出目を導出させる。このような構成であっても、逆押しされたときには、「弱スイカが当選したか強スイカが当選したか」を遊技者に判別させないようにすることができる。
【０３５１】
［リールについて］
本実施形態では、リール数が３つであるとして説明した。しかしながら、リール数は３以外の数であってもよい。以下にリール数（およびストップスイッチ）が１つである場合について説明する。以下では、１つのリールが「図３に示す左リール２Ｌ」であるとして説明する。左リール２Ｌは、全ての図柄において、５コマ以内にベルが配列されている構成となっている。
【０３５２】
このような構成の場合において、特定条件（「フリーズについて」の（３）参照）が成立したゲームにおいて、ベルが入賞ラインＬＮ上に位置するときから、０コマ前〜２コマ前のうちいずれかで、ストップスイッチを操作することを「フリーズ実行手順」とし、３コマ前、４コマ前でストップスイッチを操作することを「フリーズ非実行手順」としてもよい。このような構成によれば、リール数が１つであっても、本実施例と同様の効果を奏することができる。また、これに限られず、「フリーズ実行手順」と、「フリーズ非実行手順」とを異ならせるようにすれば、如何なる構成であってもよい。
【０３５３】
［演出について］
（１）  本実施例では、図２０のＳ５２０に示したように、フリーズが実行されるときに、複数ゲームに亘って実行される連続演出は「バトル演出」であるとして説明した。当該連続演出は他の演出であってもよい。たとえば、連続演出を楽曲としてもよく、またドラマおよび映画等の映像としてもよい。また、連続演出は、たとえば、パートが進行するにつれて、所定のキャラクタが成長するような演出であってもよい。
【０３５４】
（２）  本実施例では、図２０のＳ５２６に示したように、フリーズ当選したゲームにおいて、順押しされたときには、次のゲームで単ゲーム演出が実行されるとして説明した。しかしながら、逆押し以外の全ての操作手順のうち、いずれかの操作手順で操作されたときには、単ゲーム演出が実行されるようにしてもよい。
【０３５５】
（３）  本実施例の選択説明演出では、「逆押しすればフリーズが実行され、順押しすれば単ゲーム演出が実行される」旨のメッセージを液晶表示器５１に表示させる演出であるとして説明した。しかしながら、これに限られず、選択説明演出は、「逆押しすればフリーズが実行され、順押しすれば単ゲーム演出が実行される」ことを特定可能な情報を報知する演出であれば、如何なる演出であってもよい。たとえば、「逆押しすればフリーズが実行され、順押しすれば単ゲーム演出が実行される」旨を遊技者に連想させる所定のキャラクタを液晶表示器５１に表示させるようにしてもよい。また、音声出力により、「逆押しすればフリーズが実行され、順押しすれば単ゲーム演出が実行される」旨を遊技者に特定させるようにしてもよい。
【０３５６】
（４）  また、本実施例では、ＡＴ当選している可能性を報知する演出（以下、「ＡＴ可能性報知演出」という。）と、選択説明演出とが一体的になっているとして説明した。具体的には、選択説明演出の背景色により、ＡＴ当選している可能性を報知するとして説明した。しかしながら、選択説明演出と、ＡＴ可能性報知演出とを、個別に実行するようにしてもよい。たとえば、選択説明演出開始前、または、選択説明演出終了後において、ＡＴ可能性報知演出を実行するようにしてもよい。ＡＴ可能性報知演出は、たとえば、所定のメッセージやキャラクタを液晶表示器５１に表示させることにより、ＡＴ当選している可能性を報知する演出としてもよい。
【０３５７】
（５）  また、本実施例で説明した各演出については、液晶表示器５１に所定のメッセージを表示するとして説明したが、たとえば、所定のメッセージを音声で出力する演出としてもよい。また、当該所定のメッセージとともに、当該所定のメッセージを音声出力するようにしてもよい。
【０３５８】
（６）  本実施例では、フリーズが発生したゲームにおいて、バトル演出が実行されるとして説明した。しかしながら、フリーズが発生したゲームの所定ゲーム数（たとえば、１〜３ゲーム）消化後にバトル演出を実行するようにしてもよい。
【０３５９】
（７）  本実施例では、規制期間中にフリーズ当選すると、順押し操作を推奨する順押し説明演出を実行するとして説明した。しかしながら、一般的に、推奨操作手順である順押し操作で操作されることが多いことから、順押し説明演出を実行しないようにしてもよい。つまり、フリーズを実行させない操作手順を推奨操作手順（つまり、ペナルティが付与されない操作手順）とすることにより、フリーズを実行させない操作手順を推奨する演出（つまり、順押し説明演出）を実行する必要がなくなり、当該演出の実行処理負担を軽減できる。
【０３６０】
（８）  本実施例では、フリーズが発生しなかった場合において、順押しされたときには、単ゲーム演出が実行されるとして説明したが、フリーズが発生しなかった場合には、単ゲーム演出など、何らの演出を実行しないようにしてもよい。また、フリーズが発生せず、かつ順押しされた場合において、規制期間であるか否かで異なる演出を実行するようにしてもよい。たとえば、このような場合において、規制期間であるときには、単ゲーム演出を実行しないようにしてもよい。
【０３６１】
［ペナルティについて］
本実施例では、選択説明演出が実行されるゲームであれば、推奨操作手順に応じた順番とは異なる順番で遊技者に操作されたとしても、ペナルティは付与されない、として説明した。しかしながら、たとえば、特定ゲームにおいて、推奨操作手順に応じた順番とは異なる順番で遊技者に操作されたとしても、ペナルティは付与されない、としてもよい。特定ゲームとは、たとえば、非ＡＴであっても、当選役、および当該当選役を入賞させる操作手順を報知するゲームである。また、非ＡＴおよびＡＴを含む全てのゲームにおいて、ペナルティ付与制御を省略するようにしてもよい。
【０３６２】
［フリーズ抽選について］
本実施例のフリーズ抽選は、図１８に示すように、スタートスイッチ操作時に実行されるとして説明した。しかしながら、フリーズ抽選が実行されるタイミングは、如何なるタイミングであってもよい。たとえば、遊技者の操作前に、フリーズを実行するか否かを決定する構成であれば、遊技者の第１操作前であれば如何なるタイミングで実行するようにしてもよい。たとえば、スタートスイッチ操作から所定時間（たとえば、１秒）経過後に実行するようにしてもよい。また、遊技者の操作後に、フリーズを実行するか否かを決定する構成であれば、第１停止時以降にフリーズ抽選を実行するようにしてもよい。
【０３６３】
［特典について］
前述した実施例では、特典としてメダルの払出率に直接影響を及ぼす価値であるナビストックが付与される例について説明した。しかし、特典はこれに限らず、たとえば、「以前のゲームにおいて、付与されていたナビストックを報知すること」としてもよい。また、付与される特典は、メダルの払出率に直接影響を及ぼす価値に限らず、メダルの払出率に直接影響を及ぼすものではない価値であってもよい。特典としては、たとえば、前述したナビストックの付与や、遊技者にとって有利な状態（ボーナス、ＲＴなど）への移行、液晶表示器５１に音声とともに特典演出の実行（特別キャラクタ出現、次回発生したボーナス中において特別ボーナス中演出実行など）、設定されている設定値を示唆するための設定値示唆演出の実行、一定数を集めることでスロットマシン１が設置された遊技店において定めたサービスと交換可能なポイント付与、特典映像や特典情報を所定のＷｅｂサイトにてダウンロードすることが可能なＱＲコード（登録商標）を液晶表示器５１において表示などであってもよい。
【０３６４】
［操作手順について］
本実施例の操作手順とは、主に「操作順序」を意味していたが、操作手順を「操作タイミング」および「操作順序」を含めるような概念としてもよい。また、操作手順を「操作タイミング」を意味するようにしてもよい。
【０３６５】
［その他］
前述した実施例では、３つのリール２Ｌ、２Ｃ、２Ｒを有する可変表示装置を備え、全てのリールが停止した時点で１ゲームが終了し、３つのリールに導出された表示結果の組合せに応じて入賞が発生するスロットマシンについて説明した。すなわち、各々が識別可能な複数種類の識別情報を変動表示可能な複数の可変表示領域のそれぞれに表示結果を導出させることが可能な可変表示装置を備え、遊技用価値を用いて１ゲームに対して所定数の賭数を設定することによりゲームが開始可能となるとともに、前記複数の可変表示領域のすべてに前記表示結果が導出されることにより１ゲームが終了し、１ゲームの結果として前記複数の可変表示領域のそれぞれに導出された前記表示結果の組合せに応じて入賞が発生可能とされたスロットマシンについて説明した。しかし、各々が識別可能な複数種類の識別情報を変動表示可能な可変表示装置に表示結果が導出されることにより１ゲームが終了し、該可変表示装置に導出された表示結果に応じて入賞が発生可能とされたスロットマシンであれば、３つのリールを有する可変表示装置を備えるものに限らず、３以外の複数のリールを有する可変表示装置を備えるスロットマシンであってもよい。
【０３６６】
また、上記の実施例では、賭数の設定や入賞に伴う遊技用価値の付与に用いる遊技媒体としてメダルを適用したスロットマシンを例として説明した。しかしながら、本発明を具現化するスロットマシンは、パチンコ遊技機で用いられている遊技球を遊技媒体として適用したスロットマシンであってもよい。遊技球を遊技媒体として用いる場合は、例えば、メダル１枚分を遊技球５個分に対応させることができ、上記の実施例で賭数として３を設定する場合は、１５個の遊技球を用いて賭数を設定するものに相当する。
【０３６７】
また、上記の実施例では、メダル並びにクレジットを用いて賭数を設定するスロットマシンを用いているが、本発明はこれに限定されるものではなく、遊技球を用いて賭数を設定するスロットマシンや、クレジットのみを使用して賭数を設定する完全クレジット式のスロットマシンであってもよい。
【０３６８】
さらに、流路切替ソレノイド３０や投入メダルセンサ３１など、メダルの投入機構に加えて、遊技球の取込を行う球取込装置、球取込装置により取り込まれた遊技球を検出する取込球検出スイッチを設けるとともに、ホッパーモータ３４ｂや払出センサ３４ｃなど、メダルの払出機構に加えて、遊技球の払出を行う球払出装置、球払出装置により払い出された遊技球を検出する払出球検出スイッチを設け、メダル及び遊技球の双方を用いて賭数を設定してゲームを行うことが可能であり、かつ入賞の発生によってメダル及び遊技球が払い出されるスロットマシンに適用してもよい。
【０３６９】
また、本実施例では、「割合（比率、確率）」を例示したが、「割合（比率、確率）」は、これに限るものではなく、たとえば０％〜１００％の範囲内の値のうち、０％を含む値や、１００％を含む値、０％および１００％を含まない値であってもよい。
【０３７０】
本実施例として、入賞の発生に応じて遊技媒体を遊技者の手元に払い出すスロットマシンを説明したが、遊技媒体が封入され、入賞の発生に応じて遊技媒体を遊技者の手元に払い出すことなく遊技点（得点）を加算する封入式のスロットマシンを採用してもよい。基盤とドラムとが流通可能で、筺体が共通なもので基盤のみあるいは基盤とドラムとを遊技機と称する。
【０３７１】
また、遊技機の一例としてスロットマシンを例に挙げて説明したが、本実施例はパチンコ遊技機に適用することも可能である。この場合、入賞の発生に応じて遊技媒体を遊技者の手元に払い出すパチンコ遊技機を採用してもよく、遊技媒体が封入され、入賞の発生に応じて遊技媒体を遊技者の手元に払い出すことなく遊技点（得点）を加算する封入式のパチンコ遊技機を採用してもよい。封入式のパチンコ遊技機には、遊技媒体の一例となる複数の玉をパチンコ遊技機内で循環させる循環経路が形成されているとともに、遊技点を記憶する記憶部が設けられており、玉貸操作に応じて遊技点が記憶部に加算され、玉の発射操作に応じて遊技点が記憶部から減算され、入賞の発生に応じて遊技点が記憶部に加算される。また、パチンコ遊技機は、発射装置および玉払出装置を備えた遊技枠に遊技球が打ち込まれる遊技領域を形成する遊技盤を取り付けた構成であるが、これに限らず、発射装置は玉払出装置などの基本的な機能を共通化し、遊技の特長的構成である遊技盤のみを流通させるようにしてもよい。この場合、遊技の特長的構成であるところの遊技盤を遊技機と称する。
【０３７２】
なお、今回開示された実施例は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【符号の説明】
【０３７３】
１  スロットマシン、２Ｌ，２Ｃ，２Ｒ  リール、６  ＭＡＸＢＥＴスイッチ、７  スタートスイッチ、８Ｌ、８Ｃ、８Ｒ  ストップスイッチ、４１  メイン制御部、９１  サブ制御部。
【図１】
2015123097.tif 000003
【図２】
2015123097.tif 000004
【図３】
2015123097.tif 000005
【図４】
2015123097.tif 000006
【図５】
2015123097.tif 000007
【図６】
2015123097.tif 000008
【図７】
2015123097.tif 000009
【図８】
2015123097.tif 000010
【図９】
2015123097.tif 000011
【図１０】
2015123097.tif 000012
【図１１】
2015123097.tif 000013
【図１２】
2015123097.tif 000014
【図１３】
2015123097.tif 000015
【図１４】
2015123097.tif 000016
【図１５】
2015123097.tif 000017
【図１６】
2015123097.tif 000018
【図１７】
2015123097.tif 000019
【図１８】
2015123097.tif 000020
【図１９】
2015123097.tif 000021
【図２０】
2015123097.tif 000022
【図２１】
2015123097.tif 000023
【図２２】
2015123097.tif 000024
【図２３】
2015123097.tif 000025